(57)【要約】少なくとも１つのアミノ置換ビニルモノマー、少なくとも１つの疎水性の非イオン性ビニルモノマー、少なくとも１つの会合性ビニルモノマー、少なくとも１つの半疎水性ビニル界面活性剤モノマー、および必要に応じて、１つ以上のヒドロキシ置換非イオン性ビニルモノマー、架橋モノマー、連鎖移動剤またはポリマー安定化剤を含むモノマー混合物の重合生成物である多目的ポリマーが、開示される。これらのビニル付加ポリマー低ｐＨにおいてカチオン特性を提供するアミノ置換基、疎水性置換基、疎水性に修飾されたポリオキシアルキレン置換基および親水性ポリオキシアルキレン置換基を含む置換基の組み合わせを有する。驚くべきことに、このポリマーは、酸性の水性組成物において有利なレオロジー特性を提供し、そしてカチオン性物質と適合性である。【特許請求の範囲】
【請求項１】
安定な水性ポリマー組成物であって、以下：
ａ．酸膨潤可能なカチオン性の会合性ポリマー；
ｂ．少なくとも１種の両性界面活性剤；
ｃ．アニオン性界面活性剤、カチオン性界面活性剤、非イオン性界面活性剤、およびそれらの混合物から選択される、任意の界面活性剤；
ｄ．約０．５〜約７の範囲の低いｐＨを有する増粘したポリマー組成物を生じる、有効量の酸性物質；
ｅ．該低いｐＨの組成物に対して高いｐＨを有する組成物を生じる、有効量の、後に添加されるアルカリ性ｐＨ調整剤；
を含有する、安定な水性ポリマー組成物。
【請求項２】
前記酸膨潤可能なカチオン性の会合性ポリマーが、以下：少なくとも１種のアミノ置換ビニルモノマー；少なくとも１種の疎水性の非イオン性ビニルモノマー；少なくとも１種の会合性ビニルモノマー；少なくとも１種の半疎水性ビニル界面活性剤モノマー；および必要に応じて、１種以上のヒドロキシ置換非イオン性ビニルモノマー、を含むモノマー混合物から重合される、請求項１に記載のポリマー組成物。
【請求項３】
前記モノマー混合物は、架橋モノマーをさらに含む、請求項２に記載のポリマー。
【請求項４】
前記アミノ置換ビニルモノマーが、以下：
モノ−（Ｃ１〜Ｃ４）アルキルアミノ（Ｃ１〜Ｃ８）アルキル（メタ）アクリレート、
ジ−（Ｃ１〜Ｃ４）アルキルアミノ（Ｃ１〜Ｃ８）アルキル（メタ）アクリレート、
モノ−（Ｃ１〜Ｃ４）アルキルアミノ（Ｃ１〜Ｃ８）アルキル（メタ）アクリルアミド、
ジ−（Ｃ１〜Ｃ４）アルキルアミノ（Ｃ１〜Ｃ８）アルキル（メタ）アクリルアミド、
窒素含有複素環式（メタ）アクリルアミド、
窒素含有複素環式（メタ）アクリレート、およびそれらの混合物
から選択される、請求項２に記載のポリマー。
【請求項５】
請求項２に記載のポリマーであって、前記疎水性の非イオン性ビニルモノマーが、以下の式（Ｉ）または式（ＩＩ）：
（Ｉ）ＣＨ２＝Ｃ（Ｘ）Ｚ、
（ＩＩ）ＣＨ２＝ＣＨ−ＯＣ（Ｏ）Ｒ
のいずれかを有する化合物であって；式（Ｉ）および式（ＩＩ）の各々において、Ｘは、Ｈまたはメチルであり；Ｚは−Ｃ（Ｏ）ＯＲ１、−Ｃ（Ｏ）ＮＨ２、−Ｃ（Ｏ）ＮＨＲ１、−Ｃ（Ｏ）Ｎ（Ｒ１）２、−Ｃ６Ｈ４Ｒ１、−Ｃ６Ｈ４ＯＲ１、−Ｃ６Ｈ４Ｃｌ、−ＣＮ、−ＮＨＣ（Ｏ）ＣＨ３、−ＮＨＣ（Ｏ）Ｈ、Ｎ−（２−ピロリドニル）、Ｎ−カプロラクタミル、−Ｃ（Ｏ）ＮＨＣ（ＣＨ３）３、−Ｃ（Ｏ）ＮＨＣＨ２ＣＨ２−Ｎ−エチレン尿素、−ＳｉＲ３、−Ｃ（Ｏ）Ｏ（ＣＨ２）ｘＳｉＲ３、−Ｃ（Ｏ）ＮＨ（ＣＨ２）ｘＳｉＲ３、または−（ＣＨ２）ｘＳｉＲ３であり；ｘは、１〜約６の範囲の整数であり；各Ｒは、独立して、Ｃ１〜Ｃ３０アルキルであり；各Ｒ１は、独立して、Ｃ１〜Ｃ３０アルキル、ヒドロキシ置換Ｃ２〜Ｃ３０アルキルまたはハロゲン置換Ｃ１〜Ｃ３０アルキルである、ポリマー。
【請求項６】
前記疎水性の非イオン性ビニルモノマーは、アクリル酸のＣ１〜Ｃ３０アルキルエステル、メタクリル酸のＣ１〜Ｃ３０アルキルエステル、またはそれらの混合物である、請求項２に記載のポリマー。
【請求項７】
請求項２に記載のポリマーであって、前記会合性ビニルモノマーは、以下の式（ＩＩＩ）：
【化１】
2007527946.tif 000048
の化合物のうちの少なくとも１つから選択され；各Ｒ２は、独立して、Ｈ、メチル、−Ｃ（Ｏ）ＯＨ、または−Ｃ（Ｏ）ＯＲ３であり；Ｒ３は、Ｃ１〜Ｃ３０アルキルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは、二価アリールであり；Ｅは、Ｈまたはメチルであり；ｚは、０または１であり；ｋは、０〜約３０の範囲の整数であり、そしてｍは、０または１であり、ただしｋが０である場合、ｍは０であり、そしてｋが、１〜約３０の範囲である場合、ｍが１であり；（Ｒ４−Ｏ）ｎは、ポリオキシアルキレンであって、該ポリオキシアルキレンは、Ｃ２〜Ｃ４オキシアルキレン単位のホモポリマー、ランダムコポリマー、またはブロックコポリマーであり、Ｒ４は、Ｃ２Ｈ４、Ｃ３Ｈ６、Ｃ４Ｈ８、またはそれらの混合物であり、そしてｎは、約５〜約２５０の範囲の整数であり；Ｙは、−Ｒ４Ｏ−、−Ｒ４ＮＨ−、−Ｃ（Ｏ）−、−Ｃ（Ｏ）ＮＨ−、−Ｒ４ＮＨＣ（Ｏ）ＮＨ−、または−Ｃ（Ｏ）ＮＨＣ（Ｏ）−であり；そしてＲ５は、Ｃ８〜Ｃ４０直鎖アルキル、Ｃ８〜Ｃ４０分枝鎖アルキル、Ｃ８〜Ｃ４０炭素環式アルキル、Ｃ２〜Ｃ４０アルキル置換フェニル、アリール置換Ｃ２〜Ｃ４０アルキル、およびＣ８〜Ｃ８０複合エステルからなる群より選択される、置換アルキルまたは非置換アルキルであり；Ｒ５アルキル基は、必要に応じて、ヒドロキシル基、アルコキシ基、およびハロゲン基からなる群より選択される１つ以上の置換基を含む、ポリマー。
【請求項８】
前記半疎水性ビニル界面活性剤モノマーは、重合可能な不飽和末端基、および該重合可能な不飽和末端基に共有結合されたポリオキシアルキレン基を含む、請求項２に記載のポリマー。
【請求項９】
前記ポリオキシアルキレン基は、約５〜約２５０のＣ２〜Ｃ４オキシアルキレン単位を含むホモポリマー、ランダムコポリマー、またはブロックコポリマーである、請求項８に記載のポリマー。
【請求項１０】
請求項２に記載のポリマーであって、前記半疎水性ビニル界面活性剤モノマーは、以下の式（ＩＶ）または式（Ｖ）：
【化２】
2007527946.tif 000049
のいずれかを有する化合物であって；ここで式（ＩＶ）および（Ｖ）の各々において、各Ｒ６は、独立して、Ｈ、Ｃ１〜Ｃ３０アルキル、−Ｃ（Ｏ）ＯＨ、または−Ｃ（Ｏ）ＯＲ７であり；Ｒ７は、Ｃ１〜Ｃ３０アルキルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは、二価アリールであり；Ｅは、Ｈまたはメチルであり；ｚは、０または１であり；ｐは、０〜約３０の範囲の整数であり、そしてｒは、０または１であり、ただしｐが０である場合、ｒが０であり、そしてｐが１〜約３０の範囲である場合、ｒが１であり；（Ｒ８−Ｏ）ｖは、ポリオキシアルキレンであり、該ポリオキシアルキレンは、Ｃ２〜Ｃ４オキシアルキレン単位のホモポリマー、ランダムコポリマーまたはブロックコポリマーであり、Ｒ８は、Ｃ２Ｈ４、Ｃ３Ｈ６、Ｃ４Ｈ８、またはそれらの混合物であり、そしてｖは、約５〜約２５０の範囲の整数であり；Ｒ９は、ＨまたはＣ１〜Ｃ４アルキルであり；Ｄは、Ｃ８〜Ｃ３０不飽和アルキル、またはカルボキシ置換Ｃ８〜Ｃ３０不飽和アルキルである、ポリマー。
【請求項１１】
前記少なくとも１種のヒドロキシ置換非イオン性ビニルモノマーは、２−ヒドロキシエチルメタクリレート、２−ヒドロキシエチルアクリレート、３−ヒドロキシプロピルアクリレート、ヒドロキシ置換（Ｃ１〜Ｃ４）アルキル（メタ）アクリルアミド、アリルアルコール、グリセロールモノアリルエーテル、３−メチル−３−ブテン−１−オール、およびビニルアセテートから選択される、請求項２に記載のポリマー。
【請求項１２】
前記モノマー混合物は、モノマー混合物の総重量に基づいて、以下：
（ａ）約１０重量％〜約７０重量％の少なくとも１種のアミノ置換ビニルモノマーまたはその塩；
（ｂ）約２０重量％〜約８０重量％の少なくとも１種の疎水性の非イオン性ビニルモノマー；
（ｃ）約０．０１重量％〜約２５重量％の少なくとも１種の会合性ビニルモノマー；
（ｄ）約０．０１重量％〜約２５重量％の少なくとも１種の半疎水性ビニル界面活性剤モノマー；および
（ｅ）約１０重量％までのヒドロキシ置換非イオン性モノマー；
を含有する、請求項１１に記載のポリマー。
【請求項１３】
前記モノマー混合物は、モノマー混合物の総重量に基づいて、以下：
（ｆ）約５重量％までの架橋モノマー；
（ｇ）約１０重量％までの連鎖移動剤；および
（ｈ）約２重量％までのポリマー安定化剤；
を含有する、請求項１２に記載のポリマー。
【請求項１４】
請求項１、２または３のポリマーを含有する組成物であって、緩衝剤、補助的な毛髪固定剤、補助的なフィルム形成剤、補助的なレオロジー改変剤、補助的な毛髪用コンディショニング剤、補助的な皮膚用コンディショニング剤、化学的な毛髪用ウェーブ剤もしくは毛髪用ストレート剤、着色料、界面活性剤、ポリマーフィルム改質剤、製品安定化剤および製品仕上げ剤、噴霧剤、補助的な溶媒、金属イオンキレート剤、分散剤またはそれらの混合物をさらに含む、組成物。
【請求項１５】
請求項１、２または３のポリマーを含有する組成物であって、微粒子、研磨剤、水不溶性の油性物質、およびそれらの混合物から選択される懸濁可能な物質をさらに含む、組成物。
【請求項１６】
微粒子、研磨剤、水不溶性の油性物質、およびそれらの混合物から選択される懸濁可能な物質をさらに含む、請求項１４に記載の組成物。
【請求項１７】
前記懸濁可能な物質は、ビーズ、マイカ、シリコーン流体、気泡、真珠光沢化剤、ワックス、ビタミン、油およびそれらの混合物から選択される、請求項１５に記載の組成物。
【請求項１８】
前記懸濁可能な物質は、ビーズ、マイカ、シリコーン流体、気泡、真珠光沢化剤、ワックス、ビタミン、油およびそれらの混合物から選択される、請求項１６に記載の組成物。
【請求項１９】
前記酸性物質は、有機酸、鉱酸、酸性の皮膚科学的成分、酸性の薬用化粧品成分、およびそれらの混合物から選択される、請求項１に記載の組成物。
【請求項２０】
前記酸性物質は、クエン酸である、請求項１９に記載の組成物。
【発明の詳細な説明】
【技術分野】
【０００１】
（発明の技術分野）
本発明は、ポリマーの分野に関し、そして具体的には、カチオン性ポリマーおよび会合性ポリマーに関する。
【背景技術】
【０００２】
（発明の背景）
酸性のｐＨ（すなわち、７未満）を有し、カチオン性成分（例えば、カチオン性界面活性剤およびその塩または活性な酸性成分）を含有する処方物は、通常、「低ｐＨ」処方物といわれる。安定な低ｐＨの粘性エマルジョンおよびゲル処方物は、得ることが困難である。最も一般的に使用される増粘剤は、合成会合性増粘剤であり、これらは高い頻度で、アニオン性であり、従って、代表的に、カチオン性成分（特に、第四級アンモニウム塩）と非適合性であるか、または低ｐＨにおいて効果のない増粘剤である。
【０００３】
従って、低ｐＨ組成物（特に、エマルジョン）の処方は、非イオン性増粘剤（例えば、非イオン性界面活性剤）またはカチオン性増粘剤のいずれかの、限定された選択を有する。非イオン性増粘剤は、非荷電であり、従って、より反応性が低いと考えられるが、非イオン性物質は、防腐剤を不活性にする傾向があり、そしていくつかの場合には、微生物の増殖を促進する。いくつかのカチオン性ポリマーレオロジー改変剤（例えば、疎水性に修飾されたアミノアクリレートコポリマー）は、市販されているが、これらのレオロジー特性は予測不可能であるか、または審美的に不十分である。
【発明の開示】
【発明が解決しようとする課題】
【０００４】
従って、低ｐＨ処方物のための、カチオン性であり適合性のポリマーレオロジー改変剤に対する必要性および要求が、現存している。
【課題を解決するための手段】
【０００５】
（発明の要旨）
本発明は、多目的ポリマーを提供し、このポリマーは、通常、カチオン性かつ会合性の性質を有する。
【０００６】
本発明のポリマーは、低ｐＨにおける親水特性およびカチオン特性を提供するアミノ置換基、親水性を減弱する疎水性置換基、会合特性を提供する疎水性に修飾されたポリオキシアルキレン置換基、ならびに会合特性を減弱させ、そして有利なレオロジー特性を提供する親水性ポリオキシアルキレン置換基の組み合わせを有する多官能性ビニル付加ポリマーである。このポリマーは、少なくとも１つのアミノ置換ビニルモノマー；少なくとも１つの疎水性の非イオン性ビニルモノマー；少なくとも１つの会合性ビニルモノマー；少なくとも１つの半疎水性ビニル界面活性剤モノマー；ならびに必要に応じて、１つ以上のヒドロキシ置換非イオン性ビニルモノマー、架橋モノマー、連鎖移動剤、ポリマー安定化剤などを含有するモノマー混合物の重合によって生成される。
【０００７】
これらのポリマーは、非無機酸もしくは有機酸（アミノ酸が挙げられる）のいずれかによる酸性化の際にか、またはアルキル化の際にか、あるいは酸性化およびアルキル化の両方によって、膨潤し得る。本発明の多目的ポリマーは、増粘剤、乳化剤、安定化剤、懸濁剤、フィルム形成剤、コンディショナー、加湿剤、延展助剤、ならびに化学的および生理学的に活性な成分および化粧品材料の効力、沈着または送達を増強するためのキャリアとして、ならびにこれらが含有される処方物の精神感覚特性および美的特性を改善するためのビヒクルとして、使用され得る。低ｐＨにおける上記ポリマーのカチオン性の特徴は、これらのポリマーを、静電防止剤として有用にし、そして特定の条件下においてはまた、殺生物活性、抗菌活性、または他の防腐活性を提供し得る。
【０００８】
本発明のポリマーは、有利には、酸性の水性処方物を増粘して、滑らかに流れかつ容易に広がる、美的に滑らかなテクスチャーの生成物を提供し得る。ポリマー含有生成物の形態は、注ぐことのできない、硬質から軟質のゲル、半固体ペーストから実質的に固体のスティックもしくは棒、およびエアロゾル化した泡から絞れるゲル、ならびに柔らかすぎないが流動性を有する生成物（ポンピング可能なスプレーまたはロールオン製品、および液体ローションに適する）の範囲であり得る。本発明のポリマーは、驚くべきことに、カチオン性成分（例えば、第四級アンモニウム化合物およびアミン）、カチオン性コンディショニング剤、繊維柔軟剤、界面活性剤などを含む水性の系を増粘する際に有効である。
【０００９】
別の実施形態において、本発明は、組成物の粘性、レオロジーおよび濁りに影響せずにその組成物のｐＨを上昇させる、予め増粘された酸性のカチオン性ポリマー組成物への塩基性物質の取り込みに関する。
【００１０】
有利には、本発明のポリマーは、パーソナルケア製品、ヘルスケア製品、家庭用ケア製品、施設用および産業用（まとめて、「Ｉ＆Ｉ」）ケア製品などにおいて使用され得るが、これらに限定されない。このポリマーは、フィルム形成コンディショナーとして使用され得、そして皮膚、毛髪、またはこれらの両方に対する彩色化粧品ならびに極性および非極性の油の沈着を促進するためのものである。さらに、このポリマーは、産業化学プロセス、繊維用仕上げプロセス、印刷、接着コーティングなどの適用のための製品において、例えば、レオロジー改変剤、乳化剤、安定化剤、可溶化剤、懸濁剤、綿状物、ならびに顔料および粉砕添加剤として使用され得る。
【発明を実施するための最良の形態】
【００１１】
（好ましい実施形態の説明）
本発明のポリマーは、一般的に、塩基性であり、水性の酸で膨潤可能であるか、または水性の酸に可溶性である、ポリマーおよびその塩であり、これは、少なくとも１種の低ｐＨにおいてカチオン性である塩基性アミノ置換基、会合性ビニルモノマーから誘導される、少なくとも１種の疎水性に修飾されたポリオキシアルキレン置換基、および半疎水性ビニル界面活性剤モノマーから誘導される、少なくとも１種のポリオキシアルキレン置換基を含有する。本発明のポリマーはまた、必要に応じて、他のモノマー単位（例えば、架橋性モノマー単位、ヒドロキシ置換された非イオン性ビニルモノマー単位、連鎖移動剤単位、ポリマー安定化剤など）から誘導される置換基を含み得る。本発明のポリマーは、一般的に、水溶液中で会合特性を示す。便宜上、本発明のポリマーは、本明細書中で、概して「カチオン性の会合性ポリマー」と称される。
【００１２】
用語「低ｐＨ処方物」とは、約０，５〜約７以下、好ましくは、約６，５以下の範囲の酸性ｐＨを有する処方物をいう。
【００１３】
用語「水性」とは、処方物または媒体に対して適用される場合、水が、カチオン性の会合性ポリマーを、それが含まれる組成物中で、少なくとも膨潤または溶解させるために充分な量で存在することを意味する。
【００１４】
驚くべきことに、カチオン性の会合性ポリマーは、低ｐＨの水性のパーソナルケア製品、ヘルスケア製品、家庭用ケア製品、施設用および産業用のケア製品に、所望のレオロジー特性を提供することが見出された。カチオン性の会合性ポリマーは、カチオン適合性であり、このポリマーを第四級アンモニウム塩またはアミンを含む生成物における増粘剤として特に有用にする、。このカチオン性の会合性ポリマーは、活性な酸成分を含む生成物における増粘剤として有用であり、そしてエマルジョン（クリーム、ローション）のための増粘剤および乳化剤として有用である。増粘に加えて、カチオン性の会合性ポリマーは、着色剤および皮膚軟化油を含む生成物のための有用なフィルム形成剤、延展助剤、ならびに沈着助剤である。驚くべきことに、カチオン性の会合性ポリマーは、比較的高濃度（例えば、１０〜４０％）のアニオン性界面活性剤を含む組成物中で有用であり、そしてまた、毛髪をセットする効力を提供する。
【００１５】
本明細書中で使用される場合、用語「パーソナルケア製品」としては、ヒトおよび動物の皮膚、毛髪、頭皮、および爪に適用される、化粧品、トイレタリー、薬用化粧品（ｃｏｓｍｅｃｅｕｔｉｃａｌ）および美容助剤、パーソナル衛生製品およびクレンジング製品が挙げられるが、これらに限定されない。本明細書中で使用される場合、用語「ヘルスケア製品」には、医薬品、薬学的化粧品（ｐｈａｒｍａｃｏｓｍｅｔｉｃｓ）、経口ケア製品（口、歯）、眼ケア製品、耳ケア製品ならびに処方箋なしで買える製品および装具（例えば、パッチ、硬膏剤、包帯など）、ならびに健康に関連する状態または医学的状態を寛解するために、衛生または健康を一般的に維持することなどのために、ヒトおよび動物の身体の外部または内部に適用される医療用デバイスなどが含まれるが、これらに限定されない。用語「身体」としては、ケラチン性の領域（毛髪、爪）および全身の非ケラチン性皮膚領域（顔面、体幹、四肢、手および脚）、身体の開口部および眼の組織が挙げられ、そして用語「皮膚」としては、頭皮および粘膜が挙げられる。本明細書中で使用される場合、用語「家庭用ケア製品」としては、台所および浴室などにおいて、衛生状態を維持するための表面洗浄または殺菌洗浄製品に関して家庭内の日常において使用される製品、ならびに繊維のケアおよび洗浄のための洗濯製品などが挙げられるが、これらに限定されない。本明細書中で使用される場合、用語「施設用および産業用のケア」および「Ｉ＆Ｉ」は、産業および施設環境（病院およびヘルスケア設備が挙げられる）を洗浄するか、またはその衛生状態を維持するために使用される製品などを含むが、これらに限定されない。
【００１６】
本発明のカチオン性の会合性ポリマーは、多目的ポリマーであり、これらは、好ましくは、以下を含むモノマー混合物を重合することによって調製される：少なくとも１種の塩基性のアミノ置換ビニル（ＡＳＶ）モノマーまたはその塩；少なくとも１種の疎水性の非イオン性ビニル（ＨＮＶ）モノマー；少なくとも１種の会合性ビニル（ＡＶ）モノマー；少なくとも１種の半疎水性ビニル界面活性剤（ＳＶＳ）モノマー；および必要に応じて、１種以上のヒドロキシ置換非イオン性ビニル（ＨＳＮＶ）または架橋（ＸＬ）モノマー。本発明のカチオン性の会合性ポリマーはまた、連鎖移動剤（ＣＴＡ）、または乳化ポリマーおよび乳化重合プロセスにおいて通常利用される他の機能的成分を含むモノマー混合物から調製され得る。
【００１７】
１つの好ましい実施形態において、本発明のカチオン性の会合性多目的ポリマーは、モノマー混合物の総重量に基づいて、以下を含有するモノマー混合物の重合生成物である：（ａ）約１０〜約７０重量％の少なくとも１種のＡＳＶモノマーまたはその塩；（ｂ）約２０〜約８０重量％の少なくとも１種のＨＮＶモノマー；（ｃ）約０．０１〜約２５重量％の少なくとも１種のＡＶモノマー；（ｄ）約０．０１〜約２５重量％の少なくとも１種のＳＶＳモノマー；（ｅ）約１０重量％までのＨＳＮＶモノマー；（ｆ）約５重量％までのＸＬモノマー；（ｇ）約１０重量％までのＣＴＡ；および（ｈ）約２重量％までのポリマー安定化剤。
【００１８】
別の好ましい実施形態において、カチオン性の会合性ポリマーは、モノマー混合物の総重量に基づいて、以下を含有するモノマー混合物の重合生成物である：（ａ）約２５〜約６０重量％の少なくとも１種のＡＳＶモノマーまたはその塩；（ｂ）約２０〜約７０重量％の少なくとも１種のＨＮＶモノマー；（ｃ）約０．１〜約１５重量％の少なくとも１種のＡＶモノマー；（ｄ）約０．１〜約１０重量％の少なくとも１種のＳＶＳモノマー；（ｅ）約０．１〜約１０重量％のＨＳＮＶモノマー；（ｆ）約０．００１〜約５重量％のＸＬモノマー；および（ｇ）約０．００１〜約５重量％までのＣＴＡ。
【００１９】
本発明の特に好ましいポリマーは、モノマー混合物の総重量に基づいて、以下を含有するモノマー混合物の重合生成物である：
（ａ）約２０〜約５０重量％の以下から選択される、少なくとも１つのアミノ置換されたビニルモノマー：３−（Ｎ，Ｎ−ジメチルアミノ）プロピル（メタ）アクリレートおよびＮ’−（３−Ｎ，Ｎ−ジメチルアミノ）プロピル（メタ）アクリルアミド、最も好ましくは、２−（Ｎ，Ｎ−ジメチルアミノ）エチルメタクリレート（ＤＭＡＥＭＡ）、２−（Ｎ，Ｎ−ジエチルアミノ）エチルメタクリレート（ＤＥＡＥＭＡ）、２−（ｔｅｒｔ−ブチルアミノ）エチルメタクリレート（ＴＢＡＥＭＡ）、２−（Ｎ，Ｎ−ジメチルアミノ）プロピルメタクリルアミド（ＤＭＡＰＭＡｍ）および２−（Ｎ，Ｎ−ジメチルアミノ）ネオペンチルアクリレート（ＤＭＡＮＰＡ）；
（ｂ）約５０〜約６５重量％の、アクリル酸のＣ１〜Ｃ３０アルキルエステル、メタクリル酸のＣ１〜Ｃ３０アルキルエステル、およびそれらの混合物から選択される、少なくとも１種の疎水性の非イオン性ビニルモノマー；
（ｃ）約０．１〜約１０重量％の以下から選択される、少なくとも１つの会合性ビニルモノマー：セチルポリエトキシ化メタクリレート（ＣＥＭ）、セテアリルポリエトキシ化メタクリレート（ＣＳＥＭ）、ステアリルポリエトキシ化（メタ）アクリレート、アラキジルポリエトキシ化（メタ）アクリレート、ベンジルポリエトキシ化メタクリレート（ＢＥＭ）、ラウリルポリエトキシ化メタクリレート（ＬＥＭ）、セロチルポリエトキシ化（メタ）アクリレート（ｃｅｒｏｔｙｌ  ｐｏｌｙｅｔｈｏｘｙｌａｔｅｄ（ｍｅｔｈ）ａｃｒｙｌａｔｅ）、モンタニルポリエトキシ化（メタ）アクリレート、メリシルポリエトキシ化（メタ）アクリレート、ラセリルポリエトキシ化（メタ）アクリレート（ｌａｃｃｅｒｙｌ  ｐｏｌｙｅｔｈｏｘｙｌａｔｅｄ（ｍｅｔｈ）ａｃｒｙｌａｔｅ）、トリスチリルフェノールポリエトキシ化メタクリレート（ＴＥＭ）、硬化ヒマシ油ポリエトキシ化メタクリレート（ＨＣＯＥＭ）、キャノーラポリエトキシ化（メタ）アクリレート（ｃａｎｏｌａ  ｐｏｌｙｅｔｈｏｘｙｌａｔｅｄ（ｍｅｔｈ）ａｃｒｙｌａｔｅ）、およびコレステロールポリエトキシ化メタクリレート（ＣＨＥＭ）；
（ｄ）約０．１〜約１０重量％の、以下の化学式：
ＣＨ２＝ＣＨ−Ｏ（ＣＨ２）ａＯ（Ｃ３Ｈ６Ｏ）ｂ（Ｃ２Ｈ４Ｏ）ｃＨまたは
ＣＨ２＝ＣＨＣＨ２Ｏ（Ｃ３Ｈ６Ｏ）ｄ（Ｃ２Ｈ４Ｏ）ｅＨ
の一方を有する、少なくとも１種の半疎水性ビニル界面活性剤モノマー；ここでａは、２、３、または４であり；ｂは、１〜約１０の範囲の整数であり、ｃは、約５〜約５０の範囲の整数であり；ｄは、１〜約１０の範囲の整数であり；そしてｅは、約５〜約５０の範囲の整数である；
（ｅ）約１０重量％までのヒドロキシ置換非イオン性ビニルモノマー；
（ｆ）約５重量％までの架橋モノマー；
（ｇ）約１０重量％までの連鎖移動剤；ならびに
（ｈ）約２重量％までのポリマー安定化剤。
【００２０】
本明細書中で使用される場合、用語「アルキル」とは、直鎖アルキル部分、分枝鎖アルキル部分、または炭素環式アルキル部分を含む置換または非置換の脂肪属炭化水素部分を意味する。用語「炭素環式アルキル」とは、３個〜約１２個の炭素原子の大きさであり、そして必要に応じて炭素環式環上にアルキル置換基を含む、１つ以上の炭素環式環を含むアルキル基を意味する。用語「アリール」は、置換および非置換の、フェニル部分ならびにナフチル部分を包含する。形態「Ｃｘ〜Ｃｙ」との修飾語は、アルキル基または炭素環式アルキル基が、合計でｘ個〜ｙ個の炭素原子を含有する分子式を有することを示し、ｘおよびｙは、特定の整数である。本明細書中および添付の特許請求の範囲で使用される場合、用語「複合エステル」とは、Ｃ２〜Ｃ７アルキレンオキシドでアルキル化され得る少なくとも１つのヒドロキシル基を有するポリオール（例えば、糖）の、ジエステル、トリエステル、またはポリエステルを意味する。用語「複合エステル」としては、特に、Ｊｅｎｋｉｎｓら、米国特許第５，６３９，８４１号（これの関連する開示は、本明細書中に参考として援用される）に記載される複合疎水性物質が挙げられる。
【００２１】
用語「ハロゲン置換」、「ヒドロキシ置換」、「カルボキシ置換」、「ポリオキシアルキレン置換」、「アルキル置換」、および「アリール置換」とは、本明細書中でアルキル基またはアリール基などに関して使用される場合、アルキル基、アリール基などの基における少なくとも１つの水素原子が、それぞれ、少なくとも１つのハロゲン原子、ヒドロキシル基、カルボキシル基、ポリオキシアルキレン基、アルキル基、またはアリール基に置換されたことを意味する。本明細書中で使用される場合、用語「ポリ（メタ）アクリレート」および「ポリ（メタ）アクリルアミド」とは、それぞれ、ポリアクリレートまたはポリメタクリレート、およびポリアクリルアミドまたはポリメタクリルアミドの代わりにいう。
【００２２】
本発明のカチオン性の会合性ポリマーの調製において有用な適切なモノマーは、以下に記載される。
【００２３】
（ＡＳＶモノマー）
本発明のカチオン性の会合性ポリマーの調製のために適切な、アミノ置換ビニルモノマーは、好ましくは少なくとも１つのアミノ官能基を含む、塩基性の、重合可能な、エチレン性不飽和モノマーである。これらの塩基性アミノ基は、モノアミノアルキル基、ジアミノアルキル基、もしくはポリアミノアルキル基、または窒素含有ヘテロ芳香族基から誘導され得る。アミノ基は、第一級アミン、第二級アミン、または第三級アミンを含み得る。これらのモノマーは、所望される場合、アミノ形態または塩形態で使用され得る。
【００２４】
本発明のポリマーは、好ましくは、以下から選択されるＡＳＶモノマーを含む：モノ−（Ｃ１〜Ｃ４）アルキルアミノ（Ｃ１〜Ｃ８）アルキル（メタ）アクリレート、ジ−（Ｃ１〜Ｃ４）アルキルアミノ（Ｃ１〜Ｃ８）アルキル（メタ）アクリレート、モノ−（Ｃ１〜Ｃ４）アルキルアミノ（Ｃ１〜Ｃ８）アルキル（メタ）アクリルアミド、ジ−（Ｃ１〜Ｃ４）アルキルアミノ（Ｃ１〜Ｃ８）アルキル（メタ）アクリルアミド、窒素含有複素環式（メタ）アクリルアミド、窒素含有複素環式（メタ）アクリレート、およびそれらの混合物。
【００２５】
好ましいＡＳＶモノマーの例としては、以下が挙げられるが、これらに限定されない：モノ−（Ｃ１〜Ｃ４）アルキルアミノ（Ｃ１〜Ｃ４）アルキル（メタ）アクリレートまたはジ−（Ｃ１〜Ｃ４）アルキルアミノ（Ｃ１〜Ｃ４）アルキル（メタ）アクリレート（例えば、２−（Ｎ，Ｎ−ジメチルアミノ）エチル（メタ）アクリレート、３−（Ｎ，Ｎ−ジメチルアミノ）プロピル（メタ）アクリレート、４−（Ｎ，Ｎ−ジメチルアミノ）ブチル（メタ）アクリレート、（Ｎ，Ｎ−ジメチルアミノ）−ｔ−ブチル（メタ）アクリレート、２−（Ｎ，Ｎ−ジエチルアミノ）エチル（メタ）アクリレート、３−（Ｎ，Ｎ−ジエチルアミノ）プロピル（メタ）アクリレート、４−（Ｎ，Ｎ−ジエチルアミノ）ブチル（メタ）アクリレート、２−（Ｎ，Ｎ−ジプロピルアミノ）エチル（メタ）アクリレート、３−（Ｎ，Ｎ−ジプロピルアミノ）プロピル（メタ）アクリレート、４−（Ｎ，Ｎ−ジプロピルアミノ）ブチル（メタ）アクリレートなど）；モノ−（Ｃ１〜Ｃ４）アルキルアミノ（Ｃ１〜Ｃ４）アルキル（メタ）アクリルアミドまたはジ−（Ｃ１〜Ｃ４）アルキルアミノ（Ｃ１〜Ｃ４）アルキル（メタ）アクリルアミド（例えば、Ｎ’−（２−Ｎ，Ｎ−ジメチルアミノ）エチルメタクリルアミド、Ｎ’−（３−Ｎ，Ｎ−ジメチルアミノ）プロピルアクリルアミドなど）；および窒素含有複素環式（メタ）アクリルアミドまたは窒素含有複素環式（メタ）アクリレート（例えば、Ｎ−（２−ピリジル）アクリルアミド、Ｎ−（２−イミダゾリル）メタクリルアミド、２−（４−モルホリニル）エチルメタクリレート、２−（４−モルホリニル）エチルアクリレート、Ｎ−（４−モルホリニル）メタクリルアミド、Ｎ−（４−モルホリニル）アクリルアミド、２−ビニルピリジン、４−ビニルピリジン）など。
【００２６】
上記モノマーの適切な塩形態としては、鉱酸塩（例えば、塩酸塩、硫酸塩、およびリン酸塩）；および有機酸塩（例えば、酢酸塩、マレイン酸塩、およびフマル酸塩）などが挙げられるが、これらに限定されない。
【００２７】
前述のモノマーまたはその塩は、本発明のカチオン性の会合性ポリマーのアミノ置換ビニルモノマー成分として個別に使用されても、２種以上の混合物中で使用されてもよい。特に好ましいＡＳＶモノマーは、２−（Ｎ，Ｎ−ジメチルアミノ）エチル（メタ）アクリレート、３−（Ｎ，Ｎ−ジメチルアミノ）プロピル（メタ）アクリレート、およびＮ’−（３−Ｎ，Ｎ−ジメチルアミノ）プロピル（メタ）アクリルアミドである。最も好ましいＡＳＶモノマーは、２−（Ｎ，Ｎ−ジメチルアミノ）エチルメタクリレート（ＤＭＡＥＭＡ）、２−（Ｎ，Ｎ−ジエチルアミノ）エチルメタクリレート（ＤＥＡＥＭＡ）、２−（ｔｅｒｔ−ブチルアミノ）エチルメタクリレート（ＴＢＡＥＭＡ）、２−（Ｎ，Ｎ−ジメチルアミノ）プロピルメタクリルアミド（ＤＭＡＰＭＡｍ）、および２−（Ｎ，Ｎ−ジメチルアミノ）ネオペンチルアクリレート（ＤＭＡＮＰＡ）である。
【００２８】
そのＡＳＶモノマーは、好ましくは、モノマー混合物の総重量に基づいて、総モノマー混合物の約１０〜約７０重量％を構成し、より好ましくは約２０〜約５０重量％を構成し、そして最も好ましくは約３０〜約４０重量％を構成する。
【００２９】
（ＨＮＶモノマー）
本発明のカチオン性の会合性ポリマーの調製における使用に適した疎水性の非イオン性ビニルモノマーは、以下の式（Ｉ）または式（ＩＩ）：
（Ｉ）ＣＨ２＝Ｃ（Ｘ）Ｚ、
（ＩＩ）ＣＨ２＝ＣＨ−ＯＣ（Ｏ）Ｒ；
のいずれかを有する、共重合可能な、非イオン性の、エチレン性不飽和モノマーであって；式（Ｉ）および（ＩＩ）の各々において、Ｘは、Ｈまたはメチルであり；Ｚは−Ｃ（Ｏ）ＯＲ１、−Ｃ（Ｏ）ＮＨ２、−Ｃ（Ｏ）ＮＨＲ１、−Ｃ（Ｏ）Ｎ（Ｒ１）２、−Ｃ６Ｈ４Ｒ１、−Ｃ６Ｈ４ＯＲ１、−Ｃ６Ｈ４Ｃｌ、−ＣＮ、−ＮＨＣ（Ｏ）ＣＨ３、−ＮＨＣ（Ｏ）Ｈ、Ｎ−（２−ピロリドニル）、Ｎ−カプロラクタミル、−Ｃ（Ｏ）ＮＨＣ（ＣＨ３）３、−Ｃ（Ｏ）ＮＨＣＨ２ＣＨ２−Ｎ−エチレン尿素、−ＳｉＲ３、−Ｃ（Ｏ）Ｏ（ＣＨ２）ｘＳｉＲ３、−Ｃ（Ｏ）ＮＨ（ＣＨ２）ｘＳｉＲ３、または−（ＣＨ２）ｘＳｉＲ３であり；ｘは、１〜約６の範囲の整数であり；各Ｒは、独立して、Ｃ１〜Ｃ３０アルキルであり；各Ｒ１は、独立して、Ｃ１〜Ｃ３０アルキル、ヒドロキシ置換Ｃ２〜Ｃ３０アルキルまたはハロゲン置換Ｃ１〜Ｃ３０アルキルである。
【００３０】
好ましい疎水性の非イオン性ビニルモノマーの非限定的な例としては、Ｃ１〜Ｃ３０アルキル（メタ）アクリレート；Ｃ１〜Ｃ３０アルキル（メタ）アクリルアミド；スチレン；置換スチレン（例えば、ビニルトルエン（例えば、２−メチルスチレン、ブチルスチレン、イソプロピルスチレン、ｐ−クロロスチレンなど））；ビニルエステル（例えば、ビニルアセテート、ビニルブチレート、ビニルカプロレート、ビニルピルベート、ビニルネオデカノエートなど）；不飽和ニトリル（例えば、メタクリロニトリル、アクリロニトリルなど）；および不飽和シラン（例えば、トリメチルビニルシラン、ジメチルエチルビニルシラン、アリルジメチルフェニルシラン、アリルトリメチルシラン（ａｌｌｙｔｒｉｍｅｔｈｙｌｓｉｌａｎｅ）、３−アクリルアミドプロピルトリメチルシラン、３−トリメチルシリルプロピルメタクリレートなど）が挙げられる。
【００３１】
特に好ましい非イオン性ビニルモノマーとしては、アクリル酸およびメタクリル酸のＣ１〜Ｃ３０アルキルエステル、ならびにそれらの混合物（例えば、エチルアクリレート（ＥＡ）、メチルメタクリレート（ＭＭＡ）、３，３，５−トリメチルシクロヘキシルメタクリレート（ＴＭＣＨＭＡ）、およびそれらの混合物）が挙げられる。
【００３２】
そのＨＮＶモノマーは、好ましくは、全モノマー混合物の約２０〜約８０重量％を構成し、より好ましくはモノマー混合物の総重量に基づいて、約３０〜約７０重量％を構成し、そして最も好ましくは約５０〜約６５重量％を構成する。
【００３３】
（ＡＶモノマー）
本発明のカチオン性の会合性ポリマーの生成における使用に適した会合性ビニルモノマーは、好ましくは、その系の他のモノマーとの付加重合のためのエチレン性不飽和末端基部分（ｉ）；生成物ポリマーに選択的な親水特性を与えるためのポリオキシアルキレン中間セクション部分（ｍｉｄｓｅｃｔｉｏｎ  ｐｏｒｔｉｏｎ）（ｉｉ）、およびそのポリマーに選択的な疎水特性を提供するための疎水性末端基部分（ｉｉｉ）を有する化合物である。
【００３４】
上記エチレン性不飽和末端基を供給する部分（ｉ）は、好ましくは、α，β−エチレン性不飽和モノカルボン酸またはα，β−エチレン性不飽和ジカルボン酸またはそれらの無水物に由来し、より好ましくは、Ｃ３モノカルボン酸もしくはＣ４モノカルボン酸またはＣ３ジカルボン酸もしくはＣ４ジカルボン酸あるいはそれらの無水物に由来する。あるいは、その会合性モノマーの部分（ｉ）は、アリルエーテルまたはビニルエーテル；非イオン性のビニル置換ウレタンモノマー（例えば、米国再発行特許第３３，１５６号または米国特許第５，２９４，６９２号に開示される）；またはビニル置換尿素の反応生成物（例えば、米国特許第５，０１１，９７８号に開示される）に由来し得る；各々の関連する開示は、本明細書中に参考として援用される。
【００３５】
上記中間セクション部分（ｉｉ）は、好ましくは、約５〜約２５０個、より好ましくは、約１０〜約１２０個、および最も好ましくは約１５〜約６０個の反復するＣ２〜Ｃ７アルキレンオキシド単位のポリオキシアルキレンセグメントである。好ましい中間セクション部分（ｉｉ）としては、約５〜約１５０個、より好ましくは約１０〜約１００個、および最も好ましくは約１５〜約６０個のエチレンオキシド単位、プロピレンオキシド単位またはブチレンオキシド単位を含む、ポリオキシエチレンセグメント、ポリオキシプロピレンセグメント、およびポリオキシブチレンセグメント、ならびにエチレンオキシド単位、プロピレンオキシド単位および／またはブチレンオキシド単位のランダムな配列または非ランダム配列が挙げられる。
【００３６】
好ましくは、上記会合性モノマーの疎水性末端基部分（ｉｉｉ）は、以下の炭化水素の分類の１つに属する炭化水素部分である：Ｃ８〜Ｃ４０直鎖アルキル、アリール置換Ｃ２〜Ｃ４０アルキル、Ｃ２〜Ｃ４０アルキル置換フェニル、Ｃ８〜Ｃ４０分枝鎖アルキル、Ｃ８〜Ｃ４０炭素環式アルキル；およびＣ８〜Ｃ８０複合エステル。
【００３７】
その会合性モノマーの適切な疎水性末端基部分（ｉｉｉ）の非限定的な例は、約８〜約４０個の炭素原子を有する直鎖または分枝鎖のアルキル基（例えば、カプリル（Ｃ８）、イソオクチル（分枝鎖Ｃ８）、デシル（Ｃ１０）、ラウリル（Ｃ１２）、ミリスチル（Ｃ１４）、セチル（Ｃ１６）、セテアリル（Ｃ１６〜Ｃ１８）、ステアリル（Ｃ１８）、イソステアリル（分枝鎖Ｃ１８）、アラキジル（Ｃ２０）、ベヘニル（Ｃ２２）、リグノセリル（Ｃ２４）、セロチル（Ｃ２６）、モンタニル（Ｃ２８）、メリシル（Ｃ３０）、ラセリル（Ｃ３２）など）である。
【００３８】
天然の供給源に由来する、約８〜約４０個の炭素原子を有する直鎖または分枝鎖のアルキル基の例としては、水素化ピーナッツ油、水素化大豆油および水素化キャノーラ油（全て主にＣ１８）、水素化獣脂油（Ｃ１６〜Ｃ１８）など；ならびに水素化Ｃ１０〜Ｃ３０テルペノール（例えば、水素化ゲラニオール（分枝鎖Ｃ１０）、水素化ファルネソール（分枝鎖Ｃ１５）、水素化フィトール（分枝鎖Ｃ２０）などに由来するアルキル基が挙げられるが、これらに限定されない。
【００３９】
適切なＣ２〜Ｃ４０アルキル置換フェニル基の非限定的な例としては、オクチルフェニル、ノニルフェニル、デシルフェニル、ドデシルフェニル、ヘキサデシルフェニル、オクタデシルフェニル、イソオクチルフェニル、ｓｅｃ−ブチルフェニルなどが挙げられる。
【００４０】
適切なＣ８〜Ｃ４０カルボン酸アルキル基としては、動物の供給源に由来するステロールから得られる基（例えば、コレステロール、ラノステロール、７−デヒドロコレステロールなど）；植物の供給源に由来するステロールから得られる基（例えば、フィトステロール、スティグマステロール、カンペステロール（ｃａｍｐｅｓｔｅｒｏｌ）など）；および酵母の供給源に由来するステロールから得られる基（例えば、エルゴステロール、ミコステロール（ｍｙｃｏｓｔｅｒｏｌ）などが挙げられるが、これらに限定されない。本発明に有用な他のカルボン酸アルキル疎水性末端基としては、シクロオクチル、シクロドデシル、アダマンチル、デカヒドロナフチル、および天然のカルボン酸物質から得られる基（例えば、ピネン、水素化レチノール、樟脳、イソボルニルアルコールなど）が挙げられるが、これらに限定されない。
【００４１】
例示的なアリール置換Ｃ２〜Ｃ４０アルキル基としては、スチリル（例えば、２−フェニルエチル）、ジスチリル（例えば、２，４−ジフェニルブチル）、トリスチリル（例えば、２，４，６−トリフェニルヘキシル）、４−フェニルブチル、２−メチル−２−フェニルエチル、トリスチリルフェノールイル（ｐｈｅｎｏｌｙｌ）などが挙げられるが、これらに限定されない。
【００４２】
適切なＣ８〜Ｃ８０複合エステルの非限定的な例としては、水素化ヒマシ油（主に、１２−ヒドロキシステアリン酸のトリグリセリド）；１，２−ジアシルグリセロール（例えば、１，２−ジステアリルグリセロール、１，２−ジパルミチルグリセロール、１，２−ジミリスチルグリセロールなど）；糖のジエステル、トリエステル、またはポリエステル（例えば、３，４，６−トリステアリルグルコース、２，３−ジラウリルフルクトースなど）；および例えば、Ｒｕｆｆｎｅｒらの米国特許第４，６００，７６１号に開示されるもののようなソルビタンエステル（これらの関連する開示は、本明細書中に参考として援用される）が挙げられる。
【００４３】
有用な会合性モノマーは、当該分野で公知である任意の方法により調製され得る。例えば、Ｃｈａｎｇらの米国特許第４，４２１，９０２号；Ｓｏｎｎａｂｅｎｄらの同第４，３８４，０９６号；Ｓｈａｙらの同第４，５１４，５５２号；Ｒｕｆｆｎｅｒらの同第４，６００，７６１号；Ｒｕｆｆｎｅｒの同第４，６１６，０７４号；Ｂａｒｒｏｎらの同第５，２９４，６９２号；Ｊｅｎｋｉｎｓらの同第５，２９２，８４３号；Ｒｏｂｉｎｓｏｎの同第５，７７０，７６０号；およびＷｉｌｋｅｒｓｏｎ，ＩＩＩらの同第５，４１２，１４２号（これらの関連する開示は、本明細書中に参考として援用される）を参照のこと。
【００４４】
好ましい会合性ビニルモノマーの例としては、以下の式（ＩＩＩ）：
【００４５】
【化３】
2007527946.tif 000002
を有するものが挙げられ、各Ｒ２は、独立して、Ｈ、メチル、−Ｃ（Ｏ）ＯＨ、または−Ｃ（Ｏ）ＯＲ３であり；Ｒ３は、Ｃ１〜Ｃ３０アルキルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは、二価アリールであり；Ｅは、Ｈまたはメチルであり；ｚは、０または１であり；ｋは、０〜約３０の範囲の整数であり、そしてｍは、０または１であり、ただし、ｋが０である場合、ｍが０であり、そしてｋが１〜約３０の範囲である場合、ｍが１であり；（Ｒ４−Ｏ）ｎは、ポリオキシアルキレンであり、このポリオキシアルキレンは、Ｃ２〜Ｃ４オキシアルキレン単位のホモポリマー、ランダムコポリマー、またはブロックコポリマーであり、Ｒ４は、Ｃ２Ｈ４、Ｃ３Ｈ６、Ｃ４Ｈ８、またはそれらの混合物であり、ｎは、約５〜約２５０の範囲、好ましくは約５〜約１００の範囲、より好ましくは約１０〜約８０の範囲、そして最も好ましくは約１５〜約６０の範囲の整数であり；Ｙは、−Ｒ４Ｏ−、−Ｒ４ＮＨ−、−Ｃ（Ｏ）−、−Ｃ（Ｏ）ＮＨ−、−Ｒ４ＮＨＣ（Ｏ）ＮＨ−、または−Ｃ（Ｏ）ＮＨＣ（Ｏ）−であり；そしてＲ５は、Ｃ８〜Ｃ４０直鎖アルキル、Ｃ８〜Ｃ４０分枝鎖アルキル、Ｃ８〜Ｃ４０炭素環式アルキル、Ｃ２〜Ｃ４０アルキル置換フェニル、アリール置換Ｃ２〜Ｃ４０アルキル、およびＣ８〜Ｃ８０複合エステルからなる群より選択される、置換アルキルまたは非置換アルキルであり；Ｒ５アルキル基は、必要に応じて、ヒドロキシル基、アルコキシ基、およびハロゲン基からなる群より選択される１つ以上の置換基を含む。
【００４６】
式（ＩＩＩ）の特に、好ましい会合性ビニルモノマーとしては、セチルポリエトキシ化メタクリレート（ＣＥＭ）、セテアリルポリエトキシ化メタクリレート（ＣＳＥＭ）、ステアリルポリエトキシ化（メタ）アクリレート、アラキジルポリエトキシ化（メタ）アクリレート、ベヘニルポリエトキシ化メタクリレート（ＢＥＭ）、ラウリルポリエトキシ化メタクリレート（ＬＥＭ）、セロチルポリエトキシ化（メタ）アクリレート、モンタニルポリエトキシ化（メタ）アクリレート、メリシルポリエトキシ化（メタ）アクリレート、ラセリルポリエトキシ化（メタ）アクリレート、トルスチリルフェノールポリエトキシ化メタクリレート（ＴＥＭ）、硬化ヒマシ油ポリエトキシ化メタクリレート（ＨＣＯＥＭ）、キャノーラポリエトキシ化（メタ）アクリレート、およびコレステロールポリエトキシ化メタクリレート（ＣＨＥＭ）が挙げられ、そのモノマーのポリエトキシ化部分は、約５〜約１００個、好ましくは約１０〜約８０個、およびより好ましくは約１５〜約６０個のエチレンオキシド反復単位を含む。
【００４７】
好ましくは、上記モノマー混合物中のＡＶモノマー成分は、モノマー混合物の総重量に基づいて、そのモノマー混合物の約０．００１〜約２５重量％を構成し、より好ましくは約０．０１〜約１５重量％を構成し、最も好ましくは約０．１〜約１０重量％を構成する。
【００４８】
（ＳＶＳモノマー）
驚くべきことに、半疎水性ビニル界面活性剤（ＳＶＳ）モノマー（これは、ポリオキシアルキレン鎖を含む）は、これを含むカチオン性の会合性ポリマーの会合特性を調節し得、従って、非常に望ましいテクスチャーおよびレオロジー特性を有する水性ゲルを生成することが見出された。理論に束縛されることを望まないが、このＳＶＳモノマーのポリオキシアルキレン基は、そのポリマー中の会合性モノマーの疎水性基の間の非特異的結合を妨げるかまたは遮蔽し、従って、そのポリマーの会合特性を減弱すると考えられる。このようなＳＶＳモノマーは、生じるポリマーの増粘効率を調整して、選択された用途に望ましいように、そのポリマーのレオロジー特性をカスタマイズし得る。最も驚くべきことに、このＳＶＳモノマーは、所望のレオロジー特性および美的特性を水性ゲルに与え、ＳＶＳモノマーを含まないカチオン性の会合性ポリマーよりも軟らかく、滑らかでかつより延展可能なゲルを提供することが見出された。
【００４９】
驚くべきことに、カチオン性の会合性ポリマーへのＳＶＳモノマーの組み込みは、低いずり応力下で粘性の減少を最小にするかまたは減少させ得、滑らかに流れるずり減粘プロフィールを提供し得る。
【００５０】
本明細書中で使用される場合、用語「半疎水性ビニル界面活性剤モノマー」および「ＳＶＳモノマー」とは、以下の２つの部分を有する化合物をいう：（ｉ）反応混合物の他のモノマーとの付加重合のための、エチレン性不飽和化末端基部分、および（ｉｉ）そのポリマーの疎水性基の間またはそのポリマーを含む組成物中の他の物質に由来する疎水性基の間の結合を弱めるための、ポリオキシアルキレン部分。ＳＶＳモノマーは、会合性モノマーに構造が類似しているが、実質的に非疎水性の末端基部分を有し、従って、このポリマーにいかなる会合特性も与えない。
【００５１】
付加重合のためのビニル基または他のエチレン性不飽和末端基を供給する不飽和末端基部分（ｉ）は、好ましくは、α，β−エチレン性不飽和モノカルボン酸もしくはα，β−エチレン性不飽和ジカルボン酸またはそれらの無水物、好ましくはＣ３モノカルボン酸もしくはＣ４モノカルボン酸またはＣ３ジカルボン酸もしくはＣ４ジカルボン酸、あるいはそれらの無水物に由来する。あるいは、その末端基部分（ｉ）は、アリルエーテル、ビニルエーテルまたは非イオン性不飽和ウレタンに由来し得る。
【００５２】
重合可能な不飽和末端基部分（ｉ）はまた、少なくとも１つの遊離カルボキシ官能基を含むＣ８〜Ｃ３０不飽和脂肪酸基に由来し得る。このＣ８〜Ｃ３０基は、この不飽和末端基部分（ｉ）の一部であり、その会合性モノマーに吊り下がる疎水性基とは異なり、親水性「スペーサー」部分により会合性モノマーの不飽和末端基から明確に分離される。
【００５３】
上記ポリオキシアルキレン部分（ｉｉ）は、詳細には、長鎖ポリオキシアルキレンセグメントを含み、このセグメントは、会合性モノマーの親水性部分と実質的に同様である。好ましいポリオキシアルキレン部分（ｉｉ）は、約５〜約２５０個、好ましくは約１０〜約１００個のオキシアルキレン単位を含む、ポリオキシエチレン単位、ポリオキシプロピレン単位、およびポリオキシブチレン単位を含む。上記ＳＶＳモノマーが、オキシアルキレン単位の１つを超える型を含む場合、この単位は、ランダム配列、非ランダム配列またはブロック配列で配置され得る。
【００５４】
好ましいＳＶＳモノマーは、以下の式（ＩＶ）または式（Ｖ）：
【００５５】
【化４】
2007527946.tif 000003
のいずれかを有するものを含み；式（ＩＶ）および式（Ｖ）の各々において、各Ｒ６は、独立して、Ｈ、Ｃ１〜Ｃ３０アルキル、−Ｃ（Ｏ）ＯＨ、または−Ｃ（Ｏ）ＯＲ７であり；Ｒ７は、Ｃ１〜Ｃ３０アルキルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは、二価アリールであり；Ｅは、Ｈまたはメチルであり；ｚは、０または１であり；ｐは、０〜約３０の範囲の整数であり、ｒは、０または１であり、ただし、ｐが０である場合、ｒが０であり、そしてｐが１〜約３０の範囲である場合、ｒが１であり；（Ｒ８−Ｏ）ｖは、ポリオキシアルキレンであり、このポリオキシアルキレンは、Ｃ２〜Ｃ４オキシアルキレン単位のホモポリマー、ランダムコポリマーまたはブロックコポリマーであり、Ｒ８は、Ｃ２Ｈ４、Ｃ３Ｈ６、Ｃ４Ｈ８、またはそれらの混合物であり、ｖは、約５〜約２５０の範囲、好ましくは約５〜約１００の範囲、より好ましくは約１０〜約８０の範囲、および最も好ましくは約１５〜約６０の範囲の整数であり；Ｒ９は、ＨまたはＣ１〜Ｃ４アルキルであり；そしてＤは、Ｃ８〜Ｃ３０不飽和アルキル、またはカルボキシ置換Ｃ８〜Ｃ３０不飽和アルキルである。
【００５６】
特に好ましいＳＶＳポリマーは、以下の化学式：
ＣＨ２＝ＣＨ−Ｏ（ＣＨ２）ａＯ（Ｃ３Ｈ６Ｏ）ｂ（Ｃ２Ｈ４Ｏ）ｃＨまたは
ＣＨ２＝ＣＨ−ＣＨ２Ｏ（Ｃ３Ｈ６Ｏ）ｄ（Ｃ２Ｈ４Ｏ）ｅＨ；
を有するモノマーを含み；ａは、好ましくは、２、３、または４であり；ｂは、好ましくは、１〜約１０の範囲、より好ましくは約２〜約８の範囲、最も好ましくは約３〜約７の範囲の整数であり；ｃは、好ましくは、約５〜約５０の範囲、より好ましくは約８〜約４０の範囲、最も好ましくは約１０〜約３０の範囲の整数であり；ｄは、好ましくは、１〜約１０の範囲、より好ましくは約２〜約８の範囲、最も好ましくは約３〜約７の範囲の整数であり；ｅは、好ましくは、約５〜約５０の範囲、より好ましくは約８〜約４０の範囲の整数である。
【００５７】
好ましいＳＶＳモノマーの例としては、以下の商品名が挙げられる：Ｃｌａｒｉａｎｔ  Ｃｏｒｐｏｒａｔｉｏｎによって販売される商品名ＥＭＵＬＳＯＧＥＮ（登録商標）Ｒ１０９、Ｒ２０８、Ｒ３０７、ＲＡＬ１０９、ＲＡＬ２０８、およびＲＡＬ３０７で市販されている重合可能な乳化剤；Ｂｉｍａｘ，Ｉｎｃ．によって販売されるＢＸ−ＡＡ−Ｅ５Ｐ５；ならびにＵｎｉｑｅｍａによって販売されるＭＡＸＥＭＵＬ（登録商標）５０１０および５０１１；ならびにそれらの組み合わせが挙げられる。特に好ましいＳＶＳモノマーとしては、ＥＭＵＬＳＯＧＥＮ（登録商標）Ｒ２０８、Ｒ３０７およびＲＡＬ３０７。
【００５８】
製造業者にしたがって、以下：ＥＭＵＬＳＯＧＥＮ（登録商標）Ｒ１０９は、実験式ＣＨ２＝ＣＨ−Ｏ（ＣＨ２）４Ｏ（Ｃ３Ｈ６Ｏ）４（Ｃ２Ｈ４Ｏ）１０Ｈを有する、無作為にエトキシ化／プロポキシ化した１，４−ブタンジオールビニルエーテルであり；ＥＭＵＬＳＯＧＥＮ（登録商標）Ｒ２０８は、実験式ＣＨ２＝ＣＨ−Ｏ（ＣＨ２）４Ｏ（Ｃ３Ｈ６Ｏ）４（Ｃ２Ｈ４Ｏ）２０Ｈを有する、無作為にエトキシ化／プロポキシ化した１，４−ブタンジオールビニルエーテルであり；ＥＭＵＬＳＯＧＥＮ（登録商標）Ｒ３０７は、実験式ＣＨ２＝ＣＨ−Ｏ（ＣＨ２）４Ｏ（Ｃ３Ｈ６Ｏ）４（Ｃ２Ｈ４Ｏ）３０Ｈを有する、無作為にエトキシ化／プロポキシ化した１，４−ブタンジオールビニルエーテルであり；ＥＭＵＬＳＯＧＥＮ（登録商標）ＲＡＬ１０９は、実験式ＣＨ２＝ＣＨＣＨ２Ｏ（Ｃ３Ｈ６Ｏ）４（Ｃ２Ｈ４Ｏ）１０Ｈを有する、無作為にエトキシ化／プロポキシ化したアリルエーテルであり；ＥＭＵＬＳＯＧＥＮ（登録商標）ＲＡＬ２０８は、実験式ＣＨ２＝ＣＨＣＨ２Ｏ（Ｃ３Ｈ６Ｏ）４（Ｃ２Ｈ４Ｏ）２０Ｈを有する、無作為にエトキシ化／プロポキシ化したアリルエーテルであり；ＥＭＵＬＳＯＧＥＮ（登録商標）ＲＡＬ３０７は、実験式ＣＨ２＝ＣＨＣＨ２Ｏ（Ｃ３Ｈ６Ｏ）４（Ｃ２Ｈ４Ｏ）３０Ｈを有する、無作為にエトキシ化／プロポキシ化したアリルエーテルであり；ＭＡＸＥＭＵＬ（登録商標）５０１０は、約２４個のエチレンオキシド単位でエトキシ化されている、カルボキシ官能性Ｃ１２〜Ｃ１５アルケニル疎水性物質であり；ＭＡＸＥＭＵＬ（登録商標）５０１１は、約３４個のエチレンオキシド単位でエトキシ化されている、カルボキシ官能性Ｃ１２〜Ｃ１５アルケニル疎水成分であり；そしてＢＸ−ＡＡ−Ｅ５Ｐ５は、実験式ＣＨ２＝ＣＨＣＨ２Ｏ（Ｃ３Ｈ６Ｏ）５（Ｃ２Ｈ４Ｏ）５Ｈを有する、無作為にエトキシ化／プロポキシ化されたアリルエーテルである。
【００５９】
本発明のカチオン性の会合性ポリマーの調製において利用されるＳＶＳモノマーの量は、広範に変化し得、とりわけ、上記ポリマーにおいて望まれる最終的なレオロジー特性に依存する。利用される場合、上記モノマー反応混合物は、好ましくは、モノマー混合物の総重量に基づいて、少なくとも約０．０１重量％の１種以上のＳＶＳモノマー、より好ましくは少なくとも約０．１重量％の１種以上のＳＶＳモノマーを含む。上記モノマー混合物は、モノマー混合物の総重量に基づいて、好ましくは、ＳＶＳモノマーの約２５重量％以下、より好ましくは約１０重量％以下を構成する。
【００６０】
（ＨＳＮＶモノマー）
本発明のカチオン性の会合性ポリマーは、必要に応じて、ヒドロキシ置換非イオン性ビニルモノマーを含むモノマー混合物から、調製され得る。ＨＳＮＶモノマーは、１つ以上のヒドロキシ置換基を含むエチレン性不飽和モノマーである。
【００６１】
適切なＨＳＮＶモノマーの例としては、ヒドロキシ置換（Ｃ１〜Ｃ４）アルキル（メタ）アクリレート（例えば、２−ヒドロキシエチルメタクリレート（ＨＥＭＡ）、２−ヒドロキシエチルアクリレート（２−ＨＥＡ）、３−ヒドロキシプロピルアクリレートなど）；ヒドロキシ置換（Ｃ１〜Ｃ４）アルキル（メタ）アクリルアミド（例えば、Ｎ−（２−ヒドロキシエチル）メタクリルアミド、Ｎ−（２−ヒドロキシエチル）アクリルアミド、Ｎ−（３−ヒドロキシプロピル）アクリルアミド、Ｎ−（２，３−ジヒドロキシプロピル）アクリルアミドなど）が挙げられるが、これらに限定されない。他の有用なＨＳＮＶモノマーとしては、アリルアルコール、グリセロールモノアリルエーテル、３−メチル−３−ブテン−１−オール、ならびにビニルアルコール前駆体およびビニルアルコールの等価物（例えば、ビニルアセテート）が挙げられる。
【００６２】
利用される場合、上記モノマー反応混合物は、好ましくは、モノマー混合物の総重量に基づいて、約１０重量％までの量で、１種以上のＨＳＮＶモノマーを含む。好ましい実施形態において、上記混合物中のＨＳＮＶモノマーの量は、モノマー混合物の総重量に基づいて、約０．０１〜約１０重量％の範囲であり、より好ましくは約１〜約８重量％の範囲であり、最も好ましくは約１〜約５重量％の範囲である。
【００６３】
（ＸＬモノマー）
本発明のカチオン性の会合性モノマーは、分枝を導入し、そして分子量を制御するための１つ以上の架橋モノマーを含むモノマー混合物から調製され得る。適切なポリ不飽和架橋剤は、当該分野で周知である。形成されたコポリマーを、重合が起こる前、起こる間、または起こった後に架橋させ得る反応基を保有するモノ不飽和化合物もまた、利用され得る。他の有用な架橋モノマーとしては、複数の反応基（例えば、エポキシド基、イソシアネート基、および加水分解可能なシラン基）を含む多官能性モノマーが挙げられる。種々のポリ不飽和化合物が、部分的にか、または実質的にかのいずれかで架橋した３次元ネットワークを生成するために利用され得る。
【００６４】
適切なポリ不飽和架橋モノマー成分の例としては、以下が挙げられるが、これらに限定されない：ポリ不飽和芳香族モノマー（例えば、ジビニルベンゼン、ジビニルナフチレン、およびトリビニルベンゼン）；ポリ不飽和脂環式モノマー（例えば、１，２，４−トリビニルシクロヘキサン）；フタル酸の二官能性エステル（例えば、ジアリルフタレート）；ポリ不飽和脂肪族モノマー（例えば、ジエン、トリエン、およびテトラエン（イソプレン、ブタジエン、１，５−ヘキサジエン、１，５，９−デカトリエン、１，９−デカジエン、１，５−ヘプタジエンが挙げられる）など。
【００６５】
他の適切なポリ不飽和架橋モノマーとしては、以下が挙げられる：ポリアルケニルエーテル（例えば、トリアリルペンタエリスリトール、ジアリルペンタエリスリトール、ジアリルスクロース、オクタアリルスクロース、およびトリメチロールプロパンジアリルエーテル；ポリアルコールもしくはポリ酸のポリ不飽和エステル（例えば、１，６−ヘキサンジオールジ（メタ）アクリレート、テトラメチレントリ（メタ）アクリレート、アリルアクリレート、ジアリルイタコネート、ジアリルフマレート、ジアリルマレエート、トリメチロールプロパントリ（メタ）アクリレート、トリメチロールプロパンジ（メタ）アクリレート、およびポリエチレングリコールジ（メタ）アクリレート）；アルキレンビスアクリルアミド（例えば、メチレンビスアクリルアミド、プロピレンビスアクリルアミドなど）；メチレンビスアクリルアミドのヒドロキシ誘導体およびカルボキシ誘導体（例えば、Ｎ，Ｎ’−ビスメチロールメチレンビスアクリルアミド）；ポリエチレングリコールジ（メタ）アクリレート（例えば、エチレングリコールジ（メタ）アクリレート、ジエチレングリコールジ（メタ）アクリレート、およびトリエチレングリコールジ（メタ）アクリレート）；ポリ不飽和シラン（例えば、ジメチルジビニルシラン、メチルトリビニルシラン、アリルジメチルビニルシラン、ジアリルジメチルシラン、およびテトラビニルシラン）；ポリ不飽和スタナン（例えば、テトラアリルスズ、およびジアリルジメチルスズ）などが挙げられる。
【００６６】
反応基を保有する有用なモノ不飽和化合物としては、以下が挙げられる：Ｎ−メチロールアクリルアミド；Ｎ−アルコキシ（メタ）アクリルアミド（このアルコキシ基は、Ｃ１〜Ｃ１８アルコキシである）；および不飽和加水分解性シラン（例えば、トリエトキシビニルシラン、トリス−イソプロポキシビニルシラン、および３−トリエトキシシリルプロピルメタクリレート）など。
【００６７】
複数の反応基を含む有用な多官能性架橋モノマーとしては、以下が挙げられるが、これらに限定されない：加水分解性シラン（例えば、エチルトリエトキシシランおよびエチルトリメトキシシラン）；エポキシ置換加水分解性シラン（例えば、２−（３，４−エポキシシクロヘキシル）エチルトリエトキシシランおよび３−グリシドプロピルトリメトキシシラン（ｍｅｔｈｙｏｘｙｓｉｌａｎｅ））；ポリイソシアネート（例えば、１，４−ジイソシアナトブタン、１，６−ジイソシアナトヘキサン、１，４−フェニレンジイソシアネートおよび４，４’−オキシビス（フェニルイソシアネート）；不飽和エポキシド（例えば、グリシジルメタクリレートおよびアリルグリシジルエーテル）；ポリエポキシド（例えば、ジグリシジルエーテル、１，２，５，６−ジエポキシヘキサン、およびエチレングリコールジグリシジルエーテル）など。
【００６８】
特に有用なのは、エトキシ化ポリオール（例えば、ジオール、トリオール、およびビスフェノール）に由来するポリ不飽和架橋剤であって、１モルのヒドロキシ官能基あたり約２〜約１００モルのエチレンオキシドでエトキシ化されており、そして重合性不飽和基（例えば、ビニルエーテル、アリルエーテル、アクリレートエステル、メタクリレートエステルなど）でエンドキャップ化（ｅｎｄ−ｃａｐ）されているものである。このような架橋剤の例としては、ビスフェノールＡエトキシ化ジメタクリレート；ビスフェノールＦエトキシ化ジメタクリレート、エトキシ化トリメチロールプロパントリメタクリレートなどが挙げられる。本発明のカチオン性の会合性ポリマーにおいて有用な他のエトキシ化架橋剤としては、Ｚａｎｏｔｔｉ−Ｒｕｓｓｏの米国特許第６，１４０，４３５号（この関連する開示は、本明細書中に参考として援用される）に開示されるエトキシ化ポリオール誘導性架橋剤が挙げられる。
【００６９】
特に好ましいＸＬモノマーの例は、少なくとも２つのアクリレートエステル基またはメタクリレートエステル基を有するポリオールのアクリレートエステルおよびメタクリレートエステル（例えば、トリメチロールプロパントリアクリレート（ＴＭＰＴＡ）、トリメチロールプロパンジメタクリレート、トリエチレングリコールジメタクリレート（ＴＥＧＤＭＡ）、エトキシ化（３０）ビスフェノールＡジメタクリレート（ＥＯＢＤＭＡ）など）である。
【００７０】
利用される場合、架橋モノマーは、上記モノマー反応混合物中に、モノマー混合物の総重量に基づいて、約５重量％までの量で存在する。好ましい実施形態において、上記ＸＬモノマーは、モノマー混合物の総重量に基づいて、そのモノマー混合物の約０．０１〜約３重量％の範囲、より好ましくは約０．０５〜約２重量％の範囲、最も好ましくは約０．１〜約１重量％の範囲の量で存在する。
【００７１】
（連鎖移動剤）
本発明のカチオン性の会合性ポリマーは、必要に応じて、ポリマーの分野で周知である１種以上の連鎖移動剤を含むモノマー混合物から調製され得る。
【００７２】
本発明に使用するために適切な連鎖移動剤は、種々のチオ含有化合物およびジスルフィド含有化合物（例えば、Ｃ１〜Ｃ１８アルキルメルカプタン、メルカプトカルボン酸、メルカプトカルボン酸エステル、チオエステル、Ｃ１〜Ｃ１８アルキルジスルフィド、アリールジスルフィド、多官能性チオールなど）；亜リン酸塩および次亜リン酸塩；ハロアルキル化合物（例えば、四塩化炭素、ブロモトリクロロメタンなど）、ならびに不飽和連鎖移動剤（例えば、α−メチルスチレン）から選択されるが、これらに限定されない。
【００７３】
多官能性チオールとしては、三官能性チオール（例えば、トリメチロールプロパン−トリス−（３−メルカプトプロピオネート）、四官能性チオール（例えば、ペンタエリスリトール−テトラ−（３−メルカプトプロピオネート）、ペンタエリスリトール−テトラ−（チオグリコレート）、およびペンタエリスリトール−テトラ−（チオラクテート）；六官能性チオール（例えば、ジペンタエリスリトール−ヘキサ−（チオグリコレート）などが挙げられる。
【００７４】
あるいは、上記連鎖移動剤は、ビニルモノマーのフリーラジカル重合の間の付加ポリマーの分子量を減らす、任意の触媒連鎖移動剤であり得る。触媒連鎖移動剤の例としては、例えば、コバルト錯体（例えば、コバルト（ＩＩ）キレート）が挙げられる。触媒連鎖移動剤は、多くの場合、チオールベースのＣＴＡと比較して相対的に低い濃度で利用され得る。
【００７５】
好ましい連鎖移動剤の例としては、オクチルメルカプタン、ｎ−ドデシルメルカプタン、ｔ−ドデシルメルカプタン、ヘキサデシルメルカプタン、オクタデシルメルカプタン（ＯＤＭ）、イソオクチル３−メルカプトプロピオネート（ＩＭＰ）、ブチル３−メルカプトプロピオネート、３−メルカプトプロピオン酸、ブチルチオグリコレート、イソオクチルチオグリコレート、ドデシルチオグリコレートなどが挙げられる。連鎖移動剤は、好ましくは、モノマー混合物の総重量に基づいて、重合性モノマー混合物の約１０重量％までの量で、モノマー反応混合物に添加され得る。存在する場合、この連鎖移動剤は、好ましくは、モノマーの総重量に基づいて、少なくとも約０．１重量％を構成する。
【００７６】
本発明のカチオン性の会合性ポリマーは、ポリマーの分野で公知であるように、従来の重合技術（例えば、乳化重合）によって製造され得る。この重合は、単一バッチプロセスとして行われても計量添加プロセスとして行われてもよく、またはこの反応は、小さいバッチとして開始されても、その後、上記モノマーのバルクが、反応器中に継続的に計量されてもよい（シードプロセス）。代表的には、この重合プロセスは、約２０℃〜約８０℃の範囲の反応温度で実行されるが、より高温またはより低温が使用され得る。このモノマー混合物の乳化を促進するために、乳化重合が、少なくとも１種の界面活性剤の存在下で実行される。好ましくは、乳化重合は、エマルジョンの総重量に基づいて、約１〜約１０重量％、より好ましくは約３〜約８重量％の範囲、最も好ましくは約５〜約７重量％の範囲の量の界面活性剤の存在下で、実行される。乳化重合反応混合物はまた、モノマーの総重量に基づいて、約０．０１〜約３重量％の範囲の量で、１種以上のフリーラジカル開始剤を含む。この重合は中性ｐＨ〜弱アルカリ性ｐＨにおいて、水性媒体または水性アルコール媒体中で行われ得る。
【００７７】
代表的な重合において、モノマーの混合物が、適切な量の水中の乳化界面活性剤（例えば、非イオン性界面活性剤（好ましくは直鎖アルコールエトキシレート、もしくは分枝鎖アルコールエトキシレート）または非イオン性界面活性剤とアニオン性界面活性剤（例えば、脂肪アルコールサルフェートもしくはアルキルスルホネート）との混合物）の溶液に、適切な反応器中で混合攪拌しながら添加されて、モノマーエマルジョンが調製される。このエマルジョンは、簡便な任意の方法により（例えば、窒素を噴霧することにより）脱酸素化され、その後、重合反応が、乳化重合の分野において周知であるように、重合触媒（開始剤）（例えば、過硫酸ナトリウム）または他の適切な任意の付加重合触媒を添加することによって開始される。この反応は、重合が完了するまで、代表的には約４時間〜約１６時間の範囲の時間、攪拌される。上記モノマーエマルジョンは、望ましい場合、開始剤の添加前に、約２０℃〜約８０℃の範囲の温度まで加熱され得る。未反応のモノマーは、乳化重合の分野で周知であるように、より多くの触媒の添加によって排除され得る。その後、生じたポリマーのエマルジョン生成物は、反応器から排出され得、そして貯蔵または使用のためにパッケージ化され得る。必要に応じて、このエマルジョンのｐＨまたは他の物理的特性および化学的特性は、その反応器からの排出前に調整され得る。代表的には、生成物エマルジョンは、約１０重量％〜約４０重量％の範囲の総固形物含量を有する。代表的には、この生成物エマルジョンのポリマーの総含有量は、約１５重量％〜約３５重量％の範囲、一般的には、約２５重量％以下である。
【００７８】
乳化重合を促進するために適切な界面活性剤としては、非イオン性界面活性剤、アニオン性界面活性剤、両性カチオン性界面活性剤、およびそれらの混合物が挙げられる。最も一般的には、非イオン性界面活性剤およびアニオン性界面活性剤、またはそれらの混合物が、利用される。中和されたポリマーの物理的特性（例えば、粘性、延展性、透明性、テクスチャーなど）は、当該分野で周知であるように、乳化界面活性剤の疎水特性および親水特性の適切な選択によって変化し得る。
【００７９】
乳化重合を促進するために適切な非イオン性界面活性剤は、ポリマーの分野で周知であり、そしてそれらとしては、直鎖アルコールエトキシレートもしくは分枝鎖アルコールエトキシレート、Ｃ８〜Ｃ１２アルキルフェノールアルコキシレート（例えば、オクチルフェノールエトキシレート）、ポリオキシエチレンポリオキシプロピレンブロックコポリマーなどが挙げられるが、これらに限定されない。他の有用な非イオン性界面活性剤としては、ポリオキシエチレングリコールのＣ８〜Ｃ２２脂肪酸エステル、モノグリセリドおよびジグリセリド、ソルビタンエステル、およびエトキシ化ソルビタンエステル、Ｃ８〜Ｃ２２脂肪酸グルコールエステル、エチレンオキシドとプロピレンオキシドとのブロックコポリマー（約１５より大きいＨＬＢ値を有する）、エトキシ化オクチルフェノール、ならびにそれらの組み合わせが挙げられる。
【００８０】
好ましいアルキルフェノールアルコキシレート界面活性剤としては、Ｒｈｏｄｉａ，Ｉｎｃ．により商品名ＩＧＥＰＡＬ（登録商標）ＣＡ−８９７として販売されるオクチルフェノールが挙げられる。好ましい直鎖アルコールアルコキシレートとしては、ＢＡＳＦ  Ｃｏｒｐ．により商品名ＰＬＵＲＡＦＡＣ（登録商標）Ｃ−１７、ＰＬＵＲＡＦＡＣ（登録商標）Ａ−３８およびＰＬＵＲＡＦＡＣ（登録商標）Ａ−３９として販売されるセテアリルアルコール（セチルアルコールとステアリルアルコールとの混合物）のポリエチレングリコールエーテルが挙げられる。好ましいポリオキシエチレンポリオキシプロピレンブロックコポリマーとしては、ＢＡＳＦ  Ｃｏｒｐ．により商品名ＰＬＵＲＯＮＩＣ（登録商標）Ｆ１２７およびＰＬＵＲＯＮＩＣ（登録商標）Ｌ３５として販売されるコポリマーが挙げられる。
【００８１】
他の好ましい非イオン性界面活性剤としては、エトキシ化（５０）直鎖脂肪アルコール（例えば、ＤＩＳＰＯＮＩＬ（登録商標）Ａ  ５０６０（Ｃｏｇｎｉｓ））、分枝鎖アルキルエトキシレート（例えば、ＧＥＮＡＰＯＬ（登録商標）Ｘ  １００５（Ｃｌａｒｉａｎｔ  Ｃｏｒｐ．）、二級Ｃ１２〜Ｃ１４アルコールエトキシレート（例えば、ＴＥＲＧＩＴＯＬ（登録商標）Ｓ１５−３０およびＳ１５−４０（Ｄｏｗ  Ｃｈｅｍｉｃａｌ  Ｃｏ．））、エトキシ化オクチルフェノールベースの界面活性剤（例えば、ＴＲＩＴＯＮ（登録商標）Ｘ−３０５、Ｘ−４０５およびＸ−７０５（Ｄｏｗ  Ｃｈｅｍｉｃａｌ  Ｃｏ．）、ＩＧＥＰＡＬ（登録商標）ＣＡ  ４０７、８８７および８９７（Ｒｈｏｄｉａ，Ｉｎｃ．）、ＩＣＯＮＯＬ（登録商標）ＯＰ  ３０７０および４０７０（ＢＡＳＦ  Ｃｏｒｐ．）、ＳＹＮＰＥＲＯＮＩＣ（登録商標）ＯＰ  ３０および４０（Ｕｎｉｑｅｍａ））、エチレンオキシドとプロピレンオキシドとのブロックコポリマー（例えば、ＰＬＵＲＯＮＩＣ（登録商標）Ｌ３５およびＦ１２７（ＢＡＳＦ  Ｃｏｒｐ．））、ならびに二級Ｃ１１アルコールエトキシレート（例えば、ＥＭＵＬＳＯＧＥＮ（登録商標）ＥＰＮ  ４０７（Ｃｌａｒｉａｎｔ  Ｃｏｒｐ．））が挙げられる。多数の他の供給業者が、営業用文献において見出される。
【００８２】
乳化重合を促進するのに適切なアニオン性界面活性剤は、ポリマーの分野で周知であり、そしてそれらとしては、ラウリル硫酸ナトリウム、ドデシルベンゼンスルホン酸ナトリウム、ジオクチルスルホコハク酸ナトリウム、ジ−ｓｅｃ−ブチルナフチレンスルホン酸ナトリウム、ドデシルジフェニルエーテルスルホン酸二ナトリウム、およびｎ−オクタデシルスルホコハク酸二ナトリウムなどが挙げられる。
【００８３】
本発明の乳化重合プロセスのために適切なポリマー安定化剤（いわゆる保護コロイド）は、水溶性ポリマー（例えば、合成ポリマー（例えば、ポリビニルアルコール、部分的に加水分解したポリビニルアセテート、ポリビニルピロリドン、ポリアクリルアミド、ポリメタクリルアミド、カルボキシレート官能性付加ポリマー、ポリアルキルビニルエーテルなど）が挙げられる）；天然の水溶性ポリマー（例えば、ゼラチン、ペクチン、アルギネート、カゼイン、スターチなど）；ならびに改変天然ポリマー（例えば、メチルセルロース、ヒドロキシプロピルセルロース、カルボキシメチルセルロース、アリル改変ヒドロキシエチルセルロースなど）が挙げられる。いくつかの場合において、合成保護コロイドと天然保護コロイドとの混合物（例えば、ポリビニルアルコールとカゼインとの混合物）を使用することは、有利であり得る。さらなる適切な天然ポリマーは、混合エーテル（例えば、メチルヒドロキシエチルセルロースおよびカルボキシメチルメチルセルロース）である。ポリマー安定化剤は、エマルジョンの総重量に基づいて、約２重量％までの量で利用され得る。利用される場合、ポリマー安定化剤は、好ましくは、約０．０００１〜約１重量％の範囲、より好ましくは約０．０１〜約０．５重量％の範囲の量で含まれる。
【００８４】
本発明に従って使用されるポリマー安定化剤は、それが任意の比率で水中で混和性であるか、または２０℃の水中で少なくとも約０．１重量％の溶解性を有しかつ上述の温度の水を用いる希釈によってこれらの水溶液から沈殿しない場合に、水溶性であると称される。水溶性合成ポリマー安定化剤の分子量は、代表的には、約５，０００〜約２，０００，０００ダルトン、好ましくは約２５，０００〜約１，５００，０００ダルトンの範囲にある。このポリマー安定化剤の水溶液の粘性は、代表的には、約２〜約１０重量％の濃度および約２０℃の温度にて、約１〜約１０，０００ｍＰａ・ｓの範囲にある。
【００８５】
特に好ましいポリマー安定化剤は、アルキル改変ヒドロキシエチルセルロース（例えば、Ｃｌａｒｉａｎｔから入手可能なＴＹＬＯＳＥ（登録商標）ＡＭ−ＨＥＣ等級）である。側鎖の反応性アリル基は、安定なエマルジョンを生じるセルロースエーテルの接合力を増加させる。好ましいＴＹＬＯＳＥ（登録商標）安定化剤は、アリル改変ヒドロキシエチルセルロース粉末（粒径＜１８０μｍ）のＴＹＬＯＳＥ（登録商標）ＡＭ  Ｈ４０  ＹＰ２（ＡＭＨＥＣ）である。
【００８６】
例示的な好ましいフリーラジカル開始剤としては、水性無機過硫酸化合物（例えば、過硫酸アンモニウム、過硫酸カリウム、および過硫酸ナトリウム）；過酸化物（例えば、過酸化水素、過酸化ベンジル、過酸化アセチル、および過酸化ラウリル）；有機ヒドロペルオキシド（例えば、クメンヒドロペルオキシドおよびｔ−ブチルヒドロキシペルオキシド；有機過酸（例えば、過酢酸）；および油溶性のフリーラジカル生成剤（例えば、２，２’−アゾビスイソブチロニトリルなど）、ならびにそれらの混合物が挙げられる。過酸化物および過酸は、必要に応じて、還元剤（例えば、二硫酸ナトリウムまたはアスコルビン酸、遷移金属、ヒドラジンなど）を用いて活性化され得る。特に適切なフリーラジカル重合開始剤としては、アルキル基上に水溶性置換基を有する、２’２−アゾビス（ｔｅｒｔ−アルキル）化合物のような水性アゾ重合開始剤が挙げられる。好ましいアゾ重合化触媒としては、ＤｕＰｏｎｔから入手可能な、ＶＡＺＯ（登録商標）フリーラジカル重合開始剤（例えば、ＶＡＺＯ（登録商標）４４（２，２’−アゾビス（２−（４，５−ジヒドロイミダゾリル）プロパン）、ＶＡＺＯ（登録商標）５６（２，２’−アゾビス（２−メチルプロピオンアミジン）ジヒドロクロリド）、およびＶＡＺＯ（登録商標）６８（４，４’−アゾビス（４−シアノ吉草酸））が挙げられる。
【００８７】
必要に応じて、エマルジョン重合の分野で周知である他のエマルジョン重合添加物（例えば、溶媒、緩衝剤、キレート剤、無機電解質、連鎖停止剤、およびｐＨ調整剤）が、重合系に含まれ得る。
【００８８】
本発明のカチオン性の会合性ポリマーおよびカチオン性のエマルジョンポリマーの調製のための好ましい一般的な乳化重合手順は、概略的に以下に提供される。
【００８９】
モノマーエマルジョンは、好ましくは、窒素吸入口および攪拌器を備える反応器において、乳化量の非イオン性界面活性剤、または非イオン性界面活性剤とアニオン性界面活性剤との混合物を含むある量の水中で、窒素雰囲気下にて、混合攪拌しながら所望の量の各モノマーを組み合わせることによって、調製される。この型のモノマー混合物からエマルジョンを形成するのに必要とされる攪拌の程度は、当業者に周知である。そのように形成されたエマルジョンは、当該分野で公知である任意の適切な方法によって（例えば、窒素を噴霧することによって）実質的に脱酸素化され、次いでフリーラジカル開始剤が、混合攪拌を続けながらエマルジョンに添加され、重合が開始される。エマルジョンの温度は、望まれる場合、開始剤の添加前または添加後に、約２０〜約６０℃の範囲の温度に調節され得る。開始剤の添加後、重合反応混合物の温度は、代表的に、約６０〜８０℃の範囲の温度に調節され、重合を完了するのに十分な時間（代表的には、約３〜約１４時間の範囲）にわたってこのような温度に保持される。必要に応じて、未反応の残留モノマーは分解されるか、または種々の酸化還元試薬または触媒の添加によってさらに重合され得る。生じたポリマーエマルジョンは、次いで冷却され、そして反応器から排出され回収され得る。
【００９０】
ポリマーの分野における当業者は、各モノマー成分の量が、任意の所望されるモノマー成分の比を有するポリマーを得るために調節され得ることを認識する。望まれる場合、水の変化する比率もまた、利用され得る。水混和性の溶媒（例えば、アルコール）、および上記されるような他の重合添加物もまた、その反応混合物中に含まれ得る。好ましいアルコールとしては、グリコール（例えば、エチレングリコール、プロピレングリコール、ブチレングリコール、へキシレングリコール、グリセロールなど）が挙げられる。
【００９１】
生成物ポリマーエマルジョンは、好ましくは、そのポリマーの重量に基づいて、約１％〜約６０％の総ポリマー固形物を含み、好ましくは約１０％〜約４０％の総ポリマー固形物を含み、最も好ましくは約１５％〜約２５％の総ポリマー固形物を含むように調製され得る。
【００９２】
任意の中和の前に、このポリマーエマルジョンは、生成される場合、代表的に約７．５またはそれより大きいの範囲のｐＨ、室温環境で約１００ｍＰａ・ｓ以下のＢｒｏｏｋｆｉｅｌｄ粘度（スピンドル番号２、２０ｒｐｍ）、そして以下の方法Ｄによって測定される場合に約３００ｎｍ以下の粒子サイズを有する。
【００９３】
必要に応じて、この生成されたカチオン性の会合性ポリマーエマルジョンは、酸性のｐＨが所望される場合、酸性物質（好ましくは、有機酸、鉱酸など）を用いて、そのｐＨを、好ましくは約１〜約７以下の範囲の値に調節することによってさらに処理され得る。カチオン性の会合性ポリマーエマルジョンは、代表的には、膨潤して、滑らかな粘稠性の溶液（流動性でありかつ噴霧可能である）を形成するか、または中性〜酸性のｐＨでゲルを形成し、そしてこのポリマーは、一般的に、このようなｐＨ値で実質的に安定である。カチオン性の会合性ポリマーエマルジョンは、水もしくは溶媒で希釈され得るか、または水の部分を蒸発させることによって濃縮され得る。あるいは、得られたカチオン性の会合性ポリマーエマルジョンは、当該分野で周知である設備（例えば、噴霧乾燥機、ドラム乾燥機、凍結乾燥器など）を利用することによって粉末または結晶質形態まで実質的に乾燥され得る。
【００９４】
本発明のカチオン性の会合性ポリマーは、エマルジョンの重合によって調製され得、そして必要とされる場合、種々の公知の添加物および慣習的なアジュバントおよび水以外の溶媒を液体のカチオン性の会合性ポリマーエマルジョン製品に組み込むことに利用されて、このカチオン性の会合性ポリマーの性能もしくは特性を変更することまたはそれらに悪影響を与えることなく、最終組成物の使用のために意図された形態を達成し得る。あるいは、このカチオン性の会合性ポリマーは、慣習的な混合装置を使用して、処方物（好ましくは液体形態である）に成分として組み込まれ得る。
【００９５】
本発明の好ましいカチオン性の会合性ポリマーは、脱イオン水中で約２重量％の濃度、約１〜約７の範囲のｐＨで中和形態または酸性形態であり、これは、約３００ｍＰａ・ｓ〜約１００，０００ｍＰａ・ｓ以上の範囲のＢｒｏｏｋｆｉｅｌｄ粘度（Ｂｒｏｏｋｆｉｅｌｄ  ＲＶＴ、２０ｒｐｍ、約２５℃の室温環境）を提供し得る。
【００９６】
本発明の多目的なカチオン性の会合性ポリマーは、化学的活性成分および生理学的活性成分および化粧品用物質の有効性、沈着または送達を高めるための乳化剤、安定剤、懸濁剤、フィルム形成剤、コンディショナー、保湿剤、延展助剤およびキャリアとして、ならびにこれらが含まれる処方物の精神感覚特性および審美的特性を改善するためのビヒクルとして使用され得る。カチオン性の会合性ポリマーのカチオン性の特徴は、それらが静電防止剤として有用であるようにし、そして特定の条件下ではまた、殺生物活性、静菌活性、防腐活性、および抗菌活性を提供し得る。このカチオン性の会合性ポリマーは、パーソナルケア、ヘルスケア、家庭用ケア、施設用および産業用（まとめて、「Ｉ＆Ｉ」）のケアのための種々の製品、ならびに医療用途および産業用途のための種々の製品に利用され得る。カチオン性の会合性ポリマーは、好ましくは、非アルカリ性（すなわち、ｐＨが酸性〜実質的に中性）である組成物中に組み込まれるが、これらに限定されない。
【００９７】
使用され得るカチオン性の会合性ポリマーの量は、このポリマーが処方物中に含まれる目的に依存し、そしてこの量は、処方物の分野の当業者によって容易に決定され得る。従って、カチオン性の会合性ポリマーを含む組成物の物理化学的特性および機能的特性が達成される限り、カチオン性の会合性ポリマーの有用な量（活性重量％）は、組成物の総重量に基づいて、代表的には約０．０１％〜約２５％の範囲で変動し得るが、これらに限定されない。従って、所定の組成物または適用において、以下でより詳細に記載されるように、本発明のカチオン性の会合性ポリマーは、必ずではないが、１つより多い機能（例えば、増粘剤およびコンディショナー、フィルム形成剤ならびにキャリアなど）を担い得る。
【００９８】
本発明のポリマーは、水中油もしくは油中水の形成または多相エマルジョンプロセスの間の任意の工程において、処方物中にポリマーを組み込むことによって、慣習的なエマルジョン処方物においてレオロジー改変剤またはエマルジョン安定化剤として使用され得る。例えば、水性エマルジョン製品として供給されるポリマーは、水相の成分と一緒に含まれ得る。１つの好ましいエマルジョン実施形態において、このポリマーは、最終エマルジョンが形成され、そして冷却された後に処方物に添加され、所望の粘性に至る酸膨潤を最適化するために、有機酸または鉱酸を用いてｐＨを下げるように調整し、次いで所望のｐＨに最終組成物を調整する。酸膨潤したカチオン性の会合性ポリマーを含む完成した組成物または処方物のｐＨが、その処方物の意図される用途に必要とされるよりも酸性である場合、このｐＨは、任意の、好ましくは生理学的に許容可能な、無機塩基または任意の有機塩基を用いて、さらに調整され得る。
【００９９】
カチオン性の会合性ポリマーを含む組成物は、パッケージ化され、そして容器（例えば、ジャー、ボトル、チューブ、スプレーボトル、ワイプ（ｗｉｐｅ）、缶、ロールオン容器、棒状容器など）から分配される。カチオン性の会合性ポリマーが組み込まれ得る製品の形態には制限はなく、この製品が使用される目的である限り達成される。例えば、カチオン性の会合性ポリマーを含むパーソナルケア製品およびヘルスケア製品は、皮膚、毛髪、頭皮および爪に、ゲル、スプレー（液体または泡）、エマルジョン（クリーム、ローション、ペースト）、液体（リンス、シャンプー）、バー（ｂａｒ）、軟膏、坐剤、含浸ワイプ、パッチなどの形態で塗布され得るが、これらに限定されない。
【０１００】
本発明のカチオン性の会合性ポリマーは、パーソナルケア製品（化粧品、トイレタリー、薬用化粧品）および局所的ヘルスケア製品の調製のために適切であり、これらの製品としては、以下が挙げられるが、これらに限定されない：ヘアケア製品（例えば、シャンプー（「２−イン−１（ｔｗｏ−ｉｎ−ｏｎｅ）」のようなコンビネーションシャンプーが挙げられる）；シャンプー後のリンス；セットおよびスタイルを維持する薬剤（セット補助剤（例えば、ジェルおよびスプレー）、毛を整えるための（ｇｒｏｏｍｉｎｇ）補助剤（例えば、ポマード、コンディショナー、パーマ、縮毛矯正剤、髪を滑らかにする製品（ｈａｉｒ  ｓｍｏｏｔｈｉｎｇ  ｐｒｏｄｕｃｔ）などが挙げられる）；スキンケア製品（顔、体、手、頭皮および足）（例えば、クリーム、ローション、コンディショナーおよびクレンジング製品）；抗座瘡製品；老化防止製品（剥離剤（ｅｘｆｏｌｉａｎｔ）、角質溶解剤、抗脂肪沈着剤、しわの予防剤（ａｎｔｉｗｒｉｎｋｌｅ）など）；皮膚保護薬（例えば、日焼け止め、日焼け防止剤（ｓｕｎｂｌｏｃｋ）、バリアクリーム、オイル、シリコンなど）；皮膚着色製品（漂白剤、美白製品（ｌｉｇｈｔｅｎｅｒ）、日光なしでの皮膚日焼け促進剤（ｓｕｎｌｅｓｓ  ｔａｎｎｉｎｇ  ａｃｃｅｌｅｒａｔｏｒ）など）；ヘアカラー（ヘアダイ、ヘアカラーリンス、ハイライター（ｈｉｇｈｌｉｇｈｔｅｒ）、脱色剤など）；色素性皮膚着色料（顔および体用のメイクアップ、ファンデーションクリーム、マスカラ、ルージュ、リップ製品など）；浴室およびシャワー製品（ボディークレンザー、ボディーウォッシュ、シャワージェル、液体石鹸、固形石鹸、合成化粧石鹸、薬用液体入浴剤（ｃｏｎｄｉｔｉｏｎｉｎｇ  ｌｉｑｕｉｄ  ｂａｔｈ  ｏｉｌ）、泡立て入浴剤、バスパウダーなど）；ネイルケア製品（ポリッシュ、除光液、強化剤、伸長剤（ｌｅｎｇｔｈｅｎｅｒ）、硬化剤（ｈａｒｄｅｎｅｒ）、キューティクルリムーバー、軟化剤（ｓｏｆｔｅｎｅｒ）など）；ならびに保存および／または使用の間に、有効量のカチオン性の会合性ポリマーが有益もしくは所望の物理的効果または化学的効果を達成するためにに組み込まれ得る実質的に中性の組成物に対する、任意の水性の酸。
【０１０１】
トイレタリーおよび健康補助剤および美容補助剤は、一般に、ＨＢＡ（カチオン性の会合性ポリマーを含む）と称され、これらとしては以下が挙げられ得るが、これらに限定されない：除毛製品（シェービングクリームおよびシェービングローション、脱毛剤、アフターシェーブスキンコンディショナーなど）；デオドラント剤および制汗剤；オーラルケア製品（口、歯、および歯ぐき）（例えば、洗口剤）、歯磨き用剤（例えば、練り歯磨き、歯磨き粉、歯磨き用研磨剤、歯の漂白剤（ｔｏｏｔｈ  ｗｈｉｔｅｎｅｒ）、口臭消し、義歯接着剤など；顔および体用毛髪脱色剤；など。カチオン性の会合性ポリマーを含み得る他の健康補助剤および美容補助剤としては、人工皮膚日焼け促進剤を含む日光なしでの日焼け塗布物（ｓｕｎｌｅｓｓ  ｔａｎｎｉｎｇ  ａｐｐｌｉｃａｔｉｏｎ）（例えば、ジヒドロキシアセトン（ＤＨＡ）、チロシン、チロシンエステルなど）；皮膚脱色処方物、漂白処方物および美白処方物（コウジ酸、ヒドロキノン、アルブチン、果実抽出物、野菜抽出物または植物抽出物のような活性成分（レモン皮抽出物、カモミール、緑茶、コウゾ抽出物など））、アスコルビン酸誘導体（アスコルビルパルミテート、アスコルビルステアレート、マグネシウムアスコルビルホスフェートなど）を含む；フットケア製品（例えば、角質軟化溶解剤（ｋｅｒａｔｏｌｙｔｉｃ  ｃｏｒｎ）およびたこ除去剤（ｃａｌｌｏｕｓ  ｒｅｍｏｖｅｒ）、足浴剤（ｆｏｏｔ  ｓｏａｋ）、足用散剤（医療用（例えば、アスリート用の抗真菌性の、足用散剤、軟膏、スプレーなど）、および制汗性粉末、または非医療用水分吸収散剤））、液体足用スプレー（非医療用（例えば、冷却スプレーおよびデオドラントスプレー、ならびに医療用の抗真菌スプレー、制汗スプレーなど）、ならびに足および足指の爪用コンディショナー（ローションおよびクリーム、爪の軟化剤など）が挙げられるが、これらに限定されない。
【０１０２】
カチオン性の会合性ポリマー（例えば、分散補助剤およびフィルム形成剤）を含み得る局所的な健康補助剤および美容補助剤としては、以下が挙げられるが、これらに限定されない：皮膚保護スプレー、クリーム、ローション、ゲル、スティックおよび粉末の製品（例えば、虫除け、かゆみ止め、化膿止め、消毒薬、日焼け防止剤、日焼け止め、皮膚の引き締め乳液およびローションならびに化粧乳液および化粧水、いぼ除去組成物（ｗａｒｔ  ｒｅｍｏｖａｌ  ｃｏｍｐｏｓｉｔｉｏｎ）など。
【０１０３】
カチオン性の会合性ポリマーは、特に、微粒子（例えば、マイカ、真珠光沢化剤、ビーズなど）のため懸濁剤として有用であり、粒子、ミクロ研磨剤および研磨剤を含む皮膚用製品（例えば、剥離性スクラブ剤を含むシャワーゲル、マスクおよび皮膚用クレンザー）に適する。多くの美容上有用な粒子剥離性剤は当該分野で公知であり、選択および量は、美容分野の当業者によって理解されるように、組成物の使用に関して所望される剥離効果によって決定される。有用な剥離性剤としては、以下が挙げられるが、これらに限定されない：生物学的研磨剤、無機研磨剤、合成ポリマーなど、ならびにそれらの混合物。生物学的研磨剤としは、以下が挙げられるが、これらに限定されない：堅果から得られる殻、種子、および仁または石の顆粒もしくは粉末（例えば、ウォールナッツ（Ｊｕｇｌａｎｓ  ｒｅｇｉａ）、アーモンド、ペカンなどから得られる殻）；果実の供給源（例えば、杏、アボカド、ココナッツ、オリーブ、桃など；野菜の供給源（例えば、トウモロコシの穂軸、オーツ麦の外皮、米、ローズヒップの種、ホホバ（蝋、種子粉末）、微少結晶セルロース、粉末状のヘチマ（ｇｒｏｕｎｄ  ｌｏｏｆａ）、粉末状の海藻（ｇｒｏｕｎｄ  ｓｅａｗｅｅｄ）など；動物の供給源（例えば、牡蠣の殻、絹、微晶質コラーゲンなど）。無機研磨剤としては、以下が挙げられるが、これらに限定されない：酸化第二スズ、タルク、シリカ（水和、コロイド状など）、カオリン、沈殿したチョーク、塩（塩化ナトリウム、死海の塩など）、粉末状の軽石（ｇｒｏｕｎｄ  ｐｕｍｉｃｅ）など。合成ポリマーとしては、以下が挙げられるが、これらに限定されない：微結晶質ポリアミド（ナイロン）、微晶質ポリエステル（ポリカルボネート）など。本発明のポリマーはまた、液体培地において気泡を懸濁するために有用である。
【０１０４】
カチオン性の会合性ポリマーは、乾燥、光損傷、加齢、座瘡等によって生じる皮膚の状態を、局所的に改善するために使用される種々の皮膚科学的な薬用化粧品組成物（コンディショナー、保湿剤、酸化防止剤、剥離剤、角質溶解剤、ビタミン等を含む）において、増粘剤およびフィルム形成剤として有用である（代表的には、活性な酸性成分を含み、約０．５〜約５の範囲のｐＨを有する）。カチオン性の会合性ポリマーが、これらの前記酸性生成物実施形態に取り込まれるとき、活性な酸性成分は、カチオン性の会合性ポリマーに対して活性な皮膚処置剤および酸膨潤剤の両方の機能を果たして、所望の粘性を達成し得る。
【０１０５】
１つの薬用化粧品の局面において、カチオン性の会合性ポリマーは、活性な皮膚処置ローションおよびクリーム（活性成分として、酸性老化防止剤、抗脂肪沈着剤および抗座瘡剤、ヒドロキシカルボン酸（例えば、α−ヒドロキシ酸（ＡＨＡ）、β−ヒドロキシ酸（ＢＨＡ）、α−アミノ酸、α−ケト酸（ＡＫＡ）およびその混合物）含む）に対して増粘剤として使用され得る。このような薬用化粧品において、ＡＨＡとしては、乳酸、グリコール酸、フルーツ酸（例えば、リンゴ酸、クエン酸、酒石酸）、ＡＨＡを含む天然化合物の抽出物（例えば、リンゴ抽出物、アンズ抽出物など）、蜂蜜抽出物、２−ヒドロキシオクタン酸、グリセリン酸（ジヒドロキシプロピオン酸）、タルトロン酸（ジヒドロキシプロパン二酸）、グルコン酸、マンデル酸、ベンジル酸、アゼライン酸、α−リポ酸、サリチル酸、ＡＨＡ塩および誘導体（例えば、グリコール酸アルギニン、グリコール酸アンモニウム、グリコール酸ナトリウム、乳酸アルギニン、乳酸アンモニウム、乳酸ナトリウム、α−ヒドロキシ酪酸、α−ヒドロキシイソ酪酸、α−ヒドロキシイソカプロン酸、α−ヒドロキシイソ吉草酸、アトロラクチン酸などが挙げられ得るが、これらに限定されない。ＢＨＡとしては、３−ヒドロキシプロパン酸、β−ヒドロキシ酪酸、β−フェニル酪酸、β−フェニルピルビン酸が挙げられるが、これらに限定されない。α−アミノ酸としては、α−アミノジカルボン酸（例えば、アスパラギン酸、グルタミン酸およびその混合物）が挙げられ得るが、これらに限定されず、ときとして、フルーツの酸と組み合わせて使用され得る。ＡＫＡとしては、ピルビン酸が挙げられる。いくつかの老化防止化合物において、酸性活性剤は、レチノイン酸、ハロカルボン酸（例えば、トリクロロ酢酸）、酸性の酸化防止剤（例えば、アスコルビン酸（ビタミンＣ））、鉱酸、フィチン酸、リゾホスファチジン酸などであり得る。いくつかの酸性抗座瘡剤としては、例えば、サリチル酸、サリチル酸誘導体（例えば、５−オクタノイルサリチル酸）、レチノイン酸、およびその誘導体が挙げられ得る。
【０１０６】
活性な皮膚処置組成物の使用および処方の考察は、ＣＯＳＭＥＴＩＣＳ  ＆  ＴＯＩＬＥＴＲＩＥＳ（登録商標），Ｃ＆Ｔ  Ｉｎｇｒｅｄｉｅｎｔ  Ｒｅｓｏｕｒｃｅ  Ｓｅｒｉｅｓ，「ＡＨＡｓ  ＆  Ｃｅｌｌｕｌｉｔｅ  Ｐｒｏｄｕｃｔｓ  Ｈｏｗ  Ｔｈｅｙ  Ｗｏｒｋ」（１９９５年出版）および「Ｃｏｓｍｅｃｅｕｔｉｃａｌｓ」（１９９８年出版）にあり、これらは共に、Ａｌｌｕｒｅｄ  Ｐｕｂｌｉｓｈｉｎｇ  Ｃｏｒｐｏｒａｔｉｏｎから入手可能であり、本明細書中に参考として援用される。アスコルビン酸で酸性化されたα−アミノ酸を含有する組成物は、米国特許第６，１９７，３１７  Ｂ１号に記載されており、老化防止用の、スキンケアレジメンにおいてこれらの酸を利用する市販の薬用化粧品調製物は、ＡＦＡの商品名で、ｅｘＣｅｌ  Ｃｏｓｍｅｃｅｕｔｉｃａｌｓ（Ｂｌｏｏｍｆｉｅｌｄ  Ｈｉｌｌｓ，ＭＩ）から販売されている。用語「ＡＦＡ」は、供給業者の営業用文献に記載されるように、Ａｍｉｎｏ  Ｆｒｕｉｔ  Ａｃｉｄｓとして、そして、「Ａｍｉｎｏ  ａｃｉｄ  Ｆｉｌａｇｇｒｉｎ  ｂａｓｅｄ  Ａｎｔｉｏｘｉｄａｎｔｓ」についての頭文字として、アミノ酸／ビタミンＣの組合せを記載するために開発者により作られた。
【０１０７】
カチオン性の会合性ポリマーが含まれ得る他のヘルスケア製品は、局所および非局所の医薬品およびデバイスのような医療用製品である。医薬品の処方において、カチオン性の会合性ポリマーは、クリーム、ポマード、ゲル、ペースト、軟膏、錠剤、ゲルカプセル、下剤流体（浣腸、催吐薬、結腸洗浄薬など）、坐剤、抗真菌発泡剤、眼用製品（点眼剤、人工涙液、緑内障薬物送達点眼剤、コンタクトレンズの洗浄剤などのような眼科用製品）、耳用製品（耳垢軟化剤、耳垢除去剤、耳炎薬物送達点耳剤など）、鼻用製品（点鼻液、軟膏、スプレーなど）、および創傷ケア（液体絆創膏、創傷包帯、抗生物質クリーム、軟膏など）のような製品において、増粘剤および／または滑沢剤として使用され得るが、これらに限定されない。
【０１０８】
カチオン性の会合性ポリマーのフィルム形成特性および酸膨潤可能特性は、カチオン性の会合性ポリマーを、活性成分の皮膚への、または皮膚を介する経皮送達を促進および増強するため、抗座瘡剤処方物および局所鎮痛薬の有効性を増強するための局所医療用組成物に関するビヒクル、ならびに胃の中のような低いｐＨにおいて薬物（例えば、錠剤またはシロップからの制酸薬）の放出を制御し；口の弱酸性環境における錠剤、トローチ剤、チュアブル剤などからの薬物放出を制御し；膣内の弱酸性環境におけるまたは坐剤、軟膏、クリームなどからの薬物放出を制御し；シャンプー、軟膏（ｓａｌｖｅ）などからのフケ制御剤の沈着を促進し；色素性化粧品（化粧品（ｍａｋｅｕｐ）、リップスティック、ルージュなど）に由来する皮膚上の、および毛髪染料などに由来する毛髪上の染料の沈着を増強するための局所医療用組成物に関するビヒクルとして特に適したものにする。
【０１０９】
上記のことに加えて、酸性ｐＨでの本発明のポリマーのカチオン性の特徴、およびその驚くべきカチオン適合性は、種々のパーソナルケア、ヘルスケア、Ｉ＆Ｉ、および医療用途において、静電防止剤、殺生物剤、抗菌剤、および他の防腐剤組成物についての増粘剤として、カチオン性の会合性ポリマーを有用にする。例えば、ポリマーは、カチオン性の殺生物剤が代表的に使用される処方箋なしで買える（ＯＴＣ）ヘルスケア製品および薬学的製品（例えば、プラークコントロールおよび歯石コントロールについての口腔の手入れ用組成物）における増粘剤、ならび治療剤を含む液体ビヒクル（例えば、シロップ、ゲルなど）として使用され得る。特定の調整されたｐＨ条件下で、カチオン性の会合性ポリマーのカチオン性の特徴はまた、それ自体、静電防止活性または殺生物活性、抗菌活性、あるいは同様の防腐様活性を提供し得る。
【０１１０】
本発明のポリマーは、医療用デバイス（例えば、軟組織インプラント、手術用手袋、カテーテル、カニューレなど）のための潤滑コーティング剤、医療機器（創傷包帯など）のための取り外し可能な保護フィルムコーティング剤、特に胃の酸性環境における粘膜接着剤、医療用に処方された製品（例えば、消毒用ハンドクリーム、抗ウイルス製品（アニオン性のウイルスに対する）、抗生物質軟膏、抗生物質スプレーおよび抗生物質クリーム、滴らずにスプレー可能な病院用消毒剤、慣用的なメンテナンスの間に適用される塗装面抗菌仕上げなど）におけるキャリアおよび増粘剤として使用され得るが、これらに限定されない。
【０１１１】
本発明のポリマーは、例えば、特に、「固着表面（ｃｌｉｎｇ−ｏｎ−ｓｕｒｆａｃｅ）」を介する処方物の有効性を改善するためまたは消毒薬および殺生物処方物の効力の改善、そして従来の繊維柔軟剤と組み合わせて繊維柔軟効果を相乗的に改善するために、レオロジー改変剤、繊維調整剤（ｆａｂｒｉｃ  ｃｏｎｄｉｔｉｏｎｉｎｇ  ａｇｅｎｔ）、静電防止剤として家庭用ケア用途、およびＩ＆Ｉ用途において使用され得る。本発明のポリマーを含み得る代表的な家庭用製品およびＩ＆Ｉ製品としては、以下が挙げられるが、これらに限定されない：洗濯物および繊維の手入れ用品（例えば、界面活性剤、繊維柔軟剤（液体もしくはシート）、アイロン仕上げスプレー、ドライクリーニング補助剤、しわ防止スプレー、しみ抜き剤など）；台所および浴室ならびにそれらの場所で使用されるかもしくは設置される実用品および器具用の塗装面クレンザー（例えば、便器用ジェル、浴槽洗浄剤およびシャワー洗浄剤、硬水の沈着物の除去剤、床用洗浄剤およびタイル用洗浄剤、壁用洗浄剤、床用研磨剤およびクロム質備品用研磨剤、アルカリ剥離性ビニール床用洗浄剤、大理石用洗浄剤およびセラミック用洗浄剤、空気洗浄用ジェル、皿用液体洗剤など）；消毒洗浄剤（例えば、便器用洗浄剤およびウォシュレット用洗浄剤、消毒用ハンドソープ、部屋用脱臭剤など）。
【０１１２】
本発明のポリマーは、レオロジー改変剤、分散剤、安定化剤、助触媒、または抗菌剤などとして、産業製品用途（例えば、織物（加工、仕上げ、印刷、および染色助剤、洗浄可能な保護表面コーティング、不織布の飽和による合成皮革の製造など、織布、不織布、天然繊維および合成繊維の製造など）；水処理（排水、冷却水、飲料水の精製など）；化学物質流出による汚染（酸流出の吸収剤など）；皮革および皮の処理（処理助剤、仕上げ、コーティング、エンボス加工など）；紙および製紙（表面コーティング（例えば、色素コーティング、静電防止コーティングなど、パルプ結合剤、表面サイジング剤、乾燥強度増強剤および湿潤強度増強剤、ウェットレイドフェルト（ｗｅｔ−ｌａｉｄ  ｆｅｌｔ）の製造など）；印刷（インク、抗ウィッキングインクジェットプリンターインク、アクリル繊維を印刷するためのカチオン性色素を含むインク処方物用の増粘剤など）；ペイント（色素および研磨添加剤、エポキシラテックスエマルジョン用の架橋剤、粘土用の粒子懸濁助剤、色素など）；産業的工場廃液処理（製紙工場の廃液中のフェノール類のための柔毛など）；金属作業（酸エッチ洗浄剤、低ｐＨ金属コーティング剤、冷間圧延の鋼処理における酸洗い剤など）；接着剤（透明接着剤、金属、プラスチック、木材など用の接着助触媒、不織フロック接着剤結合コーティング剤、結合剤など）；木材の保存；ならびに建築および道路用の産業用構築製品（セメント可塑化剤、低ｐＨでのアスファルトエマルジョン安定化剤、セメント用酸エッチ、コンクリート、モルタル、パテの粘稠度改変剤など）であるが、これらに限定されない）において利用され得る。本発明のポリマーは、種々の上記産業用途および掘穿泥水において使用される、錆取り剤、酸トラック用洗浄剤、鱗落としなどのための増粘剤、および微粒子（例えば、粘土、色素（二酸化チタン、炭酸カルシウム、および他の鉱物））を含む製品の分散安定化剤、研磨剤などとして特に有用である。
【０１１３】
本発明のポリマーを含む生成物は、当該分野で公知である種々の従来の添加剤およびアジュバントを含み得、それらのうちのいくつかは、１つより多くの機能を提供し得る。使用される量は、その生成物の目的および特徴とともに変化し、そしてその処方物の分野における当業者および文献によって容易に決定され得る。用語「化粧品アジュバント」とは、組成物の有用な有効期限の間に、組成物の物理的安定性ならびに眼に見える審美的外観および市場での訴求力を維持する、美容学的および薬学的に受容可能な製品安定化剤および製品仕上げ剤を含む。
【０１１４】
用語「固定剤」は、ポリマーに適用される場合、ポリマーが塗布される表面上に沈着されるフィルム形成、接着、またはコーティングの特性を含む。ヘアケア技術で一般的に理解され、本明細書中で使用される、用語「ヘアスタイリング剤および毛髪固定剤」は、まとめて、毛髪固定剤およびフィルム形成剤である毛髪セット剤をいい、毛髪セットのスタイリングおよび／または保持を容易にするのに能動的に寄与するため、そして毛髪セットの再スタイリング性能を維持するために、毛髪に局所的に適用される。従って、毛髪セット組成物としては、ヘアスタイリング製品、毛髪固定剤製品および毛髪手入れ用製品が挙げられ、これらは、従来、洗浄によって除去されるまでのある程度の時間、毛髪セット剤を毛髪に接触したままにするため、毛髪（湿っているかまたは乾燥している）に、ジェル、リンス、エマルジョン（油中水型、水中油型または多相）（例えば、ローションおよびクリーム）、ポマード、スプレー（加圧型または非加圧型）、振りかける液（ｓｐｒｉｔｚｅ）、泡（例えば、ムース）、シャンプー、固形物（例えば、スティック）、半固体などの形態で適用されるか、または、毛髪セット助剤に含浸させるかもしくは毛髪セット助剤にコーティングされた毛髪セット組成物を有する毛髪セット助剤から適用される。
【０１１５】
用語「コンディショニング剤」およびその用語の文法上の変形は、スキンケアおよびヘアケア用の組成物に関係し、美的かつ薬学的に有用な物質（湿潤剤、保湿剤、および皮膚軟化剤）を含む。いくつかのコンディショニング剤が組成物中で、１つより多い機能（例えば、乳化剤、潤滑剤および溶媒）を果たし得ることが理解される。
【０１１６】
好ましいヘアケア組成物の実施形態は、ヘアケア組成物に特性（例えば、毛髪固定特性、毛髪コンディショニング特性、粘着特性（増粘、レオロジー改変）またはこれらの組合せ）を提供するために、有効量で本発明のポリマーを含有する。必要に応じて、ヘアケア組成物は、１つ以上の補助的なフィルム形成剤、補助的な毛髪固定剤、補助的な毛髪用コンディショニング剤、補助的なレオロジー改変剤、またはそれらの混合物を含有し得る。
【０１１７】
好ましいスキンケア組成物の実施形態は、スキンケア組成物に特性（例えば、皮膚コンディショニング特性、粘着特性（増粘、レオロジー改変）またはそれらの組合せ）を提供するために、有効量で本発明のポリマーを含有する。必要に応じて、スキンケア組成物は、１つ以上の補助的な皮膚用コンディショニング剤、補助的なレオロジー改変剤、またはこれらの混合物を含有し得る。
【０１１８】
本発明のポリマーを含有する製品処方物は、パーソナルケア製品、家庭用ケア製品、施設用ケア製品および産業用ケア製品中ならびに産業プロセスにおいてに、慣習的または一般的に含まれる、種々の添加剤および化粧品アジュバントを含有し得、これらの添加剤およびアジュバントとしては、酸性化またはアルカリ化するｐＨ調整剤および緩衝剤；補助的な固定剤およびフィルム形成剤（例えば、非イオン性、アニオン性、カチオン性、もしくは両性の、合成由来または天然由来のポリマーなど）；補助的なレオロジー改変剤（例えば、粘性増加ポリマー、ゴム、もしくは樹脂増粘剤またはゲル化剤）；添加剤（例えば、乳化剤、エマルジョン安定化剤、ワックス、分散剤など）、ならびに粘性制御剤（例えば、溶媒、電解質など）；補助的なコンディショニング剤（例えば、静電防止剤、合成油、植物性油脂または動物性油脂、シリコーン油、モノマーまたはポリマーの四級化アンモニウム化合物およびその誘導体、シーン増強剤、加湿剤、皮膚軟化剤、湿潤剤、潤滑剤、日焼け止め剤など）；酸化剤；還元剤；界面活性剤（例えば、アニオン性界面活性剤、カチオン性界面活性剤、非イオン性界面活性剤、両性界面活性剤、双性イオン界面活性剤、およびそれらのシリコーン誘導体）；ポリマーフィルム改質剤（例えば、可塑剤、粘着付与剤、脱粘着剤、湿潤剤など）；製品安定化剤および仕上げ剤（例えば、キレート剤、乳白剤、真珠光沢化（ｐｅａｒｌｅｓｃｉｎｇ）剤、タンパク質性物質およびその誘導体、ビタミンおよびその誘導体、防腐剤、芳香剤、可溶化剤、着色料（一時的または永続的）（例えば、顔料および色素）、ＵＶ吸収剤など）；噴霧剤（水混和性または水非混和性）（例えば、フッ素化炭化水素、液体の揮発性炭化水素、圧縮ガスなど）；ならびにそれらの混合物が挙げられるが、これらに限定されない。
【０１１９】
本明細書中で議論される本発明のカチオン性の会合性ポリマーとともに使用され得る、添加剤およびアジュバント成分、製品、または材料は、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ（Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ，Ｗａｓｈｉｎｇｔｏｎ  Ｄ．Ｃ．（本明細書中以下で、ＩＮＣＩ  Ｄｉｃｔｉｏｎａｒｙ）において与えられるＩＮＣＩ名として一般に称される国際命名法（例えば、第６版（１９９５）、その任意の版（例えば、第１巻および第２巻、または第７版および第８版（１９９７、２０００）、第１〜３巻、）に見られ得る）として一般的に称されるか、またはそれらの一般的に使用される化学名によって称される。ＩＮＣＩ名、商品名またはその両方によって記載される材料の多くの商業的供給源は、ＩＮＣＩ  Ｄｉｃｔｉｏｎａｒｙおよび多数の商取引刊行物（２００１  ＭｃＣｕｔｃｈｅｏｎ’ｓ  Ｄｉｒｅｃｔｏｒｉｅｓ，第１巻：Ｅｍｕｌｓｉｆｉｅｒｓ  ＆  Ｄｅｔｅｒｇｅｎｔｓおよび第２巻：Ｆｕｎｃｔｉｏｎａｌ  Ｍａｔｅｒｉａｌｓ（ＭｃＣｕｔｃｈｅｏｎ’ｓ  Ｄｉｖｉｓｉｏｎ，Ｔｈｅ  Ｍａｎｕｆａｃｔｕｒｉｎｇ  Ｃｏｎｆｅｃｔｉｏｎｅｒ  Ｐｕｂｌｉｓｈｉｎｇ  Ｃｏ．，Ｇｌｅｎ  Ｒｏｃｋ，ＮＪ）（２００１）より刊行；および２００１  Ｃｏｓｍｅｔｉｃ  Ｂｅｎｃｈ  Ｒｅｆｅｒｅｎｃｅ，ＣＯＳＭＥＴＩＣＳ  ＆  ＴＯＩＬＥＴＲＩＥＳ（登録商標）の版、１１５  （１３）（Ａｌｌｕｒｅｄ  Ｐｕｂｌｉｓｈｉｎｇ  Ｃｏｒｐｏｒａｔｉｏｎ，Ｃａｒｏｌ  Ｓｔｒｅａｍ，ＩＬ）（２００１）刊行、が挙げられるが、これらに限定されない；各々の関連する開示は、本明細書中に参考として援用される）に見出され得る。組成物のこのような成分および処方はまた、周知の参考文献（例えば、Ｃｏｓｍｅｔｉｃｓ  Ｓｃｉｅｎｃｅ  ａｎｄ  Ｔｅｃｈｎｏｌｏｇｙ，第１版（Ｓａｇａｒｉｎ（編））１９５７年出版、および第２版（Ｂａｌｓａｍら（編））１９７２〜７４年出版；およびＴｈｅ  Ｃｈｅｍｉｓｔｒｙ  ａｎｄ  Ｍａｎｕｆａｃｔｕｒｅ  ｏｆ  Ｃｏｓｍｅｔｉｃｓ，第２版（ｄｅＮａｖａｒｒｅ（編）），１９７５年出版、および第３版（Ｓｃｈｌｏｓｓｍａｎ（編））、２０００年出版（両方ともＡｌｌｕｒｅｄ  Ｐｕｂｌｉｓｈｉｎｇ  Ｃｏｒｐｏｒａｔｉｏｎから入手可能）；Ｒｉｅｇｅｒ（編），Ｈａｒｒｙ’ｓ  Ｃｏｓｍｅｔｉｃｏｌｏｇｙ，第８版，Ｃｈｅｍｉｃａｌ  Ｐｕｂｌｉｓｈｉｎｇ，Ｃｏ．，Ｉｎｃ．，Ｎｅｗ  Ｙｏｒｋ，ＮＹ（２０００）；ならびに薬学的分野の当業者に利用可能な種々の教科書（ｆｏｒｍｕｌａｒｙ）（例えば、Ｒｅｍｉｎｇｔｏｎ’ｓ  Ｐｈａｒｍａｃｅｕｔｉｃａｌ  Ｓｃｉｅｎｃｅｓ，第１４版，Ｍａｃｋ  Ｐｕｂｌｉｓｈｉｎｇ  Ｃｏｍｐａｎｙ，Ｅａｓｔｏｎ，ＰＡ（１９７０））に詳細に記載されている；各々の関連する開示は、本明細書中に参考として援用される。
【０１２０】
パーソナルケアおよび局所的な皮膚科学的ヘルスケアのための処方組成物（これらは、クレンジングまたは平滑化のために皮膚および粘膜に塗布される）は、多くの同じかまたは類似の生理学的に許容可能な成分と混合され、そして主として選択される成分の純度等級、医薬または薬学的に受容可能な化合物の存在、および製品が製造され得る制御された条件が異なる、同じかまたは類似の製品形態に処方されることが公知である。同様に、家庭用およびＩ＆Ｉの製品において使用される成分の多くは、上記のものと同じかまたは類似であり、主として、使用される量および材料等級が異なる。成分の選択および許容される量は、国家、地域、地方、および国際的なレベルで、政府の規制に供され得ることもまた、公知である。従って、パーソナルケア製品およびヘルスケア製品のために有用な種々の成分の本明細書中の議論は、家庭用製品およびＩ＆Ｉ製品、ならびに産業用途に適用され得る。
【０１２１】
カチオン性の会合性ポリマーを含有する処方される組成物中の成分の選択および量は、処方の分野の当業者に周知であるように、製品およびその機能に依存して変化する。パーソナルケア製品および局所的ヘルスケア製品のための処方成分としては、代表的に、本明細書中に示され得ない、これまでに議論された成分に加えて、溶媒、界面活性剤（クレンジング剤、乳化剤、気泡増強剤、ヒドロトロープ、可溶化剤、および懸濁剤として）、非界面活性懸濁剤、乳化剤、皮膚用コンディショニング剤（皮膚軟化剤、湿潤剤、加湿剤など）、毛髪用コンディショニング剤、毛髪固定剤、フィルム形成剤、皮膚保護剤、結合剤、キレート剤、抗菌剤、抗真菌剤、フケ防止剤、研磨剤、接着剤、吸収剤、染料、脱臭剤、発汗防止剤、乳白剤および真珠光沢化剤、酸化防止剤、防腐剤、噴霧剤、延展助剤、日焼け防止剤、日光なしでの皮膚日焼け促進剤、紫外光吸収剤、ｐＨ調整剤、生薬、毛染め、酸化剤、還元剤、皮膚漂白剤、顔料、生理学的に活性な薬剤、抗炎症剤、局所麻酔剤、芳香剤および芳香成分可溶化剤などが挙げられ得るが、これらに限定されない。例えば、オーラルケア製品は、界面活性剤、研磨剤、湿潤剤、および矯味矯臭剤に加えて、虫歯予防剤、歯石予防剤、および／または歯垢予防剤を含有し得る。物質ならびにそれらの従来の機能および製品分類の広範な列挙は、一般的に、ＩＮＣＩ辞書に示され、特に、第７版、第２巻の第４節および第５節に示される（本明細書中に参考として援用される）。
【０１２２】
水性エマルジョンとして調製される本発明のポリマーは、水ベースの処方物および水混和性の補助的な溶媒を含有する処方物のために特に有用であるが、これらに限定されない。一般的に使用される有用な溶媒は、代表的に液体（例えば、水（脱イオン水、蒸留水、または精製水）、アルコール、ポリオールなど、およびそれらの混合物）である。非水性または疎水性の補助的な溶媒は、実質的に水を含まない製品（例えば、爪ラッカー、エアロゾル噴霧剤スプレー）において一般的に使用されるか、または特定の機能（例えば、油性汚れ（ｓｏｉｌ）、皮脂、化粧品の除去、または色素、芳香剤の溶解など）のために一般的に使用されるか、またはエマルジョンの油相に組み込まれる。補助的な溶媒の非限定的な例としては、水以外に、以下が挙げられる：直鎖および分枝鎖のアルコール（例えば、エタノール、プロパノール、イソプロパノール、ヘキサノールなど）；芳香族アルコール（例えば、ベンジルアルコール、シクロヘキサノールなど）；飽和Ｃ１２〜Ｃ３０脂肪アルコール（例えば、ラウリルアルコール、ミリスチルアルコール、セチルアルコール、ステアリルアルコール、ベヘニルアルコールなど）。ポリオールの非限定的な例としては、以下が挙げられる：ポリヒドロキシアルコール（例えば、グリセリン、プロピレングリコール、ブチレングリコール、へキシレングリコール）、Ｃ２〜Ｃ４アルコキシ化アルコールおよびＣ２〜Ｃ４アルコキシ化ポリオール（例えば、約２〜約３０個の炭素原子および１〜約４０個のアルコキシ単位を有する、アルコール、ジオールおよびポリオールエトキシ化エーテル、プロポキシ化エーテル、およびブトキシ化エーテル）、ポリプロピレングリコール、ポリブチレングリコールなど。非水性の補助的な溶媒の非限定的な例としては、以下が挙げられる：シリコーンおよびシリコーン誘導体（例えば、シクロメチコンなど）、ケトン（例えば、アセトンおよびメチルエチルケトン）；天然および合成の油およびワックス（例えば、植物性油、植物油（ｐｌａｎｔ  ｏｉｌ）、動物油、精油、鉱油、Ｃ７〜Ｃ４０イソパラフィン、カルボン酸のアルキルエステル（例えば、酢酸エチル、酢酸アミル、乳酸エチルなど）、ホホバ油、サメ肝油など）。上記の非水性の補助的な溶媒のいくつかはまた、コンディショナーおよび乳化剤であり得る。
【０１２３】
界面活性剤は、一般的に、クレンジング剤、乳化剤、発泡増強剤、ヒドロトロープおよび懸濁剤として使用される。本発明のポリマーは、全てのクラスの界面活性剤（すなわち、アニオン性界面活性剤、カチオン性界面活性剤、非イオン性界面活性剤、両性界面活性剤）を含有する処方物において使用され得る。本明細書中で使用される場合、用語「両性界面活性剤」とは、双性イオン性界面活性剤を含む。上記の参照に加えて、界面活性剤のクラスの議論は、Ｃｏｓｍｅｔｉｃｓ  ＆  Ｔｏｉｌｅｔｒｉｅｓ（登録商標）Ｃ  ＆  Ｔ  Ｉｎｇｒｅｄｉｅｎｔ  Ｒｅｓｏｕｒｃｅ  Ｓｅｒｉｅｓ，「Ｓｕｒｆａｃｔａｎｔ  Ｅｎｃｙｃｌｏｐｅｄｉａ」，第２版，Ｒｉｅｇｅｒ（編），Ａｌｌｕｒｅｄ  Ｐｕｂｌｉｓｈｉｎｇ  Ｃｏｒｐｏｒａｔｉｏｎ（１９９６）；Ｓｃｈｗａｒｔｚら，Ｓｕｒｆａｃｅ  Ａｃｔｉｖｅ  Ａｇｅｎｔｓ，Ｔｈｅｉｒ  Ｃｈｅｍｉｓｔｒｙ  ａｎｄ  Ｔｅｃｈｎｏｌｏｇｙ，１９４９年出版；およびＳｕｒｆａｃｅ  Ａｃｔｉｖｅ  Ａｇｅｎｔｓ  ａｎｄ  Ｄｅｔｅｒｇｅｎｔｓ，第ＩＩ巻，１９５８年出版，Ｉｎｔｅｒｓｃｉｅｎｃｅ  Ｐｕｂｌｉｓｈｅｒｓに示され；各々は、本明細書中に参考として援用される。
【０１２４】
驚くべきことに、本発明のポリマーは、比較的高濃度（約１０〜４０重量％）のアニオン性界面活性剤を含む組成物（例えば、シャンプーならびに毛髪および身体（浴室）製品のための２−イン−１型の液体コンディショニング／クレンザー）において、増粘剤および沈着助剤として有用である。本発明のカチオン性の会合性ポリマーは、ヘアケア製品および繊維ケア製品において使用されるような静電防止活性を有するカチオン性界面活性剤と適合性である。
【０１２５】
アニオン性界面活性剤としては、以下が挙げられる：負に荷電した疎水性物質を有する物質、またはｐＨが中性以上に上昇される場合に負の電荷を保有する物質（例えば、アクリルアミノ酸およびその塩（例えば、アクリルグルタメート、アシルペプチド、サルコシネートおよびタウレート））；カルボン酸およびその塩（例えば、アルカン酸およびアルカノエート、エステルカルボン酸、およびエーテルカルボン酸）；リン酸エステルおよびその塩；スルホン酸およびその塩（例えば、アシルイソチオネート、アルキルアリールスルホネート、アルキルスルホネート、およびスルホスクシネート）；ならびに硫酸エステル（例えば、アルキルエーテルサルフェートおよびアルキルサルフェート）。
【０１２６】
アニオン性界面活性剤の非限定的な例としては、以下が挙げられる：水溶液中でわずかに酸性であるアシルグルタメートの一塩基塩（例えば、アシルグルタミン酸ナトリウムおよび水素化獣脂グルタミン酸ナトリウム）；アシル−加水分解タンパク質の塩（例えば、パルミトイル加水分解乳タンパク質カリウム、ココイル加水分解大豆タンパク質ナトリウム、およびＴＥＡ−アビエトイル加水分解コラーゲン）；アシルサルコシネートの塩（例えば、ミリストイルサルコシンアンモニウム、ココイルサルコシネートナトリウム、およびＴＥＡ−ラウロイルサルコシネート）；アシルタウリン酸メチルナトリウムの塩（例えば、タウリン酸ラウロイルナトリウムおよびタウリン酸メチルココイルナトリウム）；アルカン酸およびアルカノエート（例えば、水溶性石鹸および水不溶性乳化石鹸を形成する動物グリセリドおよび植物性グリセリド由来の脂肪酸（ステアリン酸ナトリウム、ステアリン酸アルミニウム、およびウンデシル酸亜鉛が挙げられる））；エステルカルボン酸（例えば、ジノノキシノール−９−シトレート）；アシルラクチレートの塩（例えば、ステアロイルラクチレートカルシウムおよびラウレス（ｌａｕｒｅｔｈ）−６シトレート）；種々の長さのポリオキシエチレン鎖を有するエトキシ化アルコールまたはフェノールから誘導されるエーテルカルボン酸（例えば、ノノキシノール−８カルボン酸、およびナトリウムトリデセス−１３カルボキシレート）；リン酸のモノエステルおよびジエステル、ならびにそれらの塩（例えば、リン脂質、ジラウレス−４−ホスフェート、ＤＥＡ−オレス−１０ホスフェートおよびトリエタノールアミンラウリルホスフェート）；アシルイセチオネートの塩（例えば、イセチオン酸ココイルナトリウム）；アルキルアリールベンゼンスルホネート（例えば、α−オレフィンスルホネート（ＡＯＳ）およびアルカリ金属塩、アルカリ土類金属塩、およびそのアルカノールアミン塩、ならびにドデシルベンゼン硫酸ナトリウム）；アルキルスルホネート（例えば、Ｃ１２〜Ｃ１４オレフィンスルホン酸ナトリウム、スルホン酸ココモノグリセリドナトリウム、Ｃ１２〜Ｃ１５パレス−１５スルホン酸ナトリウム、およびラウリルスルホ酢酸ナトリウム）；スルホスクシネート（例えば、スルホコハク酸のモノエステルおよびジエステル、それらの塩、ならびにそのアルコキシ化アルキル誘導体およびアルキルアミノ誘導体（例えば、ジ−Ｃ４〜Ｃ１０アルキルスルホコハク酸ナトリウム、ラウレススルホコハク酸二ナトリウム、オレアミドＭＥＡ−スルホコハク酸二ナトリウム、およびＣ１２〜Ｃ１５パレススルホコハク酸二ナトリウム））；アルキルエーテルサルフェート（例えば、ラウリルエーテル硫酸ナトリウムおよびラウリルエーテル硫酸アンモニウム（約１〜約１２モルのエチレンオキシドを有する））；アルキルサルフェート（例えば、Ｃ１２〜Ｃ１８アルキルサルフェートのナトリウム塩、アンモニウム塩およびトリエタノールアミン塩、Ｃ１２〜Ｃ１４オレフィン硫酸ナトリウム、ラウレス−６カルボン酸ナトリウム、Ｃ１２〜Ｃ１８パレス硫酸ナトリウム）など。
【０１２７】
カチオン性界面活性剤は、正の電荷を保有する疎水性物質、または中性の近くもしくはそれより低いｐＨ値で荷電しない疎水性物質（例えば、アルキルアミン、アルキルイミダゾリン、エトキシ化アミン、および第四級アンモニウム化合物を有し得る。化粧品において使用されるカチオン性界面活性剤は、好ましくは、Ｎ−誘導体であり、そして中和アニオンは、無機物であっても有機物であってもよい。とりわけ、本明細書中において有用なカチオン性界面活性剤物質は、一般式（Ｒ１０Ｒ１１Ｒ１２Ｒ１３Ｎ＋）Ｅ−に対応する第四級アンモニウム化合物であり、ここで、Ｒ１０、Ｒ１１、Ｒ１２、およびＲ１３の各々は、独立して、１〜約２２個の炭素原子を有する脂肪族基、または１〜約２２個の炭素原子をアルキル鎖中に有する芳香族基、アルコキシ基、ポリオキシアルキレン基、アルキルアミド基、ヒドロキシアルキル基、アリール基またはアルキルアリール基から選択され；そしてＥ−は、ハロゲン（例えば、クロリド、ブロミド）、アセテート、シトレート、ラクテート、グリコレート、ホスフェート、ニトレート、サルフェート、およびアルキルサルフェートから選択されるもののような、塩形成アニオンである。脂肪族基は、炭素原子および水素原子に加えて、エーテル結合、エステル結合、および他の基（例えば、アミノ基）を含み得る。より長鎖の脂肪族基（例えば、約１２個の炭素、またはより高級なもの）は、飽和であっても不飽和であってもよい。
【０１２８】
アルキルアミンは、置換または非置換の、第一級、第二級、および第三級の脂肪Ｃ１２〜Ｃ２２アルキルアミンの塩、そしてときとして「アミドアミン」と称される物質であり得る。アルキルアミンおよびその塩の非限定的な例としては、ジメチルココアミン、ジメチルパルミトアミン、ジオクチルアミン、ジメチルステアラミン、ジメチルソイアミン、ソイアミン、ミリスチルアミン、トリデシルアミン、エチルステアリルアミン、Ｎ−タロウ（ｔａｌｌｏｗ）プロパンジアミン、エトキシ化ステアリルアミン、ジヒドロキシエチルステアリルアミン、アラキジルベヘニルアミン、ジメチルラウラミン、ステアリルアミンヒドロクロリド、ソイアミンクロリド、ステアリルアミンホルメート、Ｎ−タロウプロパンジアミンジクロリド、およびアモジメチコン（アミノ官能基で遮蔽されたシリコーンポリマー（例えば、アミノエチルアミノプロピルシロキサン）についてのＩＮＣＩ名）が挙げられる。アミドアミンおよびその塩の非限定的な例としては、ステアラミドプロピルジメチルアミン、ステアラミドプロピルジメチルアミンシトレート、パルミパルミタミドプロピルジエチルアミン、およびコカミドプロピルジメチルアミンラクテートが挙げられる。他のカチオン性界面活性剤としては、ジステアリルジモニウムクロリド（ｄｉｓｔｅａｒｙｌｄｉｍｏｎｉｕｍ  ｃｈｌｏｒｉｄｅ）、ジセチルジモニウムクロリド、グアーヒドロキシプロピルトリモニウムクロリドなどが挙げられる。低ｐＨにおいて、アミンオキシドは、プロトン化され得、そしてＮ−アルキルアミンと同様に挙動する。
【０１２９】
アルキルイミダゾリンの非限定的な例としては、アルキルヒドロキシエチルイミダゾリン（例えば、ステアリルヒドロキシエチルイミダゾリン、ココヒドロキシエチルイミダゾリン、エチルヒドロキシメチルオレイルオキサゾリンなど）が挙げられる。エトキシ化（ｅｔｈｙｏｘｙｌａｔｅｄ）アミンの非限定的な例としては、ＰＥＧ−ココポリアミン、ＰＥＧ−１５タロウアミン、クオタニウム−５２などが挙げられる。
【０１３０】
第四級アンモニウム化合物は、４つのアルキル置換基および／またはアリール置換基に共有結合した少なくとも１つの窒素原子を含む、モノマー物質またはポリマー物質であり、この窒素原子は、環境のｐＨにかかわらず、正に荷電したままである。第四級アンモニウム化合物は、多数の物質を含み、これらは、界面活性剤、コンディショナー、静電防止剤、および抗菌剤として広く使用され、そしてこれらとしては、アルキルベンジルジメチルアンモニウム塩、アルキルベタイン、複素環式アンモニウム塩、およびテトラアルキルアンモニウム塩が挙げられる。長鎖（脂肪）アルキルベンジルジメチルアンモニウム塩は、コンディショナー、静電防止剤、および繊維柔軟剤として好ましく、以下でより詳細に議論される。他の第四級アンモニウム化合物としては、第四級アンモニウムシリコーンが挙げられる。
【０１３１】
アルキルベンジルジメチルアンモニウム塩の非限定的な例としては、ステアラルコニウムクロリド、ベンザルコニウムクロリド、クオタニウム−６３、オレアルコニウムクロリド、ジデシルジモニウムクロリドなどが挙げられる。アルキルベタイン化合物としては、アルキルアミドプロピルベタイン、アルキルアミドプロピルヒドロキシスルタイン、およびアルキルアミドプロピルヒドロキシホスタインナトリウムが挙げられる。アルキルベタイン化合物の非限定的な例としては、オレイルベタイン、ココ−ベタイン、コカミドプロピルベタイン、ココ−ヒドロキシスルタイン、ココ／オレアミドプロピルベタイン、ココ−スルタイン、コカミドプロピルヒドロキシスルタイン、およびラウラミドプロピルヒドロキシホスタインナトリウムが挙げられる。複素環式アンモニウム塩としては、アルキルエチルモルホリニウムエトサルフェート、イソステアリルエチルイミドニウムエトサルフェート、およびアルキルピリジニウムクロリドが挙げられ、そしてこれらは、一般的に、乳化剤として使用される。複素環式アンモニウム塩の非限定的な例としては、セチルピリジニウムクロリド、イソステアリルエチルイミドニウムエトサルフェートなどが挙げられる。テトラアルキルアンモニウム塩の非限定的な例としては、コカミドプロピルエチルジモニウムエトサルフェート、ヒドロキシエチルセチルジモニウムクロリド、クオタニウム−１８、およびココジモニウムヒドロキシプロピル加水分解タンパク質（例えば、毛髪のケラチン）などが挙げられる。
【０１３２】
本発明のポリマーは、驚くべきことに、カチオン性界面活性剤および静電防止剤として適切な他のカチオン性化合物と適合性である。用語「静電防止剤」とは、例えば、電荷を蓄積させる傾向を減少させることによって、化粧品原料またはヒト身体表面（皮膚、毛髪など）および編物の電気的特性を変化させ、毛髪、皮膚および織物を調整し得る成分をいう。カチオン性の会合性ポリマーのカチオン適合性は、これらのポリマーを、ヘアケア組成物（例えば、シャンプー、シャンプー後のコンディショニングリンス、ヘアスプレー、整髪料など）において代表的に使用される静電防止剤を含有する処方物への組み込みに適するようにする。静電防止剤は、最終組成物の約３０重量％までの量で使用され得るが、これに限定されない。
【０１３３】
静電防止剤としては、第四級アンモニウム化合物、タンパク質誘導体、合成第四級アンモニウムポリマー、アミン、プロトン化アミンオキシド、ベタインなどが挙げられるが、
これらに限定されない。これらは、このような物質により与えられる任意の界面活性剤特性に加えて、特定の処方物および調整されたｐＨ条件下において、静電防止剤として作用し得る。以前に議論された静電防止剤に加えて、静電防止剤として有用な第四級アンモニウム化合物の非限定的な例は、トリモニウムアセトアミドプロピルクロリド、ベヘナミドプロピルジメチルアミン、ベヘナミドプロピルエチルジモニウムエトサルフェート、ベヘントリモニウムクロリド、セチルモルホリニウムエトサルフェート、セトリモニウムクロリド、コカミドプロピルエチルジモニウムエトサルフェート、ジセチルジモニウムクロリド、ジメチコンヒドロキシプロピルトリモニウムクロリド、ヒドロキシエチルベヘナミドプロピルジモニウムクロリド、クオタニウム−２６、クオタニウム−２７、クオタニウム−５３、クオタニウム−６３、クオタニウム−７０、クオタニウム−７２、クオタニウム−７６加水分解コラーゲン、ＰＰＧ−９ジエチルモニウムクロリド（ｄｉｅｔｈｙｌｍｏｎｉｕｍ  ｃｈｌｏｒｉｄｅ）、ＰＰＧ−２５ジエチルモニウムクロリド、ＰＰＧ−４０ジエチルモニウムクロリド、ステアラルコニウムクロリド、ステアラミドプロピルエチルジモニウムエチルエトサルフェート、ステアルジモニウムヒドロキシプロピル加水分解小麦タンパク質、ステアルジモニウムヒドロキシプロピル加水分解コラーゲン、小麦胚アミドプロパルコニウムクロリド、小麦胚アミドプロピルエチルジモニウムエトサルフェートなどである。
【０１３４】
合成第四級アンモニウムポリマーとしては、フィルム形成ポリマーおよびコンディショニングポリマーが挙げられる。合成第四級アンモニウムポリマーの非限定的な例としては、ジメチルジアリルアンモニウムクロリドのポリマーおよびコポリマー（例えば、ポリクオタニウム−４、ポリクオタニウム−６、ポリクオタニウム−７、ポリクオタニウム−２２、ポリクオタニウム−１０、ポリクオタニウム−１１、ポリクオタニウム−１５、ポリクオタニウム−１６、ポリクオタニウム−２４、ポリクオタニウム−２８、ポリクオタニウム−３２、ポリクオタニウム−３３、ポリクオタニウム−３５、ポリクオタニウム−３７、ポリクオタニウム−３９、ポリクオタニウム−４４、ＰＥＧ−２−ココモニウムクロリド（ｃｏｃｏｍｏｎｉｕｍ  ｃｈｌｏｒｉｄｅ）、クオタニウム−５２など）が挙げられる。
【０１３５】
用語「毛髪セット組成物」は、毛髪セット剤として少なくとも１つの本発明のポリマーを含む製品であって、毛髪を所望の形状（巻き毛または直毛）にする前、間または後に、毛髪（湿っているかまたは乾燥している）に適用される製品を包含し、製品の形態に関して限定されない。
【０１３６】
本発明のポリマーは、単体でフィルムを形成し、レオロジーを改変するコンディショニング固定剤として毛髪セット組成物およびヘアスタイリング組成物において驚くほど有用である。本発明のポリマーはまた、市販の補助的な毛髪固定ポリマー（例えば、非イオン性、カチオン性および両親媒性の毛髪セットポリマー、カチオン性のコンディショニングポリマーならびにそれらの組合せ）と組合せて有用である。驚くべきことに、予期せず増加した粘性および毛髪セット効力の特性が、補助的な従来の毛髪固定ポリマーおよび／または毛髪用コンディショニングポリマーと本発明のポリマーとの適切な組合せにより生じることが見出された。当該分野で周知である従来のポリマー性毛髪固定剤およびヘアスタイリングポリマーとしては、天然のゴムおよび樹脂、ならびに、合成起源の中性またはアニオン性ポリマーが挙げられる。市販の毛髪固定剤およびコンディショニング固定ポリマーの一覧は、ＩＮＣＩ  Ｄｉｃｔｉｏｎａｒｙ、供給業者のウェブサイトおよび営業用文献中に容易に見出され得る。例えば、Ｃｏｓｍｅｔｉｃｓ  ＆  Ｔｏｉｌｅｔｒｉｅｓ（登録商標）が出版するＰｏｌｙｍｅｒ  Ｅｎｃｙｃｌｏｐｅｄｉａ  １１７（１２），２００２年１２月（Ａｌｌｕｒｅｄ  Ｐｕｂｌｉｓｈｉｎｇ  Ｃｏｒｐｏｒａｔｉｏｎ，ＣａｒｏｌＳｔｒｅａｍ，ＩＬ）（その関連する開示は、本明細書中に参考として援用される）を参照のこと。
【０１３７】
ヘアスタイリングポリマーまたは固定ポリマーとして使用される、適切な市販の非イオン性ポリマー（すなわち中性）としては、ポリビニルピロリドン（ＰＶＰ）、ポリビニルピロリドン／酢酸ビニルコポリマー（ＰＶＰ／ＶＡ）などが挙げられるが、これらに限定されない。市販のカチオン性固定ポリマーとしては、以下が挙げられるが、これらに限定されない：ポリクオタニウムのＩＮＣＩ名を有するポリマー（例えば、ポリクオタニウム−４すなわちジアリルジモニウムクロリド／ヒドロキシエチルセルロースコポリマー（例えば、ＣＥＬＱＵＡＴ（登録商標）Ｈ−１００、Ｎａｔｉｏｎａｌ  Ｓｔａｒｃｈ）；四級化ビニルピロリドン／ジメチルアミノエチルメタクリレートコポリマーであるポリクオタニウム−１１（例えば、ＧＡＦＱＵＡＴ（登録商標）７３４、７５５、７５５Ｎ、ＩＳＰ）；四級化ビニルピロリドン／ビニルイミダゾリウムクロリドコポリマーであるポリクオタニウム−１６（例えば、ＬＵＶＩＱＵＡＴ（登録商標）ＦＣ−３７０、ＢＡＳＦ）；ビニルピロリドン／メタクリルアミドプロピルトリメチルアンモニウムクロリドコポリマーであるポリクオタニウム−２８（例えば、ＧＡＦＱＵＡＴ（登録商標）ＨＳ−１００、ＩＳＰ）；四級化ビニルカプロラクタム／ビニルピロリドン／メチルビニルイミダゾリウムメトサルフェートコポリマーであるポリクオタニウム−４６；四級化ビニルピロリドン／ジメチルアミノプロピルメチルアクリルアミド／ラウリルジメチルプロピルメタクリルアミドアンモニウムクロリドコポリマーであるポリクオタニウム−５５（例えば、ＳＴＹＬＥＺＥＴＭ  Ｗ、ＩＳＰ）など）；ならびに酸性ｐＨ条件下でカチオン性であるアミノ置換ポリマー（例えば、ビニルカプロラクタム／ＰＶＰ／ジメチルアミノエチルメタクリレートコポリマー（例えば、ＧＡＦＦＩＸ（登録商標）ＶＣ−７１３、ＩＳＰ）；ＰＶＰ／ジメチルアミノエチルメタクリレートコポリマー（例えば、Ｃｏｐｏｌｙｍｅｒ  ８４５，ＩＳＰ）、ＰＶＰ／ＤＭＡＰＡアクリレートコポリマー（例えば、ＳＴＹＬＥＺＥＴＭ  ＣＣ−１０、ＩＳＰ）、Ｃｈｉｔｏｓａｎ  ＰＣＡのＩＮＣＩ名を有するキトサンのピロリドンカルボン酸塩（例えば、ＫＹＴＡＭＥＲ（登録商標）ＰＣ、Ａｍｅｒｃｈｏｌ）など）。
【０１３８】
適切な両性固定ポリマーとしては、オクチルアクリルアミド（ａｃｒｙａｍｉｄｅ）／アクリレート／ブチルアミノエチルメタクリレートコポリマー（例えば、ＡＭＰＨＯＭＥＲ（登録商標）ポリマー、Ｎａｔｉｏｎａｌ  Ｓｔａｒｃｈ）、アクリレート／ラウリルアクリレート／ステアリルアクリレート／エチルアミンオキシドメタクリレートコポリマー（例えば、ＤＩＡＦＯＲＭＥＲ（登録商標）ポリマー、Ｃｌａｒｉａｎｔ  Ｃｏｒｐ．）などが挙げられるが、これらに限定されない。
【０１３９】
適切な市販のコンディショニングポリマーとしては、以下のようなポリマー性第四級アンモニウム塩が挙げられるが、これらに限定されない：アクリルアミドとジメチルジアリルアンモニウムクロリドのモノマーとのポリマー性第四級アンモニウム塩であるポリクオタニウム−７（例えば、ＭＡＣＫＥＲＮＩＵＭＴＭ−００７、ＭｃＩｎｔｙｒｅ  Ｇｒｏｕｐ，Ｌｔｄ．）；トリメチルアンモニウム置換エポキシドと反応したヒドロキシエチルセルロースのポリマー性第四級アンモニウム塩であるポリクオタニウム−１０（例えば、ＵＣＡＲＥ（登録商標）Ｐｏｌｙｍｅｒｓ  ＪＲ、ＬＫ、ＬＲ、ＳＲシリーズ，ＡｍｅｒｃｈｏｌおよびＣＥＬＱＵＡＴ（登録商標）ＳＣシリーズ，Ｎａｔｉｏｎａｌ  Ｓｔａｒｃｈ）；ポリクオタニウム−３９、すなわち、アクリル酸、ジアリルジメチルアンモニウムクロリドおよびアクリルアミドのポリマー性第四級アンモニウム塩（例えば、ＭＥＲＱＵＡＴ（登録商標）およびＭＥＲＱＵＡＴ（登録商標）Ｐｌｕｓポリマー，Ｏｎｄｅｏ  Ｎａｌｃｏ）；天然ゴムの四級化誘導体（例えば、グアーヒドロキシプロピルトリモニウムクロリド（例えば、ＪＡＧＵＡＲ（登録商標）およびＪＡＧＵＡＲ（登録商標）Ｅｘｃｅｌポリマー，Ｒｈｏｄｉａ，Ｉｎｃ．）など。
【０１４０】
多数の第四級アンモニウム化合物が、織物のコンディショニングおよび織物のケアのために使用され、一般的に織物柔軟剤と称され、そして、代表的には、処方物の総重量の約２０重量％までの量で使用されるが、これらに限定されない。本発明のカチオン性の会合性ポリマーと組み合わせにおいて有用な織物柔軟剤としては、一般的に、Ｗｈａｌｌｅｙによる総論「Ｆａｂｒｉｃ  Ｃｏｎｄｉｔｉｏｎｉｎｇ  Ａｇｅｎｔｓ」，ＨＡＰＰＩ，ｐｐ．５５−５８（１９９５年２月）（これは、本明細書中に参考として援用される）に記載されるような、長鎖アルキル化第四級アンモニウム化合物（例えば、ジアルキルジメチル第四級アンモニウム化合物、イミダゾリン第四級化合物、アミドアミン第四級化合物、ジヒドロキシプロピルアンモニウム化合物のジアルキルエステル第四級誘導体；メチルトリエタノールアンモニウム化合物のジアルキルエステル第四級誘導体、エステルアミドアミン化合物、およびジメチルジエタノールアンモニウムクロリドのジエステル第四級誘導体）が挙げられる。
【０１４１】
以前に記載された静電防止剤に加えて、ジアルキルジメチル第四級アンモニウム化合物の非限定的な例としては、Ｎ，Ｎ−ジオレイル−Ｎ，Ｎ−ジメチルアンモニウムクロリド、Ｎ，Ｎ−ジタロウイル（ｄｉｔａｌｌｏｗｙｌ）−Ｎ，Ｎ−ジメチルアンモニウムエトサルフェート、Ｎ，Ｎ−ジ（水素化−タロウイル）−Ｎ，Ｎ−ジメチルアンモニウムクロリドなどが挙げられる。イミダゾリン第四級化合物の非限定的な例としては、１−Ｎ−メチル−３−Ｎ−タロウアミドエチルイミダゾリウムクロリド、ＶＡＲＩＳＯＦＴ（登録商標）４７５の商品名でＷｉｔｃｏ  Ｃｈｅｍｉｃａｌ  Ｃｏｍｐａｎｙから販売されている３−メチル−１−タロウイルアミドエチル−２−タロウイルイミダゾリウムメチルサルフェートなどが挙げられる。アミドアミン第四級化合物の非限定的な例としては、Ｎ−アルキル−Ｎ−メチル−Ｎ，Ｎ−ビス（２−タロウアミドエチル）アンモニウム塩が挙げられ、ここでアルキル基は、メチル、エチル、ヒドロキシエチルなどであり得る。ジヒドロキシプロピルアンモニウム化合物のジアルキルエステル第四級誘導体の非限定的な例としては、１，２−ジタロウイルオキシ−３−Ｎ，Ｎ，Ｎ−トリメチルアンモニオプロパンクロリド、１，２−ジカノールイルオキシ（ｄｉｃａｎｏｌｏｙｌｏｘｙ）−３−Ｎ，Ｎ，Ｎ−トリメチルアンモニオプロパンクロリドなどが挙げられる。
【０１４２】
さらに、他の型の長鎖（例えば、天然の油および脂肪酸由来）のアルキル化第四級アンモニウム化合物が、適切な織物柔軟剤であり、これらとしては、以下が挙げられる：Ｎ，Ｎ−ジ（アルキルオキシエチル）−Ｎ，Ｎ−ジメチルアンモニウム塩（例えば、Ｎ，Ｎ−ジ（タロウイルオキシエチル）−Ｎ，Ｎ−ジメチルアンモニウムクロリド、Ｎ，Ｎ−ジ（カノールイル（ｃａｎｏｌｙｌ）オキシエチル）−Ｎ，Ｎ−ジメチルアンモニウムクロリドなど）；Ｎ，Ｎ−ジ（アルキルオキシエチル）−Ｎ−メチル−Ｎ−（２−ヒドロキシエチル）アンモニウム塩（例えば、Ｎ，Ｎ−ジ（タロウイルオキシエチル）−Ｎ−メチル−Ｎ−（２−ヒドロキシエチル）アンモニウムクロリド、Ｎ，Ｎ−ジ（カノールイル（ｃａｎｏｌｙｌ）オキシエチル）−Ｎ−メチル−Ｎ−（２−ヒドロキシエチル）アンモニウムクロリドなど）；Ｎ，Ｎ−ジ（２−アルキルオキシ−２−エオキソエチル）−Ｎ，Ｎ−ジメチルアンモニウム塩（例えば、Ｎ，Ｎ−ジ（２−タロウイルオキシ−２−エオキソエチル）−Ｎ，Ｎ−ジメチルアンモニウムクロリド、Ｎ，Ｎ−ジ（２−カノールイル（ｃａｎｏｌｙｌ）オキシ−２−オキソエチル）−Ｎ，Ｎ−ジメチルアンモニウムクロリドなど）；Ｎ，Ｎ−ジ（２−アルキルオキシエチルカルボニルオキシエチル）−Ｎ，Ｎ−ジメチルアンモニウム塩（例えば、Ｎ，Ｎ−ジ（２−タロウイルオキシエチルカルボニルオキシエチル）−Ｎ，Ｎ−ジメチルアンモニウムクロリド、Ｎ，Ｎ−ジ（２−カノールイル（ｃａｎｏｌｙｌ）オキシエチルカルボニルオキシエチル）−Ｎ，Ｎ−ジメチルアンモニウムクロリドなど）；Ｎ−（２−アルカノイルオキシ−２−エチル）−Ｎ−（２−アルキルオキシ−２−エオキソエチル）−Ｎ，Ｎ−ジメチルアンモニウム塩（例えば、Ｎ−（２−タロウイルオキシ−２−エチル）−Ｎ−（２−タロウイルオキシ−２−オキソエチル）−Ｎ，Ｎ−ジメチルアンモニウムクロリド、Ｎ−（２−カノロイル（ｃａｎｏｌｏｙｌ）オキシ−２−エチル）−Ｎ−（２−カノロイルオキシ−２−オキソエチル）−Ｎ，Ｎ−ジメチルアンモニウムクロリドなど）；Ｎ，Ｎ，Ｎ−トリ（アルキルオキシエチル）−Ｎ−メチルアンモニウム塩（例えば、Ｎ，Ｎ，Ｎ−トリ（タロウイルオキシエチル）−Ｎ−メチルアンモニウムクロリド、Ｎ，Ｎ，Ｎ−トリ（カノールイル（ｃａｎｏｌｙｌ）オキシエチル）−Ｎ−メチルアンモニウムクロリドなど）；Ｎ−（２−アルキルオキシ−２−オキソエチル）−Ｎ−アルキル−Ｎ，Ｎ−ジメチルアンモニウム塩（例えば、Ｎ−（２−タロウイルオキシ−２−オキソエチル）−Ｎ−タロウイル−Ｎ，Ｎ−ジメチルアンモニウムクロリド、Ｎ−（２−カノールイル（ｃａｎｏｌｙｌ）オキシ−２−オキソエチル）−Ｎ−カノールイル（ｃａｎｏｌｙｌ）−Ｎ，Ｎ−ジメチルアンモニウムクロリドなど）。
【０１４３】
好ましくは、長鎖アルキル基は、獣脂、キャノーラ油、またはヤシ油に由来するが、例えば、大豆油およびココナッツ油に由来する他のアルキル基もまた適しており、これらのアルキル基は、例えば、ラウリル基、オレイル基、リシノール基、ステアリル基、パルミトイル基および類似の脂肪アルキル基である。第四級アンモニウム塩の化合物は、対イオンとして任意のアニオン性基（例えば、クロリド、ブロミド、メトサルフェート（すなわち、メチルサルフェート）、アセテート、ホルメート、サルフェート、ニトレートなど）を有し得る。
【０１４４】
好ましい第四級アンモニウム織物柔軟化合物の例としては、以下が挙げられる：Ｎ−メチル−Ｎ，Ｎ−ビス（タロウアミドエチル）−Ｎ−（２−ヒドロキシエチル）アンモニウムメチルサルフェートおよびＮ−メチル−Ｎ，Ｎ−ビス（水素化−タロウアミドエチル）−Ｎ−（２−ヒドロキシエチル）アンモニウムメチルサルフェート（これらの物質の各々は、Ｗｉｔｃｏ  Ｃｈｅｍｉｃａｌ  Ｃｏｍｐａｎｙから、それぞれ商品名ＶＡＲＩＳＯＦＴ（登録商標）２２２およびＶＡＲＩＳＯＦＴ（登録商標）１１０の下で入手可能である）；メチルトリエタノールアンモニウム塩のジアルキルエステル第四級誘導体（例えば、Ｃｏｇｎｉｓから入手可能であるビス（アシルオキシエチル）ヒドロキシエチルメチルアンモニウムメタンサルフェート第四級エステルのＤＥＨＹＱＵＡＲＴ（登録商標）ＡＵシリーズ（例えば、ＤＥＨＹＱＵＡＲＴ（登録商標）ＡＵ３５、ＡＵ４６、ＡＵ５６など））；ならびにＮ，Ｎ−ジ（タロウイルオキシエチル）−Ｎ，Ｎ−ジメチルアンモニウムクロリド（タロウ鎖（ｔａｌｌｏｗ  ｃｈａｉｎ）は、少なくと部分的に不飽和である）。他の好ましい織物柔軟剤としては、以下が挙げられる：周知のジアルキルジメチルアンモニウム塩（例えば、Ｎ，Ｎ−ジタロウイル−Ｎ，Ｎ−ジメチルアンモニウムメチルサルフェート、Ｎ，Ｎ−ジ（水素化−タロウイル）−Ｎ，Ｎ−ジメチル塩化アンモニウム、Ｎ，Ｎ−ジステアリル−Ｎ，Ｎ−ジメチルアンモニウムクロリド、Ｎ，Ｎ−ジベヘニル−Ｎ，Ｎ−ジメチルアンモニウムクロリド、Ｎ，Ｎ−ジ（水素化タロウ）−Ｎ，Ｎ−ジメチルアンモニウムクロリド（商品名ＡＤＯＧＥＮ（登録商標）４４２）、Ｎ，Ｎ−ジタロウイル−Ｎ，Ｎ−ジメチルアンモニウムクロリド（商品名ＡＤＯＧＥＮ（登録商標）４７０、ＰＲＡＥＰＡＧＥＮ（登録商標）３４４５）、Ｎ，Ｎ−ジステアリル−Ｎ，Ｎ−ジメチルアンモニウムクロリド（商品名ＡＲＯＳＵＲＦ（登録商標）ＴＡ−１００）（全てＷｉｔｃｏＣｈｅｍｉｃａｌ  Ｃｏｍｐａｎｙから入手可能）；商品名ＫＥＭＡＭＩＮＥ（登録商標）Ｑ−２８０２ＣでＨｕｍｋｏ  Ｃｈｅｍｉｃａｌ  Ｄｉｖｉｓｉｏｎ  ｏｆ  Ｗｉｔｃｏ  Ｃｈｅｍｉｃａｌ  Ｃｏｒｐｏｒａｔｉｏｎから販売されているＮ，Ｎ−ジベヘニル−Ｎ，Ｎ−ジメチルアンモニウムクロリド；および商品名ＶＡＲＩＳＯＦＴ（登録商標）ＳＤＣでＷｉｔｃｏ  Ｃｈｅｍｉｃａｌ  Ｃｏｍｐａｎｙから販売され、そして商品名ＡＭＭＯＮＹＸ（登録商標）４９０でＯｎｙｘ  Ｃｈｅｍｉｃａｌ  Ｃｏｍｐａｎｙから販売されているＮ，Ｎ−ジメチル−Ｎ−ステアリル−Ｎ−ベンジルアンモニウムクロリド）。
【０１４５】
上記の織物柔軟剤のいずれかおよびそれらの混合物は、特に、洗濯製品および織物ケア製品において、本発明のカチオン性の会合性ポリマーと組み合せて利用され得る。エステルを含有する織物柔軟剤について、組成物のｐＨは、特に長期保存状態において、織物柔軟剤の安定性に影響し得る。本発明の文脈において規定される場合、ｐＨは、約２０℃にてそのままの組成物において測定される。好ましくは、組成物のｐＨは、約６未満である。これらの化合物の加水分解に対する最適な安定性のために、ｐＨは、好ましくは、約２〜約５の範囲であり、より好ましくは、約２．５〜約３．５の範囲である。
【０１４６】
以前に記載されたタンパク質誘導体に加えて、タンパク質誘導体の非限定的な例としては、ココジモニウムヒドロキシプロピル加水分解カゼイン、ココジモニウムヒドロキシプロピル加水分解コラーゲン、ココジモニウムヒドロキシプロピル加水分解毛髪ケラチン、ココジモニウムヒドロキシプロピル加水分解コメタンパク質、ココジモニウムヒドロキシプロピル加水分解絹、ココジモニウムヒドロキシプロピル加水分解大豆タンパク質、ココジモニウムヒドロキシプロピル加水分解小麦タンパク質、ココジモニウムヒドロキシプロピル加水分解絹アミノ酸、ヒドロキシプロピルトリモニウム加水分解コラーゲン、ヒドロキシプロピルトリモニウム加水分解ケラチン、ヒドロキシプロピルトリモニウム加水分解絹、ヒドロキシプロピルトリモニウム加水分解米ぬか、ヒドロキシプロピルトリモニウム加水分解大豆タンパク質、ヒドロキシプロピルトリモニウム加水分解植物性タンパク質、ヒドロキシプロピルトリモニウム加水分解小麦タンパク質、ソイエチルジモニウムエトサルフェート、ソイエチルモルホリニウムエトサルフェートなどが挙げられる。
【０１４７】
非イオン性界面活性剤は一般的に、非荷電の両親媒性物質であり、通常、種々の程度にアルコキシル化されている。非イオン性界面活性剤の分類としては、アルコール、アルカノールアミド、アミンオキシド、エステルおよびエーテルが挙げられる。非イオン性アルコールは通常、長鎖Ｃ８〜Ｃ１８アルカン炭化水素のヒドロキシ誘導体（例えば、セテアリルアルコール、水素化獣脂アルコール、ラノリンアルコール、アルカノールアミドなど）である。アルカノールアミドは、少なくとも１つのアルコキシル基または１つのポリオキシエチレン基を含み、そしてこれらとしては、アルカノール誘導体化アミド（例えば、アクリルアミドＤＥＡ、Ｎ−アルキルピロリドン、パームアミドＭＥＡ、ピーナッツアミドＭＩＰＡ）など、およびＰＥＧ−５０タロウアミドのようなエトキシ化アミドが挙げられる。アミンオキシドとしては、以下が挙げられる：ラルラミンオキシドのようなアルキルアミンオキシド；および、コカミドプロピルアミンオキシドのようなアシルアミドプロピルモルホンオキシドなど。エステルとしては、以下が挙げられる：エトキシ化カルボン酸（例えば、ＰＥＧ−８ジラウレート、ＰＥＧ−８ラウレートなど）；エトキシ化グリセリド（例えば、ＰＥＧ−４ヒマシ油、ＰＥＧ−１２０グリセリルステアレート、トリオレインＰＥＧ−６エステルなど）；グリコールエステルおよびその誘導体（例えば、ステアリン酸グリコールＳＥ、リシノール酸プロピレングリコールなど）；モノグリセリド（例えば、グリセリルミリステト、グリセリルパルミトエートラクテートなど）；ポリグリセリルエステル（例えば、ポリグリセリル−６−ジステアレート、ポリグリセリル−４−オレイルエステルなど）、多価アルコールのエステルおよびエーテル（例えば、グルセト−２０セスキステアリン酸メチル、ジステアリン酸スクロースなど）；ソルビタン／ソルビトールエステル（例えば、ポリソルベート−６０、セキイソステアリン酸ソルビタンなど）；ならびにリン酸のトリエステル（例えば、トリデセト（ｔｒｉｄｅｃｅｔｈ）−３−ホスフェート、トリオレト（ｔｒｉｏｌｅｔｈ）−８−ホスフェートなど）。エーテルとしては、以下が挙げられる：エトキシ化アルコール（例えば、セテアレト（ｃｅｔｅａｒｅｔｈ）−１０、ノノオキシノール（ｎｏｎｏｘｙｎｏｌ）−９など）；エトキシ化ラノリン（例えば、ＰＥＧ−２０ラノリン、ＰＰＧ−１２−ＰＥＧ−６５ラノリン油など）；ジメチコンコポリオールなどのようなエトキシ化ポリシロキサン；プロポキシ化ＰＯＥエーテル（例えば、メロキサポール３１４、ポロキサマー１２２、ＰＰＧ−５−セテト（ｃｅｔｅｔｈ）−２０など）；およびラウリルグルコースなどのようなアルキルポリグリコシド。
【０１４８】
非イオン性界面活性剤は、乳化剤、懸濁剤、溶解剤、気泡増強剤として使用され得、そしていくつかの場合においては、ヒドロトロープとして使用され得る。一般的に好ましい非イオン性界面活性剤の非限定的な例としては、以下が挙げられる：直鎖もしくは分枝鎖のアルコールエトキシレート、Ｃ８〜Ｃ１２アルキルフェノールアルコキシレート（例えば、オクチルフェノールエトキシレート、ポリオキシエチレンポリオキシプロピレンブロックコポリマーなど）；ポリオキシエチレングリコールモノグリセリドおよびポリオキシエチレングリコールジグリセリドのＣ８〜Ｃ２２脂肪酸エステル；ソルビタンエステルおよびエトキシ化ソルビタンエステル；Ｃ８〜Ｃ２２脂肪酸グリコールエステル；エチレンオキシドとプロピレンオキシドとのブロックコポリマーなど。界面活性気泡増強剤またはヒドロトロープの非限定的な例としては、以下がが挙げられる：アルカノールアミド（例えば、アセトアミドＭＥＡ、モノエタノールアミド、ジエタノールアミド、コカミドＤＥＡ、イソプロパノールアミドなど）；水素化タロウアミンオキシドのようなアミンオキシド；トルエン硫酸ナトリウムのような短鎖アルキルアリールスルホネート；スルホコハク酸ステアリル酸二ナトリウムのようなスルホコハク酸塩など。
【０１４９】
両性界面活性剤および双性イオン性界面活性剤は、強酸媒体中では、正電荷を保有するし、強塩基媒体中では、負電荷を保有することによって、酸または塩基のいずれかとして挙動する能力を有し、そして中間のｐＨでは、双性イオン種を形成する化合物である。主な分類の両性界面活性剤は、アシル／ジアルキルエチレンジアミンおよびそれらの誘導体（例えば、ココアンフォカルボキシメチルヒドロキシ−プロピルサルフェート二ナトリウム、ココアンフォジプロピオネート二ナトリウム、ココアンフォ酢酸ナトリウム、ラウロアンフォＰＧ−アセテートフォスフェートナトリウム、タロウアンフォプロピオネートナトリウム、ウンデシルエノアンフォプロピオネートナトリウムなど）；およびＮ−アルキルアミノ酸（例えば、アミノプロピルラウリルグルタミド、ジヒドロキシエチル大豆グリシネート（ｄｉｈｙｄｒｏｘｙｅｔｈｙｌ  ｓｏｙａ  ｇｌｙｃｉｎａｔｅ）、ラウルアミノプロピオン酸など）である。
【０１５０】
本発明の組成物に使用するためのいくつかの適切な双性イオン性界面活性剤としては、脂肪族第四級アンモニウム、ホスホニウムおよびスルホニウム化合物の誘導体として幅広く記載されるものが挙げられ、脂肪族ラジカルは、直鎖でも分枝鎖でもよく、脂肪族置換基の１つは、約８個〜約１８個の炭素原子を含み、そして、別の置換基は、アニオン性の水溶性基（例えば、カルボキシ、スルホネート、サルフェート、ホスフェート、ホスホネートなど）を含む。双性イオンの分類としては、アルキルアミノスルホネート、アルキルベタイン、およびアルキルアミドベタイン（例えば、ステアラミドプロピルジメチルアミン、ジエチルアミノエチルステアラミド、ジメチルステアラミン、ジメチルソイアミン、ソイアミン、ミリスチルアミン、トリデシルアミン、エチルステアリルアミン、Ｎ−タロウプロパンジアミン、エトキシ化（５モルエチレンオキシド）ステアリルアミン、ジヒドロキシエチルステアリルアミン、アラキジルベヘニルアミンなど）が挙げられる。いくつかの適切なベタイン界面活性剤としては、アルキルベタイン、アルキルアミドプロピルベタイン、アルキルスルホベタイン、アルキルグリシネート、アルキルカルボキシグリシネート、アルキルアンフォプロピオネート、アルキルアミドプロピルヒドロキシスルタイン、アシルタウレート、およびアシルグルタメートが挙げられる（アルキル基およびアシル基は、８〜１８個の炭素原子を有する）が、これらに限定されない。好ましい両性界面活性剤の非限定的な例としては、コカミドプロピルベタイン、ココアンフォ酢酸ナトリウム、コカミドプロピルヒドロキシスルタインおよびココアンフォプロピオン酸ナトリウムが挙げられ、これらは、皮膚および毛髪に対して優しいタイプの洗浄剤として特に適している。
【０１５１】
ｐＨ調整剤が、予め酸膨潤するか、もしくは水膨潤したカチオン性の会合性ポリマー、またはカチオン性の会合性ポリマーを含有する処方物のいずれかに添加され得る。従って、ｐＨ調整剤は、最終組成物中で所望のｐＨ値を得るために必要な、任意の量で使用され得る。アルカリ性ｐＨ調整剤の非限定的な例としては、以下が挙げられる：アルカリ金属水酸化物（例えば、水酸化ナトリウムおよび水酸化カリウム）；水酸化アンモニウム；有機塩基（例えば、トリエタノールアミン、ジイソプロピルアミン、ドデシルアミン、ジイソプロパノールアミン、アミノメチルプロパノール、コカミン、オレアミン、モルホリン、トリアミルアミン、トリエチルアミン、トロメタミン、（２−アミノ−２−ヒドロキシメチル）−１，３−プロパンジオール）およびテトラキス（ヒドロキシプロピル）エチレンジアミン）；および無機酸のアルカリ金属塩（例えば、ホウ酸ナトリウム（ホウ砂）、リン酸ナトリウム、ピロリン酸ナトリウムなど）、ならびにそれらの混合物。酸性ｐＨ調整剤は、有機酸（アミノ酸を含む）および無機酸であり得る。酸性ｐＨ調整剤の非限定的な例としては、酢酸、クエン酸、フマル酸、グルタミン酸、グリコール酸、２個より多い炭素原子を含むα−ヒドロキシカルボン酸、塩酸、乳酸、硝酸、リン酸、硫酸水素ナトリウム、硫酸、酒石酸など、およびそれらの混合物が挙げられる。本発明の１つの局面において、全ての有機酸（グリコール酸を除く）は、ｐＨ調整剤として使用するために企図される。
【０１５２】
酸性ｐＨ調整剤によって中和し、所望の量のカチオン性ポリマーの膨潤を行った後、「戻りアルカリ性（Ｂａｃｋ−Ａｌｋａｌｉｎｅ）」処方技術が、より高いｐＨの組成物を達成するために利用される。組成物を含むこれらの安定な水性界面活性剤は、一般的に、分離、沈降分離、またはクリーム析出（ｃｒｅａｍｉｎｇ  ｏｕｔ）せずに、滑らかで、受容可能なレオロジーを維持し得、これらの界面活性剤は、粘性、濁りもしくはｐＨの増加または減少を伴わない。本発明の１つの実施形態において、この界面活性剤は、少なくとも１つの両性界面活性剤または双性イオン性界面活性剤から選択される。必要に応じて、カチオン性のポリマー／界面活性剤組成物は、、アニオン性界面活性剤、非イオン性界面活性剤、およびカチオン性界面活性剤、またはそれらの組み合わせから選択される他の界面活性剤を含み得る。
【０１５３】
本発明のポリマーは、増粘剤、フィルム形成剤、または着色料の毛髪および皮膚への沈着を促進するための染料懸濁剤もしくは顔料懸濁剤として使用され得る。毛髪に対する着色料は、一時的、半永久的、または永久的な毛髪染料、または毛髪を徐々に着色する色修復剤であり得る。一時的な毛髪染料および半永久的な毛髪染料は、代表的には、リンス、ジェル、スプレー、シャンプー、スティックなどであり、毛髪色修復剤は、代表的には、整髪料またはエマルジョンの形態である。永久的な毛髪染料、および長く持続する半永久的な毛髪染料は、一般的に、２つの部分を有する製品であり、１つの部分は、酸化的な染料中間体および発色剤を含み、そして他の部分は、安定化酸化剤（通常は、ｐＨ約３〜４の過酸化水素）を含み、これらは、使用の直前に一緒に混合される。このような二つの部分を有する毛髪染色製品は、染料の混合物を調製する場合に粘性を高くするために、界面活性剤成分（通常は、非イオン性界面活性剤またはアニオン性界面活性剤）と組み合わせて処方されることが、公知である。前述の参考文献に加えて、毛髪染色化学および毛髪染色組成物の一般的な議論は、Ｂｒｏｗｎら、ＳＣＣ  Ｍｏｎｏｇｒａｐｈ、「Ｐｅｒｍａｎｅｎｔ  Ｈａｉｒ  Ｄｙｅｓ」、Ｓｏｃｉｅｔｙ  ｏｆ  Ｃｏｓｍｅｔｉｃ  Ｃｈｅｍｉｓｔｓ（１９９６）に記載され、これは、本明細書中に参考として援用される。本発明のポリマーは、このような毛髪染色系の２つの部分の１つまたは両方に、酸性の安定した酸化部分に対する増粘剤として組み込まれても、酸性部分と混合する際に増粘される非酸化部分に組み込まれてもよい。
【０１５４】
上記で考察される成分に加えて、抗座瘡製品、顔面および身体の毛髪の脱色剤、および消毒製品に一般的に使用される他の成分としては、酸化剤（例えば、過酸化水素、過酸化ベンゾイル、および水溶性の無機過硫酸化合物（例えば、過硫酸アンモニウム、過硫酸カリウム、および過硫酸ナトリウム））が挙げられる。
【０１５５】
本発明のポリマーは、特に、水不溶性（疎水性）の油性物質（例えば、天然および合成の油、脂肪および蝋（例えば、植物油、動物の油および脂肪、パラフィン油およびパラフィン蝋、シリコーン油およびシリコーン蝋などが挙げられる）に対する乳化補助剤として特に有用である。多くの油性物質が、例えば、ヘアケア製品およびスキンケア製品中で、溶媒、キャリア、皮膚軟化剤、またはコンディショニング剤として使用される。
【０１５６】
本発明のポリマーは、驚くべきことに、シリコーン流体の有用な安定化剤であり、一般的に、シャンプー製品（例えば、いわゆる「２−イン−１」組合せのクレンジング／コンディショニングシャンプー）に使用され得る。シリコーン流体は、一般的に、アルキルシロキサンポリマーとして記載される。最も一般的な分類のシリコーンポリマーは、一般式ＣＨ３−（Ｓｉ（ＣＨ３）２−Ｏ）ｗ−Ｓｉ（ＣＨ３）３を有する直鎖ポリジメチルシロキサンであり、ｗは、２より大きい整数を意味する。シリコーンは、分枝状物質でもよく、ポリマー中の１つ以上のアルキル基は、分枝点をつくるために、酸素で置換される。シリコーン流体は代表的に、数ｍＰａ・ｓ〜数十万ｍＰａ・ｓの範囲の粘性を有する水不溶性油である。
【０１５７】
ヘアケア製品に使用するために特に有用な分類のシリコーンは、例えば、米国特許第４，９０２，４９９号に記載される（これは、本明細書中に参考として援用される）、いわゆる剛直シリコーン（ｒｉｇｉｄ  ｓｉｌｉｃｏｎｅ）（シリコーンゴムとしても公知である）であり、これは、一般的に、約２０℃にて約６０，０００ｍＰａ・ｓより高い粘度を有し、固有粘度測定によって測定した場合、少なくとも約５００，０００ダルトンの平均分子量を有する。本発明のポリマーは、驚くべきことに、剛直シリコーンのコンディショニング剤を含有する２−イン−１タイプのシャンプー処方物を安定化させるために有効である。
【０１５８】
本発明のポリマーと組み合わせて特に有用であるシリコーン物質の別の分類は、揮発性シリコーンであり、多くの場合、ヘアケア製品（例えば、シャンプー）中で潤滑剤として使用される。揮発性シリコーンとしては、環状ポリジメチルシロキサンおよび直鎖ポリジメチルシロキサンなどが挙げられる。環状揮発性シリコーンは、代表的に、環状環構造中に、酸素原子によって交換される約３〜約７個のケイ素原子を含む。各ケイ素原子はまた、２つのアルキル基（代表的にはメチル基）で置換される。直鎖揮発性シリコーンは、上記で定義されるとおりのシリコーン流体であり、約２５ｍＰａ・ｓ以下の粘性を有する。揮発性シリコーンの記載は、ＴｏｄｄおよびＢｙｅｒｓ、「Ｖｏｌａｔｉｌｅ  Ｓｉｌｉｃｏｎｅ  Ｆｌｕｉｄｓ  ｆｏｒ  Ｃｏｓｍｅｔｉｃｓ」、Ｃｏｓｍｅｔｉｃｓ  ａｎｄ  Ｔｏｉｌｅｔｒｉｅｓ、第９１巻、（１）、ｐｐ．２７−３２（１９７６）、およびＫａｓｐｒｚａｋ、「Ｖｏｌａｔｉｌｅ  Ｓｉｌｉｃｏｎｅｓ」、Ｓｏａｐ／Ｃｏｓｍｅｔｉｃｓ／Ｃｈｅｍｉｃａｌ  Ｓｐｅｃｉａｌｉｔｉｅｓ、ｐｐ．４０−４３（１９８６年１２月）に見出され、各々は、参考として本明細書中に援用される。
【０１５９】
他のシリコーン油としては、ジメチコンコポリオールが挙げられ、これは、ジメチルシロキサン（ジメチコン）およびアルキレンオキシドの直鎖状または分枝状のコポリマーである。ジメチコンポリオールは、ランダムコポリマーまたはブロックコポリマーであり得る。一般的に有用な分類のジメチコンポリオールは、ポリジメチルシロキサンのブロックとポリアルキレンオキシドのブロック（例えば、ポリエチレンオキシドのブロックを有するコポリマー、ポリプロピレンオキシドのブロックを有するコポリマーまたは、これら両方）とを有するブロックコポリマーである。シリコーン流体（揮発性シリコーンを含む）、シリコーンゴム、およびシリコーンコポリマーは、種々の商業的供給源（例えば、Ｄｏｗ  Ｃｏｒｎｉｎｇ、Ｇｅｎｅｒａｌ  Ｅｌｅｃｔｒｉｃ  Ｃｏｍｐａｎｙ、およびＮｏｖｅｏｎ，Ｉｎｃ．）から入手可能である。
【０１６０】
本発明のポリマーとの組み合わせにおいて有用である他の油状物質としては、例えば、以下が挙げられる：アセチル化ラノリンアルコール；ラノリンアルコール濃縮物；ラノリン脂肪酸のイソプロピルエステルのようなラノリン脂肪酸のエステル；ポリオール脂肪酸；エトキシ化アルコール（例えば、エトキシレートおよびヒマシ油）；ステロール；ステロールエステル；ステロールエトキシレート；ならびに類似物質。多数のこのようなエステルおよびエトキシレートはまた、非イオン界面活性剤として有用である。
【０１６１】
多くの成分が、毛髪または皮膚に対するコンディショニング剤および湿潤剤として当該分野で公知であり、そして、これまでに議論したものに加えて、非限定的な例としては、ＰＣＡ（ＤＬ−ピロリドンカルボン酸）およびその塩（例えば、リジンＰＣＡ、アルミニウムＰＣＡ、銅ＰＣＡ、キトサンＰＣＡなど）、アラントイン；尿素；ヒアルロン酸およびその塩；セラミド；ソルビン酸およびその塩；糖およびデンプンならびにそれらの誘導体；ラクトアミドＭＥＡなどが挙げられる。
【０１６２】
（「戻りアルカリ性（Ｂａｃｋ−Ａｌｋａｌｉ）」処方技術）
本発明のカチオン性のポリマーのレオロジー改変剤は、約６．８〜約３．０の酸性ｐＨが達成されるまで開始されず、実質的な粘性を生じない。化粧品処方物のｐＨは代表的に、約３．０〜約８．０の範囲のｐＨであるが、これに限定されない。
【０１６３】
驚くべきことに、両性界面活性剤と組み合わせた本発明のカチオン性ポリマーを含む処方物が、（粘性の所望の増加を得るために）ｐＨを酸性まで低下させられ、次いでｐＨを上昇させられた場合に、その粘度、濁度および収量の値は、ほぼ、変化しないままであるか、または多くの場合、事実上改善されることが見出された。本明細書中で、この処方する技術は、「戻りアルカリ性」増粘といわれる。この戻りアルカリ性処方技術は、本発明のカチオン性ポリマーに関する用途の範囲を拡張し、酸処理工程またはポリマーの増粘工程に続いて、処方物のｐＨを増加することを可能にする。さらに、戻りアルカリ性増粘のプロセスは、一般的に受容されるｐＨ範囲において処方される組成物の粘性および安定性をさらに増加させるために使用され得る。
【０１６４】
本発明の実施形態において、１つ以上のカチオン性のコポリマー、ポリマー、およびそれに類似するものは、水に添加され、そして混合される。その後、両性界面活性剤が、その水性ポリマー溶液に添加され、そしてその中で混合される。望まれる場合、アニオン性界面活性剤、非イオン性界面活性剤、およびカチオン性界面活性剤、またはそれらの組み合わせから選択される任意の界面活性剤が、その処方物に添加され得る。適切な両性界面活性剤、アニオン性界面活性剤、カチオン性界面活性剤および非イオン性界面活性剤は、本明細書中で所望される。その後、酸性ｐＨ調整剤が、添加されそして混合されて、所望の低ｐＨ処方物を得るために組成物のｐＨを減少させる。１つの局面において、最初に組成物のｐＨは、約０．５〜約７．０のｐＨの間に調整され得、別の局面においては、約３．０〜約６．０の間に調整され得、そしてなおさらなる局面においては、約４．０〜約５．０に調整され得る。上記酸性ｐＨ調整剤は、本明細書中で記載される有機酸および鉱酸から選択され得る。別の実施形態において、最初にｐＨカチオン性ポリマー組成物のｐＨを減少させ、そしてこのポリマー組成物の粘性の増加を達成し得る任意の酸性成分は、本発明の範囲内に企図される。この酸性活性成分は、ｐＨ調整剤有りまたは無しで使用され得る。適切な酸性成分の例は、本明細書中に記載される皮膚科学的な酸性活性成分および薬用化粧品用酸性活性成分から選択されるが、これらに限定されない。
【０１６５】
驚くべきことに、上記カチオン性ポリマーの中和工程（すなわち、ｐＨを低下させる）にクエン酸が使用される場合、上記組成物の粘性は、その後にアルカリ性ｐＨ調整剤がその処方物に添加される場合に事実上増加する。酸で増粘された組成物のｐＨは、その組成物の最終的な標的ｐＨを、望ましくは少なくとも１単位および好ましくは２単位、そして好ましくは少なくとも３ｐＨ単位下回るべきである。その後、アルカリ性ｐＨ調整剤が添加され、この組成物のｐＨを最終的な標的ｐＨまで増加させる。戻りアルカリ性処方技術に適するアルカリ性ｐＨ調整剤は、本明細書中に記載される。
【０１６６】
本発明の組成物の所望のｐＨは、特定の最終製品の用途に明らかに依存する。一般的に、パーソナルケア組成物は、約３〜約８．０の範囲のｐＨを有する。一般的に、家庭用ケア組成物は、約１〜約１２の範囲のｐＨを有する。
【０１６７】
以下の実施例はさらに、好ましい実施形態の調製および使用を説明するが、これらに限定することを意図しない。
【実施例】
【０１６８】
（材料および手順）
材料は、一般に、化学分野の当業者に公知である化学供給卸売業者、または示された供給業者から市販される。
【０１６９】
（１．材料の略語および商品名）
ＥＡ  エチルアクリレート
ＤＭＡＥＭＡ  ２−（Ｎ，Ｎ−ジメチルアミノ）エチルメタクリレート
ＤＥＡＥＭＡ  ２−（Ｎ，Ｎ−ジエチルアミノ）エチルメタクリレート
ＴＢＡＥＭＡ  ２−（ｔｅｒｔ−ブチルアミノ）エチルメタクリレート
ＤＭＡＰＭＡｍ  ２−（Ｎ，Ｎ−ジメチルアミノ）プロピルメタクリルアミド
ＤＭＡＮＰＡ  ２−（Ｎ，Ｎ−ジメチルアミノ）ネオペンチルアクリレート
ＴＭＣＨＭＡ  ３，３，５−トリメチルシクロヘキシルメタクリレート
ＭＭＡ  メチルメタクリレート
ＢＥＭ２５  ベヘネス−２５メタクリレート
ＣＣＥＭ２５  コレスー２５メタクリレートとセテスー２５メタクリレートとの約１：１混合物
ＬＥＭ２３  ラウレスー２３メタクリレート
ＴＥＭ２５  トリスチリルフェノールエトキシ化（２５）メタクリレート
ＣＳＥＭ２５  セテアレスー２５メタクリレート
ＨＥＭＡ  ２−ヒドロキシエチルメタクリレート
ＥＯＢＤＭＡ  エトキシ化（３０）ビスフェノールＡジメタクリレート
ＴＥＧＤＭＡ  トリエチレングリコールジメタクリレート
Ｒ３０７  実験式ＣＨ２＝ＣＨ−Ｏ（ＣＨ２）４Ｏ（Ｃ３Ｈ６Ｏ）４（Ｃ２Ｈ４Ｏ）３０Ｈを有する無作為にエトキシ化／プロポキシ化された１，４−ブタンジオールビニルエーテル（ＥＭＵＬＳＯＧＥＮ（登録商標）Ｒ３０７、Ｃｌａｒｉａｎｔ  Ｃｏｒｐｏｒａｔｉｏｎ）
ＲＡＬ３０７  実験式ＣＨ２＝ＣＨＣＨ２Ｏ（Ｃ３Ｈ６Ｏ）４（Ｃ２Ｈ４Ｏ）３０Ｈを有する無作為にエトキシ化／プロポキシ化されたアリルエーテル（ＥＭＵＬＳＯＧＥＮ（登録商標）ＲＡＬ３０７、Ｃｌａｒｉａｎｔ  Ｃｏｒｐｏｒａｔｉｏｎ）
Ｒ２０８  実験式ＣＨ２＝ＣＨ−Ｏ（ＣＨ２）４Ｏ（Ｃ３Ｈ６Ｏ）４（Ｃ２Ｈ４Ｏ）２０Ｈを有する無作為にエトキシ化／プロポキシ化された１，４−ブタンジオールビニルエーテル（ＥＭＵＬＳＯＧＥＮ（登録商標）Ｒ２０８、Ｃｌａｒｉａｎｔ  Ｃｏｒｐｏｒａｔｉｏｎ）
Ｃ８９７  ＨＬＢ１８を有すると報告されるＩＮＣＩ名がオクトキシノール−４０であるエトキシ化オクチルフェノール（ＩＧＥＰＡＬ（登録商標）ＣＡ−８９７、Ｒｈｏｄｉａ，Ｉｎｃ．）
Ｐ−３８  ＨＬＢ１９を有すると報告されるＩＮＣＩ名がセテアレス−２７であるエトキシ化（２７）セテアリルアルコール（ＰＬＵＲＡＦＡＣ（登録商標）Ａ−３８、ＢＡＳＦ  Ｃｏｒｐ．）
Ｐ−３９  ＨＬＢ２４を有すると報告されるＩＮＣＩ名がセテアレス−５５であるエトキシ化（５５）セテアリルアルコール（ＰＬＵＲＡＦＡＣ（登録商標）Ａ−３９、ＢＡＳＦ  Ｃｏｒｐ．）
Ｅ４０７  アルコール単位あたり４０個のエチレンオキシド単位を有する二次Ｃ１１エトキシレート（ＥＭＵＬＳＯＧＥＮ（登録商標）ＥＰＮ４０７、Ｃｌａｒｉａｎｔ  Ｃｏｒｐ．）
Ｆ１２７  ＨＬＢ２２および式：ＨＯ（Ｃ２Ｈ４Ｏ）９８（Ｃ３Ｈ６）６７（Ｃ２Ｈ４Ｏ）９８Ｈを有すると報告されるエチレンオキシドとプロピレンオキシドとのブロックコポリマー（ＰＬＵＲＯＮＩＣ（登録商標）Ｆ１２７、ＢＡＳＦ  Ｃｏｒｐ．）
Ｌ−３５  ＨＬＢ１９および式：ＨＯ（Ｃ２Ｈ４Ｏ）１１（Ｃ３Ｈ６）１６（Ｃ２Ｈ４Ｏ）１１Ｈを有すると報告されるエチレンオキシドとプロピレンオキシドのとのブロックコポリマー（ＰＬＵＲＯＮＩＣ（登録商標）、Ｌ３５、ＢＡＳＦ  Ｃｏｒｐ．）
Ｘ１００５  エトキシ化（１００）イソトリデシルアルコール（ＧＥＮＡＰＯＬ（登録商標）Ｘ１００５、Ｃｌａｒｉａｎｔ  Ｃｏｒｐ．）
Ａ５０６０  エトキシ化（５０）直鎖状脂肪アルコール（ＤＩＳＰＯＮＩＬ（登録商標）Ａ５０６０、Ｃｏｇｎｉｓ）
ＡＭＨＥＣ  アリル改変ヒドロキシエチルセルロース粉末（＜１８０μｍ）（ＴＹＬＯＳＥ（登録商標）ＡＭ  Ｈ４０  ＹＰ２；Ｃｌａｒｉａｎｔ  Ｃｏｒｐ．）
（２．方法）
（Ａ．粘度）  組成物を含む各ポリマーの報告された粘度を、１分間あたり２０回転（ｒｐｍ）で、約２０〜約２５℃の室温で、Ｂｒｏｏｋｆｉｅｌｄ回転軸粘度計（Ｂｒｏｏｋｆｉｅｌｄ、Ｍｏｄｅｌ  ＲＶＴ）を使用して（Ｂｒｏｏｋｆｉｅｌｄ粘度を参照のこと）、ミリ−パスカル秒（ｍＰａ・ｓ）で測定した。
【０１７０】
「薄い粘度または低粘度」とは、代表的に、注ぎ可能であることをいい、約１，０００ｍＰａ・ｓまでの粘度を有する流れやすい生成物をいい；「中程度の粘度」とは、１，０００ｍＰａ・ｓ超〜約３，０００ｍＰａ・ｓの範囲の粘度を有する生成物をいい；「高粘度」とは、３，０００ｍＰａ・ｓ超〜約１０，  ０００ｍＰａ・ｓの範囲の粘度を有する生成物をいい、そして、「ゲル」は、他に示されない限り、１０，０００ｍＰａ・ｓより高い粘度を有する生成物をいう。
【０１７１】
（Ｂ．透明度）  報告される場合、ポリマー含有組成物の透明度を、組成物が作られた後、少なくとも約２４時間で、Ｂｒｉｎｋｍａｎｎ  ＰＣ９２０比色計によって、％Ｔ（透過率）で測定した。透明度の測定を、脱イオン水（１００％の透明度の評価）に対して行なった。約６０％以上の透明度を有する組成物は、実質的に透明であり；約４５〜５９％の範囲の透明度を有する組成物は、実質的に半透明であると判断した。
【０１７２】
（Ｃ．濁度）  報告される場合、ポリマー含有組成物の濁度を、標準として蒸留水（ＮＴＵ＝０）を用いて、比濁分析濁度計を使用して、比濁分析濁度単位（ＮＴＵ）で測定した。約９０以上のＮＴＵ値を有する組成物を、濁っていると判断した。
【０１７３】
（Ｄ．粒子サイズ）  ポリマーエマルジョンの粒子サイズを、ＮＩＣＯＭＰ（登録商標）３７０自動希釈サブミクロン粒子サイズ分析計（Ｐａｒｔｉｃｌｅ  Ｓｉｚｉｎｇ  Ｓｙｓｔｅｍｓ、Ｓａｎｔａ  Ｂａｒｂａｒａ、ＣＡ）を使用して、製造者の推奨する手順に従ってナノメートル（ｎｍ）で、測定し、そのデータを５０％体積に対して記録した。
【０１７４】
（Ｅ．安定性）  ポリマー生成物エマルジョンまたは処方した組成物の安定性を、１つ以上の以下の手順によって評価した。
【０１７５】
（１．凍結／解凍周期）  試験生成物の約２０ｇのサンプルを、サンプルを約−１２℃の温度で約１６時間凍結させ、次いで、約２６℃の温度で約８時間解凍することによる、少なくとも１回の凍結／解凍（Ｆ／Ｔ）周期に供した。次いで、このサンプルを相分離について、外観で評価した。エマルションがクリーム状を示す場合、または流動性に負に影響する粘度の増加を示す場合、Ｆ／Ｔ試験は、不合格であった。５回のＦ／Ｔ周期を通して、実質的に変化せずに残っている生成物を非常に安定であると判断した。
【０１７６】
（２．棚保存）  試験生成物のサンプルを１つ以上の以下の温度で保存した：ａ）約２０℃〜約２５℃の範囲である室温で、少なくとも１週間〜約６ヶ月までの期間；ｂ）乾燥器で加温して、約５℃〜約４５℃の範囲（他に示されない限り）の選択した温度で、約５週間までの期間（促進老化保存）。
【０１７７】
目に見える沈殿について保存サンプルの外観を定期的に観察することにより、または以下の実施例で示したような選択した間隔で測定した測定可能なＢｒｏｏｋｆｉｅｌｄ粘度の目立った増加により、安定性を測定した。周囲温度での保存では、このサンプルを、１週間、毎日視覚的に確認し、次いで約２ヶ月の保存期間全体にわたって、隔週で確認し、その後、約６ヶ月までの保存期間全体にわたって月に一度確認した。いずれの保存温度下でも、ａ）沈殿が確認されなかった場合、または、ある程度の沈殿は生じるが、サンプルの総体積の約２％以下であった場合、そしてｂ）粘度が増加しない場合、または増加が生じるが、その増加が約１０００ｍＰａ・ｓ以下である場合に、組成物を安定であると判断した。
【０１７８】
（Ｅ．高湿度カール保持（ＨＨＣＲ））  ポリマーの毛髪セット効力を、高湿度カール保持（ＨＨＣＲ）と一般的に称される周知の技術を使用して、高湿度（相対湿度（ＲＨ）約９０％）で適用した組成物および周囲の雰囲気から水を吸収した後の毛髪にセットしたカールを保持するその能力によって、測定した。ＨＨＣＲ方法論の記載は、化粧品の文献に容易に見出される。例えば、Ｃｈ．３０，Ｈａｒｒｙ’ｓ  Ｃｏｓｍｅｔｉｃｏｌｏｇｙ，第８版，Ｍ．Ｊ．Ｒｉｅｇｅｒ，Ｐｈ．Ｄ．（編），６６６−６６７，ＣｈｅｍｉｃａｌＰｕｂｌｉｓｈｉｎｇ Ｃｏ．，Ｉｎｃ．，Ｎｅｗ Ｙｏｒｋ，ＮＹ（２０００）、およびＤｉａｚら，Ｊ．Ｓｏｃ．Ｃｏｓｍｅｔ．Ｃｈｅｍ．，３４，２０５−２１２（１９８３年７月）を参照のこと。これらそれぞれの関連する開示は、本明細書中で参考として援用される。
【０１７９】
市販の混合白人未処理（未使用）ヒト毛髪の束を、天然の茶色または黒色の欧州人毛髪（Ｉｎｔｅｒｎａｔｉｏｎａｌ  Ｈａｉｒ  Ｉｍｐｏｒｔｅｒｓ  ａｎｄ  Ｐｒｏｄｕｃｔｓ  Ｉｎｃ．，ＮｅｗＹｏｒｋ．より供給される）を使用して調製した。各毛髪の束（約３ｇの重量）は、長さ約７インチ（約１８ｃｍ）であり、これを、頭皮（生え際）末端部分に接着剤で固定した。使用前に、各毛髪の束を、室温で、希釈したラウリル硫酸ナトリウム水溶液（１０％  ＳＬＳ）で洗浄し、その後、室温で、脱イオン水ですすぎ、そしてタオルで吸い取って乾かすことによって、事前洗浄した。最初の髪の伸長した長さ（Ｌｅ）を測定した。約０．８ｇの評価するポリマー含有組成物を、毛髪の束に適用し、頭皮から末端部分まで均一に分布させた。次いで、この処理した毛髪の束を約３ｃｍの外径を有するヘアカーラーの周りに巻きつけ、そしてカーラーの上で一晩、約２１〜約２３℃である室温で乾燥させた。乾燥後、カーラーを丁寧に除去し、毛髪形状を単一のカールのままにし、毛髪カールの最初の長さ（Ｌｉ）を測定し、そしてカールした毛髪の束を、約２６〜約２７℃の室温および約９０％ＲＨの高い環境湿度に設定した湿潤チャンバー中に、垂直に吊るした。
【０１８０】
カール保持（ＨＨＣＲ）百分率を、湿度への曝露の選択された間隔の後にカールが伸びたときの、毛髪カールの長さ（Ｌｔ）を測定することにより、決定した。以下の方程式を、最初のカールの長さ（Ｌｉ）およびカールする前の完全に伸ばした毛髪の長さ（Ｌｅ）対して、カール保持百分率を計算するために使用した。
【０１８１】
【化５】
2007527946.tif 000004
カール長さの変化（下垂した螺旋構造）を定期的に測定し、そして約４〜約２４時間の範囲の期間にわたってモニタリングし、最終的な測定を、約２４時間後に行った。約９０％のＲＨでの約０．７５時間の最小時間に対して約７０％以上のカール保持（ＨＨＣＲ）が、良好な高湿度抵抗の従来的基準値である。少なくとも１．２５時間〜約３時間で約７０％の毛髪セッティング効力（すなわち、ＨＨＣＲ）を、非常に良好であると判断し、そして少なくとも３時間以上の時間の後で、約７０％より大きいＨＨＣＲを、優秀であると判断した。５０％以下のＨＨＣＲを、弱いと判断した。
【０１８２】
（実施例１．ポリマー）
表２中のポリマーＡとして同定した酸膨潤可能なカチオン性の会合性ポリマーを、上記し、かつ以下にさらに詳細に記載した一般的手順に従って調製した。
【０１８３】
モノマーエマルジョンを、約７重量部のＣ８９７非イオン性界面活性剤および約０．３重量部のラウリル硫酸ナトリウム（３０％）アニオン性界面活性剤を含む約３５０重量部の水を含む反応器へ、約５６重量部のエチルアクリレート、約３７重量部のＤＭＡＥＭＡ、約２重量部のＨＥＭＡ、約３重量部のＢＥＭ２５、約２重量部のＲ２０８および約０．１５重量部のＴＥＧＤＭＡを混合撹拌しながら添加することによって調製した。生じた混合物を、窒素雰囲気下で、約３０℃〜約４０℃の範囲の温度にて、エマルジョンが得られるまで撹拌（約２００ｒｐｍ）した。次いで、約３重量部の水中の約０．１５重量部の過硫酸ナトリウムの溶液を、モノマーエマルジョンに混合撹拌しながら添加し、重合反応を開始した。反応混合物の温度を、約６０℃〜約６２℃の範囲の温度で、開始剤の添加後、約２．５時間維持した。開始剤のさらなる量を、反応を開始してから約０．５時間後および１．５時間後に添加した（開始剤のそれぞれのさらなる添加した量に対して、約３．５重量部の水中の約０．０２重量部の過硫酸ナトリウムを添加した）。
【０１８４】
生じたポリマーエマルジョンを、約４４℃〜約４６℃の範囲の温度まで、約４５分間にわたって冷却し、そして酸化溶液を、反応混合物に２部に分けて１時間の間隔をおいて添加した。各酸化（酸化還元）溶液は、約９重量部の水中に、約０．１５重量部のｔ−ブチルヒドロペルオキシド（７０％）、約０．０１５重量部のラウリル硫酸ナトリウム（３０％）および約０．１５重量部のメタ重亜硫酸ナトリウムを含んだ。
【０１８５】
次いで、ポリマーエマルジョンを室温まで冷却し、反応器から取り出し、瓶詰めし、そして室温の不活性雰囲気下で保存した。生じたポリマーエマルジョン（ポリマーＡ）は、約２１重量％の総ポリマー固形物を有し、約８．３のｐＨ、および約３２ｍＰａ・ｓの粘度を有した。残留エチルアクリレートモノマーの濃度は、約１．２ｐｐｍ未満であり、そして残留ＤＭＡＥＭＡの濃度は、約９ｐｐｍ未満であった。
【０１８６】
それぞれ表１に示すモノマー成分および界面活性剤を有する比較ポリマーであるＣＰ−１、ＣＰ−２、ＣＰ−３、ＣＰ−４およびＣＰ−５、ならびにそれぞれ表２および表２Ａに示すモノマー成分および界面活性剤を有する本発明のカチオン性の会合性ポリマーであるポリマーＢ〜ＹおよびＡＡ〜ＡＴを、上記ポリマーＡの調製の一般的方法に従って調製した。各モノマー型および界面活性剤の量を、必要な場合に調整し、表１、表２および表２Ａに列挙したモノマー重量％値および界面活性剤重量％値を達成した。表中の全てのモノマー％値は、モノマー混合物の総重量に基づく重量％であり；それに対して、全ての界面活性剤％値は、エマルジョンの総重量（すなわち、モノマー、添加物、界面活性剤および水の全てを合わせた重量）に基づく。全てのエマルジョンを、エマルジョンの総重量に基づいて、少なくとも約１５重量％から約２０重量％までの範囲の活性ポリマー濃度で調製した。ポリマーエマルジョンＣＰ−１およびＣＰ−２（表１）およびエマルジョンＢ、Ｃ、Ｄ、ＥおよびＦ（表２）はまた、約２．５重量％（エマルジョンの総重量に基づく）のプロピレングリコールを、乳化補助剤として含む。
【０１８７】
表１、表２および表２Ａにおいて、ＡＳＶ＝アミノ置換ビニル；ＨＮＶ＝疎水性の非イオン性ビニル、ＡＶ＝会合性ビニルであり；そして表２および表２Ａにおいて、Ｍｏｎ．＝モノマー；およびＳＶＳ＝半疎水性ビニル界面活性剤である。
【０１８８】
（表１．比較酸性ポリマーエマルジョン）
【０１８９】
【表１】
2007527946.tif 000005
（表２．カチオン性の会合性ポリマーエマルジョン）
【０１９０】
【表２−１】
2007527946.tif 000006
（表２Ａ．カチオン性の会合性ポリマーエマルジョン）
【０１９１】
【表２−２】
2007527946.tif 000007
ポリマーの調製後、生成物エマルジョンを分析して、ｐＨ、ポリマー含量に基づく全固形物の百分率、Ｂｒｏｏｋｆｉｅｌｄ粘度（スピンドル番号２、２０ｒｐｍ、室温）および粒子サイズ（ｎｍ）を決定した。未中和の生成物ポリマーエマルジョンは、一般的に、ｐＨ約７．５〜約９の範囲のｐＨ；約１５〜約２５重量％の範囲の全固形物；約１０〜約１００ｍＰａ・ｓの範囲のＢｒｏｏｋｆｉｅｌｄ粘度、および約８０ｎｍ〜約２６０ｎｍの範囲の平均粒子サイズを有した。
【０１９２】
表２に示すカチオン性の会合性ポリマーの生成物エマルジョンは、安定なままであり（５回までのＦ／Ｔ周期の研究に基づく）、そして棚保存は室温で少なくとも約５ヶ月間、安定であった。約４５℃の温度で約５週間保存した上述のカチオン性の会合性ポリマーエマルジョンの粘度は、安定なままであり、約１００ｍＰａ・ｓより大きい粘度の上昇は、全く記録されなかった。
【０１９３】
対照的に、表１に示す比較カチオン性ポリマー（すなわち、ＳＶＳモノマーを完全に欠く）の生成物エマルジョンに関するエマルジョンの安定性は、いずれも乏しい（すなわち、室温で２ヶ月未満である）（ＣＰ−１、ＣＰ−２およびＣＰ−５）か、またはこれらの生成物は、凝結したので、粘度は測定不能であると判断した（ＣＰ−３およびＣＰ−４）。
【０１９４】
（実施例２．カチオン性塩の適合性）
この実施例は、表２のポリマーＨ、ＸおよびＹ（カチオン性第四級アンモニウム塩であるセチルトリメチルアンモニウムクロリド（本明細書中では簡潔にＣＴＡＣと呼ぶＩＮＣＩ名  セトリモニウムクロリド）を含む）を除き、Ｂｒｏｏｋｆｉｅｌｄ粘度および濁度（ＮＴＵ）に基づいて、実施例１の全カチオン性の会合性ポリマーの適合性を示す。カチオン性の会合性ポリマー（以下に示す）を含有する水性組成物を、約２％の活性ポリマー重量濃度ならびに約０．５重量％、１重量％および１．５重量％の量（活性重量ベース）のＣＡＴＣにて調製した。決定された粘度および濁度の値を、以下の表３、表３Ａ、表３Ｂおよび表３Ｃに示す。
【０１９５】
【表３−１】
2007527946.tif 000008
【０１９６】
【表３−２】
2007527946.tif 000009
【０１９７】
【表３−３】
2007527946.tif 000010
【０１９８】
【表３−４】
2007527946.tif 000011
全てのカチオン性の会合性ポリマーの水性組成物は、滑らかなテクスチャーであり、そして流動性であった。対照的に、実施例１の表１に示されるＣＰ−１を、２％の活性ポリマー重量濃度で使用して調製される水性組成物は、ＣＴＡＣなしで約５０，４００ｍＰａ・ｓ、０．６％のＣＴＡＣで約５７，４００ｍＰａ・ｓ、１．２％のＣＴＡＣで約２８，０５０ｍＰａ・ｓ、１．５％のＣＴＡＣで２８，３００ｍＰａ・ｓのＢｒｏｏｋｆｉｅｌｄ粘度を有し、そして凝結して粒状のテクスチャーを有した。同様に、ＣＰ−２を含有する組成物もまた、凝結し、そして粒状であった。
【０１９９】
ポリマーＩ、Ｊ、Ｋ、Ｌ、Ｍ、Ｎ、Ｏ、Ｐ、Ｑ、Ｒ、ＳおよびＴでの評価に基づいて、１．５％のＣＴＡＣを含有する組成物のＢｒｏｏｋｆｉｅｌｄ粘度は、周囲温度で約２４時間にわたって実質的に変化しないままであった。
【０２００】
（実施例２Ａ）
この実施例は、モノマーおよび界面活性剤の適切な選択によって粘度が変化する実質的に透明な水性組成物を提供するためのカチオン性の会合性ポリマーの有用性を示す。
【０２０１】
実施例２の表３に示されるように、水中に２％の活性ポリマー重量にて、カチオン性の会合性ポリマーである、ポリマーＡ〜Ｃ、Ｅ〜ＱおよびＳ〜Ｗは、約１２，１００〜約３１，３５０ｍＰａ・ｓの範囲のＢｒｏｏｋｆｉｅｌｄ粘度を有するゲルを生成し、そしてポリマーＤおよびＲは、それぞれ、約７，６００ｍＰａ・ｓおよび８，６８０ｍＰａ・ｓの、高いＢｒｏｏｋｆｉｅｌｄ粘度を与えた。
【０２０２】
水中に２％の活性ポリマー重量にて、実施例１の表２に示すポリマーＨ、ＸおよびＹを、それぞれ、約６，４００ｍＰａ・ｓの高いＢｒｏｏｋｆｉｅｌｄ粘度、および約３１，８００ｍＰａ・ｓのゲル、および１８，９００ｍＰａ・ｓのゲルを与えた。
【０２０３】
同様に、水中に２％の活性ポリマー重量にて、ポリマーＡＡ〜ＡＨ、ＡＪ〜ＡＮ、およびＡＰ〜ＡＲ（実施例１の表２Ａに列挙する）は、約１０，３００ｍＰａ・ｓ〜約３０，７００ｍＰａ・ｓの範囲のＢｒｏｏｋｆｉｅｌｄ粘度を有する、実質的に透明なゲルを与えた。ポリマーＡＩおよびポリマーＡＯ（実施例１の表２Ａに列挙する）は、水中に２％活性ポリマー重量で、それぞれ、約２，５３０ｍＰａ・ｓ〜約８，８００ｍＰａ・ｓの範囲の中程度のＢｒｏｏｋｆｉｅｌｄ粘度を与えた。ポリマー安定化剤（例えば、ＡＭＨＥＣ）を含むポリマーエマルジョン（表２Ａに列挙するポリマーＡＬおよびＡＭ）は、良好な滑り特性を有する滑らかなゲルを生成した。
【０２０４】
水性であるカチオン性の会合性ポリマー（ポリマーＡＤ〜ＡＧ）についてのＮＴＵ値は、約１２〜約３１の範囲である。水性であるカチオン性の会合性ポリマー（ポリマーＹ、ＡＡ〜ＡＣ、およびＡＨ〜ＡＲ）の透明度は、約７０％Ｔ（ポリマーＡＨ）〜約９３％Ｔ（ポリマーＹ）の範囲であった。
【０２０５】
より高い粘度を有する実質的に透明なゲルを、カチオン性の会合性ポリマーの量を増加することによって得た。例えば、ポリマーＡＱまたはポリマーＡＲの３％の活性ポリマー重量において、粘度はそれぞれ、約４４，４００ｍＰａ・ｓおよび６１，５００ｍＰａ・ｓまで上昇し、そして透明度は、実質的に変化しなかった（％Ｔは、約８５％〜約８８％の範囲であった）。３％の活性ポリマー重量において、ポリマーＡＲの粘度は、約１０％のエタノールを含むことによって、透明度（％Ｔは約８９であった）が低下することなく約４２，５００ｍＰａ・ｓに低下した。
【０２０６】
（実施例３）
この実施例は、表４に示す水溶液中で種々の活性重量％濃度の種々のカチオン性第四級アンモニウム塩を伴う、カチオン性の会合性ポリマー（実施例１のポリマーＡ）の適合性を示す。適合性を、それぞれ、方法ＡおよびＢで記載したように、Ｂｒｏｏｋｆｉｅｌｄ粘度および透明度（％Ｔ）に基づいて決定した。表４に示す全ての組成物は、容易に展着可能であり、そして流動性を有し、美学的に美しく、滑らかなテクスチャーで、塊または粒状性を有さない。
【０２０７】
【表４】
2007527946.tif 000012
注釈１．オレイルジメチルベンジルアンモニウムクロリドについてのＩＮＣＩ名。
注釈２．ＩＮＣＩ名、パルミタミドプロピルトリモニウムクロリド；ならびにＤｅｇｕｓｓａ  Ｃａｒｅ  Ｓｐｅｃｉａｌｔｉｅｓによって販売されるＰＰＧ−３ミリスチルエーテルおよびトリメチルペンタノールヒドロキシエチルエーテル固形物を有する混合物についての商品名。
注釈３．Ｎａｔｉｏｎａｌ  Ｓｔａｒｃｈによって販売されるヒドロキシエチルセルロースとジアリルジメチルアンモニウムクロリドとのコポリマー（例えば、ＣＥＬＱＵＡＴ（登録商標）Ｈ−１００）についてのＩＮＣＩ名。
注釈４．ＩＮＣＩ名化合物、グアーヒドロキシプロピルトリモニウムクロリドについてのＲｈｏｎｅ−Ｐｏｕｌｅｎｃの商品名。
注釈５．ジステアリルジメチルアンモニウムクロリドについてのＩＮＣＩ名。
注釈６．ジセチルジメチルアンモニウムクロリドについてのＩＮＣＩ名。
【０２０８】
（実施例４．酸性スキンケアエマルジョン）
この実施例は、表５に示される処方において、約５％のα−ヒドロキシ酸（乳酸）を含む酸性スキンケアエマルジョンにおける約０．５〜約０．６活性重量％の実施例１のカチオン性の会合性ポリマーＡの使用を示す。
【０２０９】
【表５】
2007527946.tif 000013
ｑ．ｓ．＝必要条件を満たすのに十分な量
注釈７．好ましくは、ＩＮＣＩ化合物、グリセリルステアレート（および）ＰＥＧ−１００ステアレート（例えば、Ｕｎｉｑｅｍａより販売されるＡＲＬＡＣＥＬ（登録商標）１６５）。
注釈８．ＩＮＣＩ名混合物シクロメチコン（および）ジメチコノールについてＤｏｗ  Ｃｏｒｎｉｎｇ  Ｃｏｒｐ．の商品名。
【０２１０】
高い温度で、成分番号２、３、４および５を含む油相、ならびに成分番号１、６、７、８および９を含む水相を別々に調製し、次いで、油相を水相に添加して、均質なエマルジョンが形成されるまで混合することによって、約５５℃〜約６５℃の範囲の温度で、処方物を調製した。次いで、このエマルジョンを、約３０℃まで冷却して、成分番号１０を用いて香り付けし、そして最終的なｐＨを、成分番号１１を用いて調整した。
【０２１１】
成分番号１１を用いてｐＨを調整する前に、このエマルジョンは、約２のｐＨを有した。この完成したエマルジョンは、約３．３のｐＨおよび約１１，４２０ｍＰａ・ｓのＢｒｏｏｋｆｉｅｌｄ粘度（２４時間の粘度）を有した。このエマルジョンは、非常に滑らかで光沢のあるローションであった。
【０２１２】
ローションの粘度は、必要な場合、カチオン性の会合性ポリマーの量を増加することによって、粘稠性のクリームになるまで上昇し得る。この組成物を、α−ヒドロキシ酸（ＡＨＡ）、β−ヒドロキシ酸（ＢＨＡ）などを使用する型の酸性スキンケア製品として使用に適していると判断した。
【０２１３】
（実施例５．繊維柔軟剤）
この実施例は、表６に示される処方物を有する第四級エステル含有繊維柔軟剤組成物において増粘剤として使用される実施例１のカチオン性の会合性ポリマー（ポリマーＡ（実施例５Ａ）およびポリマーＩ（実施例５Ｂ、５Ｃ）のカチオン性塩適合性を示す。
【０２１４】
【表６−１】
2007527946.tif 000014
注釈９．Ｃｏｇｎｉｓ  Ｃｏｒｐにより販売される、第四級エステルであるメチルトリエタノールアンモニウムメチルサルフェートジアルキルエステルについての商品名。
【０２１５】
組成物を、グリコール酸を用いて水中のポリマーを中和して、約４のｐＨを有するゲルを得ることによって調製し、次いで、第四級エステル成分をこのゲルに添加して、均質になるまで混合した。次いで、この均質な混合物のｐＨを、グリコール酸を用いてｐＨ約３に調整した。
【０２１６】
この組成物の粘度を、最初および２４時間後に決定し、そしてその安定性を、約５℃の温度にて約１２週間の棚保存後および約５０℃の温度にて約４週間後の粘度を測定することによって決定した。この結果を、表６Ａに示す。
【０２１７】
【表６−２】
2007527946.tif 000015
比較のために、組成物を、カチオン性の会合性ポリマーを、非イオン性／陽イオン電荷を有すると報告される約０．２％および０．４％の酸膨張可能な市販のレオロジー改変剤（Ｎａｔｉｏｎａｌ  Ｓｔａｒｃｈ  ＆  Ｃｈｅｍｉｃａｌよって商品名ＳＴＲＵＣＴＵＲＥ（登録商標）Ｐｌｕｓで販売される）で置換したことを除いて、再び調製した。製造業者に従って、この物質についてのＩＮＣＩ名は、アクリレート／アミノアクリレート／Ｃ１０〜３０アルキルＰＥＧ−２０イタコネートコポリマーであり、そしてこれは、約２１％の固形物、約８〜約９のｐＨを有する液体エマルジョンとして供給される。約０．２％および０．４％のＳＴＲＵＣＴＵＲＥ（登録商標）Ｐｌｕｓの活性重量％濃度にて、この処方物は、それぞれ、約１４０ｍＰａ・ｓおよび約２５０ｍＰａ・ｓの即時Ｂｒｏｏｋｆｉｅｌｄ粘度を有し、そしてそれらのそれぞれは、粒状のテクスチャーおよび不均一に流れる特徴を有した。
【０２１８】
（実施例６．毛髪用コンディショニング毛髪セット組成物）
この実施例は、毛髪を調整し、固定し、スタイリングするのに適した毛髪固定剤（ポリビニルピロリドン（ＰＶＰ））を含む２つの酸性の水性ゲル（実施例６Ａ、実施例６Ｂ）中の増粘剤として実施例１のカチオン性の会合性ポリマーＡの使用を示す。この組成物は、Ｂｒｏｏｋｆｉｅｌｄ粘度および透明度の％と共に表７に示される。
【０２１９】
【表７】
2007527946.tif 000016
注釈１０．Ｉｎｔｅｒｎａｔｉｏｎａｌ  Ｓｐｅｃｉａｌｔｙ  Ｐｒｏｄｕｃｔｓによって商品名ＧＡＦＱＵＡＴ（登録商標）７７５Ｎで販売される、中和された、四級化ビニルピロリドン／ジメチルアミノエチルメタクリレート（コポリマー）についてのＩＮＣＩ名。
【０２２０】
各組成物を、水中のグリコール酸を除いて、全ての成分を混合し、次いで、グリコール酸でｐＨを下げるように調整することによって調製した。両方の生成物は、滑らかに展着可能であり、美的でない「糸をひく」特徴を全く有さず、良好な毛髪セット効力（約１時間で７０％のＨＨＣＲ）を提供した。
【０２２１】
（実施例７．生物致死性の適合性）
この実施例は、表８に示される４つの処方物（実施例７Ａ、７Ｂ，７Ｃおよび７Ｄ）のカチオン性の生物致死性塩を有する実施例１のポリマーＡの適合性をＢｒｏｏｋｆｉｅｌｄ粘度と共に示す。
【０２２２】
【表８】
2007527946.tif 000017
注釈１１．Ｌｏｎｚａ，Ｉｎｃ．によって商品名ＢＡＲＤＡＣ（登録商標）２２５０で販売されるジデシルジメチルアンモニウムクロリドについてのＩＮＣＩ名。
注釈１２．Ｌｏｎｚａ，Ｉｎｃ．によって商品名ＢＡＲＱＵＡＴ（登録商標）ＭＢ  ５０で販売されるアルキルジメチルベンジルアンモニウムクロリド混合物（Ｃ１４，５０％；Ｃ１２，４０％；Ｃ１６，１０％）についてのＩＮＣＩ名。
【０２２３】
全ての組成物は、均質であり、そして滑らかに流れる特徴を有した。
【０２２４】
（実施例８．毛髪コンディショナー）
この実施例は、毛髪コンディショナー処方物における、保存粘度に基づいた棚安定性と共に表９に示される活性量のポリマーＩ（実施例８Ａ、８Ｂ）およびポリマーＱ（実施例８Ｃ）の使用を示す。
【０２２５】
【表９】
2007527946.tif 000018
注釈１３．平均で３〜６シロキサン単位を有する環状ジメチルポリシロキサン化合物（例えば、Ｓｉｌｉｃｏｎｅ  ＳＦ１１７３（Ｇｅｎｅｒａｌ  Ｅｌｅｃｔｒｉｃ）についてのＩＮＣＩ名。
【０２２６】
この組成物を、約６２〜約６３℃の範囲の温度にて、均質になるまで成分番号２、３、４および５を一緒に混合し、約４６〜約４７℃の範囲の温度までその混合物を冷却し、次いで、示したように成分番号１ａまたは１ｂのいずれかにおいて、成分番号７（存在する場合）、成分番号８、成分番号６および成分番号１０を均質になるまで混合することによって調製した。次いで、生成物のｐＨを、成分番号９を用いてｐＨ約４．５に調整した。
【０２２７】
全ての組成物は、滑らかなテクスチャーであり、そして流動性であった。
【０２２８】
（実施例９．毛髪コンディショナー）
この実施例は、毛髪コンディショナーとしての使用に適した表１０に示される処方物における２つの濃度（実施例９Ａ、９Ｂ）での実施例１のポリマーＩの使用を示す。
【０２２９】
【表１０−１】
2007527946.tif 000019
注釈１４．ビニルピロリドンおよびジメチルアミノプロピルメタクリルアミドモノマーからなる第四級アンモニウム塩についてのＩＮＣＩ名。
注釈１５．ＩＮＣＩ混合物シクロメチコン（および）ジメチコノールに対するＤｏｗ  Ｃｏｒｎｉｎｇの商品名。
【０２３０】
組成物を、Ａ相の成分を前もって混合し、そしてこの混合物を約５５〜約６０℃の範囲の温度まで加熱することによって調製した。Ｂ相の成分を、表の順に添加し、このバッチが均質になるまで攪拌し、次いで、このバッチを約３０℃の温度まで冷却し、そしてｐＨをＣ相によって約４．５に調整した。最終生成物は、クリーム状で、白色の外観、非常に良好に流れる特徴を有し、そして絹のような手触りに感じられた。Ｂｒｏｏｋｆｉｅｌｄ粘度に基づくこの組成物の保存安定性を、表１０Ａに示す。
【０２３１】
【表１０−２】
2007527946.tif 000020
（実施例１０．ゲル）
この実施例は、表１１に示される量の活性ポリマー重量％の３つの低ｐＨ水性ゲル（実施例１０Ａ、１０Ｂおよび１０Ｃ）における実施例１のポリマーＩの使用を示す。
【０２３２】
【表１１】
2007527946.tif 000021
上記ゲルを、汎用性の錆とり酸性洗浄剤および染み抜き酸性洗浄剤（例えば、酸性便器用洗浄剤、トラック用洗浄剤、タンク車用洗浄剤、床用洗浄剤など）としての使用に適していると判断した。
【０２３３】
上記水性ゲルはまた、無機鉱酸（例えば、クエン酸の代りに塩酸、硫酸またはリン酸）を用いて調製され、錆とりまたは産業用途に適した経済的な低ｐＨゲルを生成し得る。
【０２３４】
（実施例１１．透明な浴用ゲル）
この実施例は、透明ゲル組成物における約１％の活性ポリマー重量での実施例１のポリマーＩの使用を示す。このゲル組成物を、表１２に示される処方を使用して、ｐＨレベルを変えて調製した（ゲルＡ、ＢおよびＣ）。
【０２３５】
【表１２】
2007527946.tif 000022
（ゲルＡ）
ゲルＡを、以下のように調製した。成分番号１および２を前もって混合し、成分番号３を、穏やかに混合しながらこの前混合物に加え、次いでこの混合物を、成分番号４を用いてｐＨ約４まで中和した。次いで成分番号６および７を、中和されたポリマーゲルに、このゲルが均質で透明になるまで攪拌混合しながら加えた。ゲルＡは、約４．２のｐＨ、約４，２８０ｍＰａ・ｓのＢｒｏｏｋｆｉｅｌｄ粘度を有し、５回の凍結／解凍周期に基づいて安定であると判断した。
【０２３６】
（ゲルＢ）
ゲルＢを、予め調製した透明ゲルＡのｐＨを成分番号７を用いて約５．２に調整することによって調製した。ゲルＢのサンプルを、粘度、濁度および安定性について測定した。ゲルＢは、約３，３８０ｍＰａ・ｓのＢｒｏｏｋｆｉｅｌｄ粘度を有し、５回の凍結／解凍周期に基づいて安定であると判断した。
【０２３７】
（ゲルＣ）
ゲルＣを、予め調製した残りのゲルＢのｐＨを成分番号７を用いてさらに約５．６に調整することによって調製した。ゲルＣは、約３，３８０ｍＰａ・ｓのＢｒｏｏｋｆｉｅｌｄ粘度を有し、５回の凍結／解凍周期に基づいて安定であると判断した。
【０２３８】
それぞれのゲルＡ、ＢおよびＣについての濁度値は、約４１ＮＴＵであった。全てのゲルを、透明な浴用ゲルとしての使用に適していると判断した。
【０２３９】
（実施例１２．シャンプー）
この実施例は、表１３に示される処方を有するシャンプー組成物における、約１％の活性ポリマー重量での実施例１のポリマーＩの使用を示す。
【０２４０】
【表１３】
2007527946.tif 000023
シャンプーを、表の順に成分を混合し、次いで必要な場合、成分番号６を用いてｐＨを調整して、均質になるまで混合することによって調製した。完成したシャンプーのｐＨは、約４．６であった。このシャンプーは、約５，５８０ｍＰａ・ｓのＢｒｏｏｋｆｉｅｌｄ粘度、約５３ＮＴＵの濁度値を有し、５回の凍結／解凍周期に基づいて安定であると判断した。このシャンプーを、全目的の型のシャンプーとして使用するのに適していると判断した。
【０２４１】
比較のため、シャンプーを、ポリマーＩ（成分番号５）なしで、同様に調製した。比較シャンプーは、約４．５のｐＨを有し、非粘性（約１１５ｍＰａ・ｓのＢｒｏｏｋｆｉｅｌｄ粘度）であり、そして透明（約３ＮＴＵの濁度値）であった。
【０２４２】
（実施例１３．抗ふけシャンプー）
この実施例は、活性ふけ制御成分としてジンクピリチオンを含有し、そして表１４に示される以下の処方を有する抗ふけシャンプー組成物における、約１％の活性ポリマー重量での、実施例１のカチオン性の会合性ポリマーＩの使用を示す。
【０２４３】
【表１４】
2007527946.tif 000024
注釈１６．Ｃｏｇｎｉｓ，Ｃｏｒｐ．によって販売される、Ｃ８〜Ｃ１６のアルキル分布を有するアルキルポリグリコシドとアンモニウムラウレスサルフェートとの非イオン性／アニオン性界面活性剤混合物の商品名。
注釈１７．Ａｒｃｈ  Ｃｈｅｍｉｃａｌｓ，Ｉｎｃによって、４８％分散剤として商品名ＺｉｎｃＯＭＡＤＩＮＥ（登録商標）で販売される化合物のＩＮＣＩ名。
【０２４４】
シャンプーを、表の順で成分を混合し、次いで必要な場合、成分番号３によってｐＨを調整して、そして均質になるまで混合することによって調製した。
【０２４５】
完成したシャンプーのｐＨは、約４．５であった。このシャンプーは、約９，５００ｍＰａ・ｓのＢｒｏｏｋｆｉｅｌｄ粘度を有し、そして滑らかな、クリーム状のテクスチャーおよびローションのような外観を有した。このシャンプーは、室温における棚保存で、少なくとも約５ヶ月間、物理的に安定な状態であり、そして５回の凍結／解凍周期に基づいて、安定であると判断した。
【０２４６】
比較のため、シャンプーを、ポリマーＩ（成分番号２）なしで、同様に調製した。比較シャンプーは、約４．５のｐＨを有し、非粘性（約１１５ｍＰａ・ｓのＢｒｏｏｋｆｉｅｌｄ粘度）であり、そして不安定（室温での２週間以内の保存で物理的に分離した）であった。
【０２４７】
（実施例１４．コンディショニングシャンプー）
この実施例は、表１５に示される処方を有するコンディショニングシャンプー組成物における約１．５％の活性ポリマー重量での実施例１のポリマーＷの使用を示す。
【０２４８】
【表１５】
2007527946.tif 000025
注釈１８．平均で１と４との間のエチレンオキシド単位を有する、スルホコハク酸のエトキシ化ラウリルアルコール半エステルの２ナトリウム塩についてのＩＮＣＩ名。
注釈１９．Ｒｏｎａ／Ｍｅｒｃｋ  ＫＧａＡによって、商品名ＴＩＭＩＲＯＮ（登録商標）ＭＰ−１１５  Ｓｔａｒｌｕｓｔｅｒとして販売される混合物（報告によると、６９〜７５％のマイカおよび２５〜３１％の二酸化チタンを有する）。
【０２４９】
このシャンプーを、以下のように調製した。Ａ相を、成分番号１と成分番号２とを混合し、緩やかに混合しながら成分番号３を添加し、次いでこの混合物を成分番号４を用いてｐＨ約４．５まで酸性化することによって調製した。Ｂ相の成分を、記載された順番で、混合しながらＡ相に添加した。Ｃ相を、成分番号７および成分番号８を予め混合することによって別個に調製し、次いでＣ相を、Ａ相とＢ相との混合物に添加した。Ｄ相の残りの成分番号９、成分番号１０、および成分番号１１を、表の順でこのバッチに添加し、そして成分１２を用いて約４．５にｐＨを調整した。
【０２５０】
完成したシャンプーのｐＨは、約４．６であった。このシャンプーは、ポリマーＷなしで調製した比較シャンプーよりも真珠光沢があると判断された、つやのある外観を有した。このシャンプーは、滑らかに流れ、室温で少なくとも１週間を経過した棚保存の間、シリコン成分は乳化したままであった。このシャンプーは、約７，１２０ｍＰａ・ｓのＢｒｏｏｋｆｉｅｌｄ粘度を有し、そして５回の凍結／解凍周期に基づいて、安定と判断した。このシャンプーを、「２−イン−１」コンディショニングシャンプーと、一般的に称される型のコンディショニングシャンプーとして使用するのに適切であると判断した。
【０２５１】
比較のため、ポリマーＷ成分なしで同様に調製されたシャンプーは、約４．６のｐＨを有し、非粘性（１００ｍＰａ・ｓ未満のＢｒｏｏｋｆｉｅｌｄ粘度）であり、そして不安定（室温で２４時間以内に物理的に分離した）であった。同様に、ポリマーＷの代わりに等量のポリクオタニウム−３２（ＳＡＬＣＡＲＥ（登録商標）ＳＣ−９２（Ｃｉｂａ  Ｓｐｅｃｉａｌｔｙ  Ｃｈｅｍｉｃａｌｓ）に対するＩＮＣＩ名）を用いて処方したシャンプーは、不安定であり、相分離を示した。（ＳＡＬＣＡＲＥ（登録商標）ＳＣ−９２は、カチオン性コポリマーの液体分散剤混合物の商品名であり、報告によると、エタンアンモニウム（ｅｔｈａｎａｍｉｎｉｕｍ）、Ｎ，Ｎ，Ｎ−トリメチル−２−［（２−メチル−１−オキソ−２プロペニル）オキシ］−、クロリド、２−プロペンアミドを有するポリマーを含有する）。
【０２５２】
（実施例１５．カチオン性クリームコンディショナー）
この実施例は、表１６に示されるカチオン性のクリーム状コンディショナー処方物における約１．６％の活性ポリマー重量でのポリマーＷの使用を示す。
【０２５３】
【表１６】
2007527946.tif 000026
空気混和なしで成分番号１、成分番号２、および成分番号３を混合することによってこのクリーム処方物を調製した。成分番号４を、この混合物に添加し、そして成分番号５および成分番号６を添加する前に十分に混合した。次いで成分番号７を上記の混合物に添加し、そしてｐＨの範囲を調整する前に十分に混合した。生じた処方物は、白色のクリーム状の外観および滑らかなコンシステンシーを有した。この処方物を、５回の凍結／解凍周期に基づいて、安定と判断した。最初のＢｒｏｏｋｆｉｅｌｄ粘度は、約１４，４００ｍＰａ・ｓであり、室温および約４５℃の温度で少なくとも４週間の期間にわたる保存で、実質的に変化しないままであった。
【０２５４】
（実施例１６．カチオン性コンディショナー）
この実施例は、表１７に示されるカチオン性のコンディショナー処方物における約２％の活性ポリマー重量でのポリマーＷの使用を示す。
【０２５５】
【表１７】
2007527946.tif 000027
空気混和なしで成分番号１、成分番号２、および成分番号３を混合することによって、透明なコンディショナー処方物を調製した。成分番号４を、この混合物に添加し、そして成分番号５を添加する前に十分に混合した。次いで成分番号６を、上記の混合物に添加し、成分番号７でｐＨを調整する前に十分に混合した。生じた処方物は、実質的に透明であり、そして滑らかなコンシステンシーを有した。
【０２５６】
比較のために、実施例５に記載される市販のカチオン性ポリマー（Ｓｔｒｕｃｔｕｒｅ（登録商標）Ｐｌｕｓ）を、ポリマーＷの代わりに、同じ２％の活性ポリマー重量で使用したことを除いて、第２のコンディショナーを同様に調製した。この組成物は、約４５０ｍＰａ・ｓのＢｒｏｏｋｆｉｅｌｄ粘度、７７の透明度（％Ｔ）、および望ましくない塊のある、粒状のコンシステンシーを有した。
【０２５７】
さらなる比較のために、第３のコンディショナーを、従来の非イオン性の水溶性増粘剤であるヒドロキシエチルセルロース（ＮＡＴＲＯＳＯＬ（登録商標）２５０ＨＨＲ，ＣＳ化粧品高純度等級（ＣＳ  ｃｏｓｍｅｔｉｃ  ｈｉｇｈ  ｐｕｒｉｔｙ  ｇｒａｄｅ）、Ａｑｕａｌｏｎ／Ｈｅｒｃｕｌｅｓ，Ｗｉｌｍｉｎｇｔｏｎ，ＤＥ）を、１％の活性重量で、ポリマーＷの代わりに使用したことを除いて、同様に調製した。生じた組成物は、約３，９００ｍＰａ・ｓのＢｒｏｏｋｆｉｅｌｄ粘度、約９７の透明度（％Ｔ）、および美的でない「糸をひく」コンシステンシーを有した。
【０２５８】
ＣＴＡＣの非存在下で、白色のヤクの毛を使用し、そして氷酢酸によってｐＨ約３．５に調整した約０．５％のピラゾール染料（Ｃｌａｒｉａｎｔ）溶液からの吸収を決定する、カチオン吸着に関して周知である「ルビン染色試験（Ｒｕｂｉｎｅ  Ｄｙｅ  Ｔｅｓｔ）」の改変形に基づいて、ポリマーＷを、毛髪に対して重要であると判断した。（例えば、Ｃｒａｗｆｏｒｄら、「Ａ  Ｒｅｐｌａｃｅｍｅｎｔ  ｆｏｒ  Ｒｕｂｉｎｅ  ｄｙｅ  ｆｏｒ  ｄｅｔｅｃｔｉｎｇ  ｃａｔｉｏｎｉｃｓ  ｏｎ  ｋｅｒａｔｉｎ」、Ｊ．Ｓｏｃ．Ｃｏｓｍ．Ｃｈｅｍ．，Ｖ３１，２７３〜２７８ページ（１９８０年９月／１０月）（これに関連する開示は参考として援用される）を参照のこと）。
【０２５９】
（実施例１７．ヘアケアセット組成物およびコンディショニング組成物）
この実施例は、毛髪をセットし、スタイリングし、そしてまたはコンディショニングするのに有用な、水性ヘアケアコンディショニング組成物における約３％の活性ポリマー重量でのカチオン性の会合性ポリマー（実施例１、表２ＡのポリマーＡＦ）の使用を示す。１つの研究において、ポリマーＡＦは、単体でコンディショニングを行い、レオロジーを改変し、フィルムを形成する毛髪固定ポリマーとして、単独で使用される（実施例１７Ａ）。さらなる研究において、ポリマーＡＦを、水性処方物中に表１８に示された量で、以下と組み合わせて使用した：約３％の活性ポリマー重量の市販の非イオン性補助的毛髪固定ポリマー（実施例１７Ｂ〜１７Ｄ）；約３％の活性ポリマー重量の市販のカチオン性補助的毛髪固定ポリマー（実施例１７Ｅ〜１７Ｌ）；約１％もしくは約３％の活性ポリマー重量の市販の両性補助的毛髪固定ポリマー（それぞれ実施例１７Ｍおよび１７Ｎ）；または約１％もしくは約３％の活性ポリマー重量の市販の補助的なカチオン性コンディショニングポリマー（実施例１７Ｏ〜１７Ｔ）。
【０２６０】
【表１８−１】
2007527946.tif 000028
組成物の各々を、表１８Ａに示した市販の補助ポリマー成分番号３を水中に分散させ、そして混合して水性ポリマー溶液を提供することによって調製し、次いでポリマーＡＦを、この水性ポリマー溶液に混合し、成分番号５によってｐＨを約５に調整し、次いで成分番号４を添加し、必要な場合成分番号５によってｐＨを約４から約６の範囲に調整した。この組成物の外観を記録し、そして２４時間後にＢｒｏｏｋｆｉｅｌｄ粘度を測定し、そして濁度、透明度、および毛髪セット効力を測定し、以下に議論した。他に示さない限り、ＨＨＣＲ毛髪セット効力を研究した９つの毛髪の束／組成物の平均値から計算した。測定した場合、粘度、濁度および透明度の結果を、表１８Ａに示す。
【０２６１】
【表１８−２】
2007527946.tif 000029
表１８Ａに対する注釈
注釈２０．ＰＶＰ  Ｋ９０、ＢＡＳＦ（報告によると、重量平均分子量は、約１，３００，０００ダルトン）。
注釈２１．ＰＶＰ  Ｋ３０、ＢＡＳＦ（報告によると、重量平均分子量は、約６０，０００ダルトン）。
注釈２２．ＰＶＰ  ７３Ｗ、ＢＡＳＦ
注釈２３．Ｇａｆｑｕａｔ（登録商標）７３４Ｎ、ＩＳＰ、エタノール中に５０％として供給される。
注釈２４．Ｇａｆｑｕａｔ（登録商標）ＨＳ−１００、ＩＳＰ。
注釈２５．Ｃｅｌｑｕａｔ（登録商標）Ｈ−１００、Ｎａｔｉｏｎａｌ  Ｓｔａｒｃｈ。
注釈２６．Ｌｕｖｉｑｕａｔ（登録商標）ＦＣ−３７０、ＢＡＳＦ。
注釈２７．Ｌｕｖｉｑｕａｔ（登録商標）Ｈｏｌｄ、ＢＡＳＦ。
注釈２８．Ｓｔｙｌｅｚｅ（登録商標）Ｗ２０、ＩＳＰ。
注釈２９．ＩＳＰによって販売される、ＩＮＣＩ名ビニルカプロラクタム／ＰＶＰ／ジメチルアミノエチルメタクリレートコポリマーを有するカチオン性固定用ポリマーに対する商品名。
注釈３０．Ｎａｔｉｏｎａｌ  Ｓｔａｒｃｈによって販売される、ＩＮＣＩ名オクチルアクリルアミド（ｏｃｔｙｌａｃｒｙａｍｉｄｅ）／アクリレート／ブチルアミノエチルメタクリレートコポリマーを有する両性ポリマーに対する商品名。
注釈３１．Ｃｌａｒｉａｎｔによって販売される、ＩＮＣＩ名アクリレート／ラウリルアクリレート／ステアリルアクリレート／エチルアミンオキシドメタクリレートコポリマーを有する、エタノール中に４０％として供給される両性ポリマーに対する商品名。
注釈３２．ＵＣＡＲＥ（登録商標）ポリマーＪＲ−４００、Ａｍｅｒｃｈｏｌ。
注釈３３．Ｍｅｒｑｕａｔ（登録商標）３３３０、ＯｎｄｅｏＮａｌｃｏ。
注釈３４．ＭａｃｋｅｒｎｉｕｍＴＭ００７、ＭｃＩｎｔｙｒｅＧｒｏｕｐ，Ｌｔｄ。
注釈３５．Ｒｈｏｄｉａによって販売される、ＩＮＣＩ名グアーヒドロキシプロピルトリモニウムクロライドを有する四級化グアー誘導体に対する商品名。
注釈３６．Ｋｙｔａｍｅｒ（登録商標）ＰＣ、Ａｍｅｒｃｈｏｌ。
注釈３７．Ｃｅｌｑｕａｔ（登録商標）ＳＣ−２３０Ｍ、ＮａｔｉｏｎａｌＳｔａｒｃｈ＆Ｃｈｅｍｉｃａｌ。
【０２６２】
実施例１７Ａ。単体でコンディショニングする固定用ポリマーとしてポリマーＡＦを含有する水性組成物は、約４．１のｐＨを有し、透明なゲルであり、そして驚くべきことに、優れた毛髪セット効力を提供した（７０％のＨＨＣＲは約４時間であり、そして約８時間でのＨＨＣＲは、約５７％であった）。
【０２６３】
実施例１７Ｂ〜１７Ｄ。ポリマーＡＦおよび市販の非イオン性ポリマーＰＶＰを含有する水性組成物（実施例１７Ｂ、１７Ｃ）、またはポリマーＡＦおよび市販の非イオン性ポリマーＰＶＰ／ＶＡを含有する水性組成物（実施例１７Ｄ）は、約４．３〜約５．５の範囲のｐＨを有し、そして実質的に透明なゲルであった。実施例１７Ｂのこの組成物の毛髪セット効力を、非常に良好と判断した（少なくとも約３時間で７０％のＨＨＣＲであり、そして約８時間でのＨＨＣＲは、約５２％であった）。ポリマーＡＦおよびＰＶＰ、またはポリマーＡＦおよびＰＶＰ／ＶＡの組合せを含む組成物（実施例１７Ｃおよび実施例１７Ｄ）は、弱い毛髪セット効力（７０％のＨＨＣＲは１時間未満であり、そして約８時間でのＨＨＣＲは、約２７〜約３１％であった）を提供するのに適しており、これらの組成物を、毛髪を保持するためよりも一時的な毛髪の手入れもしくは成形に対して、より適切にした。実施例１７Ｄを、比較的固いと判断し、そして新しく髪型を作るのに適切であると判断した。
【０２６４】
実施例１７Ｅ〜１７Ｌ。ポリマーＡＦおよび市販のカチオン性固定ポリマーを含有する組成物は、約４．１〜約４．４の範囲のｐＨを有した。実施例１７Ｅ、実施例１７Ｆ、実施例１７Ｈ、実施例１７Ｋ、および実施例１７Ｌの組成物は、実質的に透明であった。実施例１７Ｅの組成物は、優れた毛髪セット効力（少なくとも約８時間で７０％以上のＨＨＣＲ）を提供し、そして実施例１７Ｋの組成物は、約２４時間まで優秀な毛髪セット効力（少なくとも約８時間で９１％のＨＨＣＲ、および約２４時間で８８％）を提供し、そして組成物のテクスチャーを、審美的に滑らかであると判断した。実施例１７Ｉの組成物は、非常に良好な毛髪セット効力（１時間より長く約２時間より短い間で７０％のＨＨＣＲ）を提供し、そしてこの組成物のテクスチャーは、比較的固いと判断された。実施例１７Ｈの組成物は、半透明かつ滑らかなテクスチャーであり、そして優秀な毛髪セット効力（約２４時間まで、約９６％以上のＨＨＣＲ）を提供した。実施例１７Ｊの組成物は、高い粘性を有し、視覚的に濁って（わずかに曇って）おり、そして優秀な毛髪セット効力（少なくとも約７時間で７０％のＨＨＣＲであり、および約８時間で約６４％のＨＨＣＲ）を提供した。
【０２６５】
実施例１７Ｍ〜１７Ｎ。ポリマーＡＦおよび両性ポリマーを含有するゲル組成物は、約４．２〜約４．４のｐＨを有した。実施例１７Ｍの組成物は、約７１，４００ｍＰａ・ｓの粘度を有し、不透明であり、そして弱い毛髪セット効力（７０％のＨＨＣＲは１時間未満であり、そして約８時間で３７％であった）を提供するのに適していた。実施例１７Ｎの組成物は、約１２，２００ｍＰａ・ｓの粘度を有し、そして滑らかで、実質的に透明（約３８ＮＴＵの濁度）のゲルであった。
【０２６６】
実施例１７Ｏ〜１７Ｔ。ポリマーＡＦおよびカチオン性コンディショニングポリマーを含有する実施例１７Ｏ〜１７Ｔの組成物は、約４．２〜約４．３のｐＨを有した。実施例１７Ｏの組成物は、濁った粘着性のゲルであり、これは、優れた毛髪セット効力（約２４時間まで９０％以上のＨＨＣＲ）を提供し、特殊または新規であり、そして高い保持が所望される髪型に使用するのに適していた。実施例１７Ｐの組成物は、高い粘性を有し、不透明であり、優秀な毛髪セット効力（約２４時間まで９０％以上のＨＨＣＲ）を提供した。実施例１７Ｑの組成物は、高い粘性を有し、滑らかであり、そして非常に良好な毛髪セット効力（少なくとも約２時間で７０％以上のＨＨＣＲ、および約８時間で約５１％のＨＨＣＲ）を提供した。実施例１７Ｒの組成物は、濃く、実質的に透明なゲルであった。実施例１７Ｓの組成物は、生成物の透明度を考慮しない場合の用途に適切であると判断された、濁った暗色のゲルであった。実施例１７Ｔの組成物は、実質的に透明なゲルであった。
【０２６７】
（水アルコール組成物）
第２の研究において、実施例１７Ａ〜１７Ｔの処方物を、水アルコール（ｈｙｄｒｏａｌｃｏｈｏｌｉｃ）組成物として、工程１において市販のポリマーをエタノールＳＤ−４０と水との混合物中に分散させる（したがって、最終的な水アルコール毛髪ケア組成物は、約１０重量％のエタノールを含んだ）ことを除き、上述の手順を繰り返すことによって調製した。アルコールは、以下で議論されるように、実施例１７Ｏおよび１７Ｓを除いて、全ての組成物の粘性を減少させた。
【０２６８】
実施例１７Ａ。ポリマーＡＦを含有する水アルコール組成物（実施例１７Ａ）はまた、僅かに低い粘度（約３４，１００ｍＰａ・ｓ）の実質的に透明（約２１．４ＮＴＵの濁度）なゲルであり、そして優秀な毛髪セット効力（７０％のＨＨＣＲは、約５時間まで増加した）を提供した。
【０２６９】
実施例１７Ｂ〜１７Ｄ。アルコールは、実施例１７Ｂ、実施例１７Ｃおよび実施例１７Ｄの組成物の粘度を、約３８，５５０ｍＰａ・ｓ（実施例１７Ｃ）〜約４７，０００ｍＰａ・ｓ（実施例１７Ｄ）の範囲まで減少させ、そして透明度を上昇させた（濁度は、約２６．３ＮＴＵ（実施例１７Ｃ）〜約２８ＮＴＵ（実施例１７Ｂ）の範囲であり、実施例１７Ｄの透明度は、約７１．１％Ｔまで上昇した）。実施例１７Ｂの毛髪セット効力は、優秀な毛髪セット効力まで増加した（７０％のＨＨＣＲは、約５時間であった）。
【０２７０】
実施例１７Ｅ〜１７Ｌ。アルコールは、実施例１７Ｅ、実施例１７Ｆ、実施例１７Ｈ、実施例１７Ｋおよび実施例１７Ｌの組成物の粘度を、低下させたが、なおゲル（粘度は、約１０，３００ｍＰａ・ｓ（実施例１７Ｆ）〜約５１，２００ｍＰａ・ｓ（実施例１７Ｈ）の範囲であった）であり、そして実質的に透明（濁度は、約２６．５ＮＴＵ（実施例１７Ｌ）〜約３６ＮＴＵ（実施例１７Ｅ）の範囲であった）なままであり、そして実施例１７Ｅ、実施例１７Ｈおよび実施例１７Ｋの組成物の透明度は、それぞれ、約６５．５％Ｔ、約７６．６％Ｔおよび約７１％Ｔまで上昇した。実施例１７Ｅの組成物の優秀な毛髪セット効力は、アルコールの存在によって変化しなかった（７０％のＨＨＣＲは、約８時間であった）。実施例１７Ｇの組成物中にアルコールを含めることにより、約２１，４００ｍＰａ・ｓの粘度、約４０ＮＴＵの濁度、および約６２％Ｔの透明度を有する実質的に透明なゲルを生成した。実施例１７Ｉの組成物中にアルコールを含めることにより、約２，８８０ｍＰａ・ｓの中程度の粘度、および改善された透明度（濁度は約６８ＮＴＵまで減少し、そして透明度は約３５％Ｔまで上昇した）を生成した。実施例１７Ｊの組成物中にアルコールを含めることにより、約１３，９５０ｍＰａ・ｓの粘度、および改善された透明度（濁度は約約６６．２ＮＴＵまで減少した）を有するゲルを生成した。
【０２７１】
実施例１７Ｍ〜１７Ｎ。アルコールは、実施例１７Ｍのゲル組成物の粘度を、約３５，０００ｍＰａ・ｓまで減少させた。アルコールは、実施例１７Ｎの組成物の粘度を、約７，４６０ｍＰａ・ｓの高い粘度まで低下させ、そして透明度を上昇させた（濁度は約約２６．４ＮＴＵまで減少した）。
【０２７２】
実施例１７Ｏ〜１７Ｔ。実施例１７Ｏの水アルコール組成物は、僅かに上昇した粘度および改善された透明度（粘度は約３８，１００ｍＰａ・ｓであり、濁度は約６７ＮＴＵであり、そして透明度は約３０％Ｔであった）を有した。実施例１７Ｐの水アルコール組成物は、約７，０００ｍＰａ・ｓの僅かに上昇した粘度を有し、不透明であり、そしてその優秀な毛髪セット効力（２４時間のＨＨＣＲ）を保持した。実施例１７Ｑの組成物中のアルコールは、粘度を減少させ、そして透明度を改善した（粘度は約５，１００ｍＰａ・ｓであり、濁度は約５２．３ＮＴＵであり、そして透明度は約５７％Ｔであった）。実施例１７Ｒの組成物中のアルコールは、粘度を減少させ、そして透明度を僅かに改善した（粘度は約１２０，０００ｍＰａ・ｓであり、濁度は約４０．４ＮＴＵであった）。実施例１７Ｓの組成物中のアルコールは、粘度および濁度を上昇させた（粘度は約３２，０００ｍＰａ・ｓであり、濁度は約２３５ＮＴＵであり、そして透明度は約１．７％Ｔであった）。実施例１７Ｔの水アルコール組成物において、アルコールは、粘度を約７２，４００ｍＰａ・ｓまで僅かに減少させ、そして透明度をさらに改善した（濁度は約４０．９ＮＴＵまで低下した）。
【０２７３】
（実施例１８．毛髪コンディショナー組成物）
この実施例は、カチオン性の会合性ポリマーである実施例１の表２のポリマーＹの、毛髪コンディショナー組成物における、単体のコンディショニング剤として約２％の活性ポリマー重量での使用（実施例１８Ａ）、ならびに表１９に示した量における、添加したジメチコンコポリオールと組み合わせた使用（実施例１８Ｂ、１８Ｃ）、および添加したジメチコンコポリオールと第四級アンモニウム化合物との両方を組み合わせた使用（実施例１８Ｄ、１８Ｅ）を示す。
【０２７４】
【表１９】
2007527946.tif 000030
注釈３８．Ｃｅｔｉｏｌ  ＨＥ，Ｃｏｇｎｉｓ。
注釈３９．Ｄｏｗ  Ｃｏｒｎｉｎｇ  １９３，Ｄｏｗ  Ｃｏｒｎｉｎｇ。
【０２７５】
組成物を、ポリマーＹと水を穏やかに混合し、成分番号１２を用いてこのポリマー溶液のｐＨを約５まで不十分に中和し、次いで表の順番で残りの成分を混合し、そして必要な場合、成分番号１２でｐＨを約４まで調整することによって調製した。
【０２７６】
実施例１８Ｃの組成物は、実質的に透明であった（１６．５ＮＴＵの濁度）（香料の添加前に決定した）。実施例１８Ｄの組成物は、実質的に透明であった（新しく調製して約５．４５ＮＴＵの濁度、そして２４時間後に約１３．９ＮＴＵの濁度）。実施例１８Ｅの組成物は、新しく調製した場合、実質的に透明（２４．４ＮＴＵの濁度）であり、２４時間後に不透明（濁度１０９．２ＮＴＵ）になった。
【０２７７】
（実施例１９．カチオン性コンディショナー組成物）
この実施例は、種々の濃度の、カチオン性の会合性ポリマーである実施例１のポリマーＷと、表２０に示した量における処方物中の種々のカチオン性第四級アンモニウム化合物との適合性を示す。
【０２７８】
【表２０】
2007527946.tif 000031
（表２０の注釈）
注釈４０．ＣＴＡＣとは、実施例２に記載されるセントリモニウムクロリドをいう。
注釈４１．ＢＴＡＣとは、ＩＮＣＩ名ベヘントリモニウムクロリドを有する第四級アンモニウム化合物をいい、Ｎ，Ｎ，Ｎ−トリメチル−１−ドコサミニウムクロリドを示す。
注釈４２．Ｓｔｅｐａｎ  Ｃｏｍｐａｎｙによって商品名ＷＥＣＯＢＥＥ（登録商標）Ｓで市販される製品に対するＩＮＣＩ名。
注釈４３．Ｓｔｅｐａｎ  Ｃｏｍｐａｎｙによって商品名ＮＥＯＢＥＥ（登録商標）Ｍ−５で市販される製品に対するＩＮＣＩ名。
【０２７９】
この組成物を、以下のように製造した。Ａ部を、ポリマーＷ（成分番号２）を、穏やかな混合撹拌によって徐々に水中に分散させ、透明な溶液が生じるまで混合することによって調製した。次いで、Ａ部の残りの成分を添加し、そしてこの混合物を約６５〜約７０℃の範囲の温度まで加熱した。別の容器に、Ｂ部を、Ｂ部の成分を混合し、そして約６５〜約７０℃の範囲の温度までこの混合物を加熱し、固形物のない均一な混合物が得られるまで混合して調製した。次いでＢ部を、Ａ部に穏やかに混合撹拌しながら添加し、均一になるまで（約１５分間）混合した。次いで生じた混合物を、約３５〜約４０℃の範囲の温度まで冷却した。その後、必要な場合、Ｃ部を添加し、そしてＤ部を添加することによってｐＨを約４〜約４．４の範囲に調整した。
【０２８０】
全ての組成物は、約４（実施例１９Ｆ）および約４．２（実施例１９Ｂ）の範囲のｐＨを有し、各組成物は、光沢のある白色で、クリーム状の外観を有した。組成物の粘性は、薄い粘性（実施例１９Ｆ）から高い粘性（実施例１９Ｃ、１９Ｄおよび１９Ｅ）の範囲およびゲル（実施例１９Ａ、１９Ｂ）になる範囲であった。
【０２８１】
（実施例２０．清浄剤組成物）
この実施例は、カチオン性の会合性ポリマーであるポリマーＷ（実施例２０Ａ）およびポリマーＹ（実施例２０Ｂ、２０Ｃ、２０Ｄ、および２０Ｅ）のアルコールを含まない抗菌清浄剤処方物における表２１に示す活性量での使用を示す。
【０２８２】
【表２１】
2007527946.tif 000032
（表２１の注釈）
注釈４４．Ｌｏｎｚａ，Ｉｎｃ．により商品名ＬＯＮＺＡＧＡＲＤ（登録商標）で市販される、塩化ジイソブチル（Ｄｉｉｓｏｂｕｔｙｌｙ）フェノキシエトキシルエチルジメチルベンジルアンモニウム一水和物に対するＩＮＣＩ名。
注釈４５．Ｎｏｖｅｏｎ，Ｉｎｃ．により市販される製品に対するＩＮＣＩ名。
【０２８３】
組成物を、成分番号３と成分番号１とを室温で均一になるまで（約１５分間）混合し、次いで成分番号２を添加し、均一に成るまで混合し、成分番号４によってｐＨを約４．４〜約４．７の範囲に調整することによって調製し、次いでｐＨ、粘度および濁度の値を測定した。その後、成分番号５を、実施例２０Ｂおよび実施例２０Ｄの処方物に、表２１に示したように加え、そしてこの粘度を再び測定した。実施例１のポリマーＷのポリマーエマルジョンは、約２０．９重量％の総ポリマー固形物を有し、そして実施例１のポリマーＹのポリマーエマルジョンは、約２０．７重量％の総ポリマー固形物を有した。
【０２８４】
この組成物を、清浄剤組成物として適切と判断し、そして特に手用清浄剤として適切であると判断した。
【０２８５】
（実施例２１．毛髪梳き（ｃｏｍｂｉｎｇ）計測）
実施例１８Ａ、実施例１８Ｂ、および実施例１８Ｃの毛髪コンディショナー組成物の濡れ梳き（ｗｅｔ  ｃｏｍｂｉｎｇ）特性を、硬質ゴムの櫛を取り付けた周知のＴｅｘｔｕｒｅ  Ａｎａｌｙｚｅｒ（Ｔｅｘｔｕｒｅ  ＴｅｃｈｎｏｌｏｇｙＣｏｒｐ．）機器を使用し、温度約２３℃および約５０％のＲＨの環境湿度で梳きを実行して、計測器で評価した。脱色した欧州人自然茶色ヒト毛髪の束を、脱イオン水に浸し、約２ｇのコンディショナーを、手で均等に塗布し、そして親指と人差し指で毛髪束中に約１分間分配させ、次いで束を微温の水道水で約３０秒間すすいだ。次いで、すすいだ濡れた束を、Ｔｅｘｔｕｒｅ  Ａｎａｌｙｚｅｒ機器のＡ／ＴＧ張力グリップ（ｔｅｎｓｉｌｅ  ｇｒｉｐ）で固定し、そして張力グリップを持ち上げて、束の全長が完全に通過するまで櫛の櫛歯の細かい部分を通して約３ｍｍ／秒の速度で毛髪を引くことによって梳いた。束を持ち上げるために必要な作用力（ｗｏｒｋ  ｆｏｒｃｅ）（グラム）を、距離の関数として記録した。櫛通し手順を、計５回の櫛通し引き（ｃｏｍｂ−ｔｈｒｏｕｇｈ  ｐｕｌｌ）で、同じ束に４回繰り返した。ベースラインの測定のために、各毛髪束を、試験組成物を塗布する前に櫛通しについて５回測定し、そして測定を試験組成物の塗布後に繰り返し、％総作用力を平均した。
【０２８６】
ポリマーＹ（実施例１８Ａ）を、濡れ梳き調整の提供について判断し、梳きやすさは、ジメチコーンコポリオール（実施例１８Ｂ、１８Ｃ）の存在によりさらに改善された。濡れ梳きのデータは、コンディショニングが実施例１８Ｂの組成物および実施例１８Ｃの組成物で実質的に同等であり、両方の組成物は、実施例１８Ａの組成物より、容易な濡れ梳きを提供したことを示した。
【０２８７】
（実施例２２．酸性界面活性剤の皮膚洗浄剤）
この実施例は、アニオン性界面活性剤を有する実施例１のポリマーＡＦの、α−ヒドロキシ酸（乳酸）とＬ−アルギニンとの両性ヒドロキシ複合体を含む、酸性界面活性剤の皮膚洗浄剤処方物における適合性を示す。
【０２８８】
【表２２】
2007527946.tif 000033
注釈４６．Ｃｏｇｎｉｓにより、商品名Ｅｕｐｅｒｌａｎ（登録商標）ＰＫ−３０００で販売される製品のＩＮＣＩ名。
注釈４７．Ｃｏｇｎｉｓにより、商品名Ｌａｍｅｓｏｆｔ（登録商標）ＰＯ−６５（６５％）で販売される製品のＩＮＣＩ名。
注釈４８．Ｃｏｇｎｉｓにより、商品名Ｓｔａｎｄａｍｏｘ（登録商標）ＣＡＷで販売される製品のＩＮＣＩ名。
注釈４９．Ｃｏｇｎｉｓにより、商品名Ｔｅｘａｐｏｎ（登録商標）６１１（４２．８％）で販売される製品のＩＮＣＩ名。
注釈５０．Ｃｏｇｎｉｓにより、商品名ＡＨＣａｒｅ（登録商標）Ｌ−６５で販売される製品のＩＮＣＩ名。
【０２８９】
この組成物を、成分番号２〜６を示した順番で水中に分散させ、各添加の間によく混合することによって調製した。混合物のｐＨを、成分番号７によって約３．８〜約３．９の範囲に調整した。次いで成分番号８を添加し、その後ポリマーＡＦ（番号９）を添加し、次いで必要な場合、ｐＨを成分番号７で約４．１〜約４．２の範囲に調整した。
【０２９０】
出来上がった組成物は、約４．１のｐＨ、約５，６４０ｍＰａ・ｓのＢｒｏｏｋｆｉｅｌｄ粘度を有した。この組成物を、身体用洗浄剤（代表的にボディウォッシュと称される）として特に適切であると判断した。
【０２９１】
（実施例２３．ムース処方物）
【０２９２】
【表２３】
2007527946.tif 000034
ポリマーＡＦを、脱イオン水中に分散させた。次いで成分番号３、成分番号４、および成分番号５を表の順番で添加し、各添加の後、均一になるまで混合した。成分番号８を添加し、そしてバッチが均一になるまで混合した。成分番号６および成分番号９を、前もって混合し、そして上述のバッチに添加した。ｐＨを、クエン酸を用いて約５に調整した。処方物を、ムース製品に使用するのに適切であると判断した。
【０２９３】
（実施例２４．着色処置および色彩維持のためのシャンプー）
この実施例は、着色処置および色彩維持に適する２つのシャンプー（２４Ａおよび２４Ｂ）を示す。
【０２９４】
【表２４】
2007527946.tif 000035
注記５１．Ｃｏｇｎｉｓにより、商品名Ｓｔａｎｄａｐｏｌ（登録商標）ＥＳ−２で販売される製品のＩＮＣＩ名。
注記５２．Ｃｏｇｎｉｓにより、商品名Ｓｔａｎｖａｐｏｌ（登録商標）ＥＡ−２で販売される製品のＩＮＣＩ名。
注記５３．Ｃｏｇｎｉｓにより、商品名Ｇｌｕａｄｉｎ（登録商標）ＷＫで販売される製品のＩＮＣＩ名。
注記５４．Ｗａｒｎｅｒ  Ｊｅｎｋｉｎｓｏｎ  Ｅｕｒｏｐｅ，Ｌｔｄ．により、（ａ）；Ａｒｉａｎｏｒ（登録商標）Ｓｉｅｎｎａ  Ｂｒｏｗｎ、（ｂ）；Ａｒｉａｎｏｒ（登録商標）Ｓｔｅｅｌ  Ｂｌｕｅ、（ｃ）；Ａｒｉａｎｏｒ（登録商標）Ｍａｄｄｅｒ  Ｒｅｄで販売される製品のＩＮＣＩ名。
【０２９５】
シャンプー２４Ａを、穏やかに混合しながら脱イオン水中にポリマーＡＦを分散させ、成分番号３および成分番号６を混合しながら添加し、この混合物を、クエン酸でｐＨ約５に不十分に中和し、次いで残りの成分番号４、成分番号５、成分番号７、成分番号８、成分番号９および成分番号１０を表の順番で添加して調製した。この混合物に、成分番号１１、成分番号１２、成分番号１３および香料の混合物を添加し、成分番号１５を用いてｐＨを約４．７〜約５．０の範囲に調整した。
【０２９６】
シャンプー２４Ａを、使用の間の毛髪の着色およびトリートメントシャンプーとしての継続使用による毛髪の色彩の維持に適切であると判断した。
【０２９７】
シャンプー２４Ｂを、着色染料が存在しないことを除き、シャンプー２４Ａの手順に従って調製した。シャンプー２４Ｂを、着色されたかまたは毛髪から色を除去することなく化学的に処置された毛髪の洗浄に適切であると判断した。
【０２９８】
（実施例２５．シャンプー処方物の戻りアルカリ性方法）
この実施例は、シャンプー組成物における実施例１のポリマーＡＦの使用を示す。それは、粘度、濁度、および収量の値が、処方物の戻りアルカリ性方法を使用することによって改良され得ることを実証する。
【０２９９】
【表２５】
2007527946.tif 000036
選択した例の処方物を、「戻りアルカリ性」処方技術を使用して調製した。実施例１のポリマーＡＦを、上記に示すとおり、約１．５％の活性重量にて使用した。このシャンプーを、以下のように調製した。相Ａを、成分番号１と成分番号２とを混合し、穏やかに混合しながら成分番号３を添加し、次いでこの混合物を成分番号４を用いてｐＨ約４．５まで酸性化することによって調製した。相Ｂの成分を、示した順番で相Ａに混合しながら添加した。相Ｃを表の順番でこのバッチに添加し、そしてｐＨを成分８によって約４に調整した。このシャンプーを、クエン酸によってｐＨを約４．０にし、次いで５０％のＮａＯＨ溶液を用いて高いｐＨに上げることによって調製した。粘度および収量の値の測定値を、組成物のｐＨを下げた場合および上げた場合の両方について記録した。表２６に記載したように、粘度の値、収量の値が、本発明のポリマーＡＦを使用するＮａＯＨの添加後に、処方物の透明度の減少を伴わずに上昇することに注目すべきである。
【０３００】
【表２６】
2007527946.tif 000037
（実施例２６．比較）
シャンプー処方物を、ｐＨを最初に低下させなかったことを除いて、実施例２５に示すように調製した。最初のｐＨを、ＮａＯＨ（Ｈ２Ｏ中に５０重量％）を使用して高く調整した。粘度のデータを、以下の表２７に示す。
【０３０１】
【表２７】
2007527946.tif 000038
図１は、戻りアルカリ性手順の粘度の値  対  ポリマーの最初の酸性化を伴わずにｐＨを上昇させる工程の粘度の値を比較する。
【０３０２】
（実施例２７および実施例２８．シャンプー処方物（戻りアルカリ性方法））
実施例２７および実施例２８のシャンプー組成物を、実施例１のポリマーＡＵおよびポリマーＡＶを各処方物中に利用したことを除いて、実施例２５に記載した通りに調製した。その後このシャンプー組成物を実施例２５に記載した戻りアルカリ性増粘手順に供した。その結果を、表２８に示す。
【０３０３】
【表２８】
2007527946.tif 000039
（実施例２９．比較）
この実施例は、粘度、濁度、および収量の値が、クエン酸と比較した場合、グリコール酸を用いる戻りアルカリ性技術を使用することによって大きく改善されないことを実証する。約１．５％の活性重量における実施例１のポリマーＡＦを、以下の表２９に示される処方物に使用した。このシャンプーのｐＨを、グリコール酸によって４．０のｐＨまで低下させた。その後、ｐＨを、実施例２５に記載したような５０％のＮａＯＨ溶液を用いて高く調整した。粘度および収量の値の測定値を、ｐＨを低下させる工程およびｐＨを上げる工程の両方について記録した。各ｐＨ値に対する粘度および収量の値を、測定し、そして表３０に示すように記録した。粘度の値は実施例２５のクエン酸の結果ほど高くなかった。さらに、濁度の値は、より高くなり、そして収量の値は、より低くなった。
【０３０４】
【表２９】
2007527946.tif 000040
【０３０５】
【表３０】
2007527946.tif 000041
図２は、クエン酸（実施例２５）  対  グリコール酸（実施例２９）で、酸性化した処方物の比較ｐＨ／粘度曲線を示す。
【０３０６】
（実施例３０〜実施例３２．コンディショニングシャンプー処方物（戻りアルカリ性方法））
この実施例は、以下の表３１に示すような処方を有するコンディショニングシャンプー組成物における実施例１のポリマーＡＦの使用を示す。このシャンプー（実施例３０）を、以下の通りに調製した。相Ａを、成分番号１および成分番号２を混合し、次いで成分番号３を穏やかに混合しながら加えることによって調製した。次いで相Ａを、成分番号４によって約４．５のｐＨまで酸性化した。次いで相Ｂの成分を、示した順番で相Ａに添加した（混合しながら）。相Ｃを、成分番号７と成分番号８とを前もって混合することによって調製し、次いで相Ｃを、相Ａと相Ｂとの混合物に添加した。相Ｄの残りの成分（成分番号９、成分番号１０、および成分番号１１）を、示した順番でこのバッチに添加し、そしてｐＨを、成分１２によって約４．８に調整した。
【０３０７】
実施例３０の一部をさらに、クエン酸によってｐＨ４．１に調整し、そしてサンプルを採取し、そして実施例３１を標識化した。
【０３０８】
実施例３０の一部を、５０％のＮａＯＨによって処理して、最終的にｐＨを６．１にし、そしてサンプルを採取し、実施例３２を標識化した。粘度および収量の測定値を、各試料について採った。この測定値を、表３２に示す。
【０３０９】
【表３１】
2007527946.tif 000042
【０３１０】
【表３２】
2007527946.tif 000043
実施例３０〜３２のシャンプー処方物の濡れ梳き特性を、硬質ゴムの櫛を取り付けたＴｅｘｔｕｒｅ  Ａｎａｌｙｓｅｒ機器を使用して評価した。梳きを、室温および約５０％の相対湿度にて実施した。脱色した欧州人自然茶色ヒト毛髪の３つの束を、水に浸し、次いで約２ｇｍの実施例３０〜３２の処方物で約１分間洗浄した。この束を、微温の水道水で約３０秒間すすいだ。次いで、このすすいで湿った毛束を、Ｔｅｘｔｕｒｅ  Ａｎａｌｙｓｅｒ機器のＡ／ＴＧ張力グリップで固定し、そして張力グリップを持ち上げて、束の全長が完全に通過するまで櫛の櫛歯の細かい部分を通して約３ｍｍ／秒の速度で毛髪を引くことによって梳いた。この束を持ち上げるのに必要な標準化した力を、距離の関数として記録した。この手順における櫛は、同じ束について５回繰り返され、そして５回の実施における平均の標準化した力を、記録した。対照の測定値を、試験組成物を塗布する前の各束について採り、そして記録した。この結果を、以下の表３３に示す。
【０３１１】
【表３３】
2007527946.tif 000044
（実施例３３．シャワーゲル処方物（戻りアルカリ性方法））
シャワーゲル処方物を、表３４に示す成分を使用して調製した。相Ａを、成分番号１と成分番号２とを混合し、次いで穏やかに混合しながら成分番号３を添加することによって調製した。相Ｂの成分を、示した順番で混合しながら相Ａに添加した。成分９を用いて、ｐＨが約４まで上昇するように調整した。その後、この酸性化した組成物のｐＨに、成分１０の添加による増加を引き起こした。種々の測定値を、それぞれのｐＨの増加において採取した。この結果を、以下の表３５に示す。
【０３１２】
【表３４】
2007527946.tif 000045
【０３１３】
【表３５】
2007527946.tif 000046
（実施例３４〜実施例３５）
同じ処方工程は、表３６に示すポリマーを使用したことを除いて、実施例３３のシャワーゲル組成物の調製に示すようなこれらの実施例に従った。
【０３１４】
【表３６】
2007527946.tif 000047
上述の実施例から、本発明のポリマーが、広範な種々の異なった水溶性組成物において使用され得、カチオン性第四級アンモニウム塩、カチオン性界面活性剤およびアニオン性界面活性剤と適合性であることが理解され得る。上記の議論および報告した研究は、本発明を例示する目的のみを意図し、限定として理解されるべきではない。本発明の精神および範囲の内であるさらに他の改変が可能であり、それ自体を当業者に対し容易に提示する。
【図面の簡単な説明】
【０３１５】
【図１】図１は、実施例２５および実施例２６に示される組成物のｐＨ／粘性プロフィールを比較するグラフである。
【図２】図２は、実施例２５および実施例２９に示される組成物のｐＨ／粘性プロフィールを比較するグラフである。
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
安定な水性ポリマー組成物であって、以下：
ａ．酸膨潤可能なカチオン性の会合性ポリマー；
ｂ．少なくとも１種の両性界面活性剤；
ｃ．アニオン性界面活性剤、カチオン性界面活性剤、非イオン性界面活性剤、およびそれらの混合物から選択される、任意の界面活性剤；
ｄ．約０．５〜約７の範囲の低いｐＨを有する増粘したポリマー組成物を生じる、有効量の酸性物質；
ｅ．該低いｐＨの組成物に対して高いｐＨを有する組成物を生じる、有効量の、後に添加されるアルカリ性ｐＨ調整剤；
を含有し、ここで該酸膨潤可能なカチオン性の会合性ポリマーが、以下：少なくとも１種のアミノ置換ビニルモノマー；少なくとも１種の疎水性の非イオン性ビニルモノマー；少なくとも１種の会合性ビニルモノマー；少なくとも１種の半疎水性ビニル界面活性剤モノマー；および必要に応じて、少なくとも１種のヒドロキシ置換非イオン性ビニルモノマー、を含むモノマー混合物から重合される、安定な水性ポリマー組成物。
【請求項２】
前記モノマー混合物は、架橋モノマーをさらに含む、請求項１に記載のポリマー。
【請求項３】
前記アミノ置換ビニルモノマーが、以下：
モノ−（Ｃ１〜Ｃ４）アルキルアミノ（Ｃ１〜Ｃ８）アルキル（メタ）アクリレート、
ジ−（Ｃ１〜Ｃ４）アルキルアミノ（Ｃ１〜Ｃ８）アルキル（メタ）アクリレート、
モノ−（Ｃ１〜Ｃ４）アルキルアミノ（Ｃ１〜Ｃ８）アルキル（メタ）アクリルアミド、
ジ−（Ｃ１〜Ｃ４）アルキルアミノ（Ｃ１〜Ｃ８）アルキル（メタ）アクリルアミド、
窒素含有複素環式（メタ）アクリルアミド、
窒素含有複素環式（メタ）アクリレート、およびそれらの混合物
から選択される、請求項１に記載のポリマー。
【請求項４】
請求項１に記載のポリマーであって、前記疎水性の非イオン性ビニルモノマーが、以下の式（Ｉ）または式（ＩＩ）：
（Ｉ）ＣＨ２＝Ｃ（Ｘ）Ｚ、
（ＩＩ）ＣＨ２＝ＣＨ−ＯＣ（Ｏ）Ｒ
のいずれかを有する化合物であって；式（Ｉ）および式（ＩＩ）の各々において、Ｘは、Ｈまたはメチルであり；Ｚは−Ｃ（Ｏ）ＯＲ１、−Ｃ（Ｏ）ＮＨ２、−Ｃ（Ｏ）ＮＨＲ１、−Ｃ（Ｏ）Ｎ（Ｒ１）２、−Ｃ６Ｈ４Ｒ１、−Ｃ６Ｈ４ＯＲ１、−Ｃ６Ｈ４Ｃｌ、−ＣＮ、−ＮＨＣ（Ｏ）ＣＨ３、−ＮＨＣ（Ｏ）Ｈ、Ｎ−（２−ピロリドニル）、Ｎ−カプロラクタミル、−Ｃ（Ｏ）ＮＨＣ（ＣＨ３）３、−Ｃ（Ｏ）ＮＨＣＨ２ＣＨ２−Ｎ−エチレン尿素、−ＳｉＲ３、−Ｃ（Ｏ）Ｏ（ＣＨ２）ｘＳｉＲ３、−Ｃ（Ｏ）ＮＨ（ＣＨ２）ｘＳｉＲ３、または−（ＣＨ２）ｘＳｉＲ３であり；ｘは、１〜約６の範囲の整数であり；各Ｒは、独立して、Ｃ１〜Ｃ３０アルキルであり；各Ｒ１は、独立して、Ｃ１〜Ｃ３０アルキル、ヒドロキシ置換Ｃ２〜Ｃ３０アルキルまたはハロゲン置換Ｃ１〜Ｃ３０アルキルである、ポリマー。
【請求項５】
前記疎水性の非イオン性ビニルモノマーは、アクリル酸のＣ１〜Ｃ３０アルキルエステル、メタクリル酸のＣ１〜Ｃ３０アルキルエステル、またはそれらの混合物である、請求項１に記載のポリマー。
【請求項６】
請求項１に記載のポリマーであって、前記会合性ビニルモノマーは、以下の式（ＩＩＩ）：
【化１】
2007527946.tif 000050
の化合物のうちの少なくとも１つから選択され；各Ｒ２は、独立して、Ｈ、メチル、−Ｃ（Ｏ）ＯＨ、または−Ｃ（Ｏ）ＯＲ３であり；Ｒ３は、Ｃ１〜Ｃ３０アルキルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは、二価アリールであり；Ｅは、Ｈまたはメチルであり；ｚは、０または１であり；ｋは、０〜約３０の範囲の整数であり、そしてｍは、０または１であり、ただしｋが０である場合、ｍは０であり、そしてｋが、１〜約３０の範囲である場合、ｍが１であり；（Ｒ４−Ｏ）ｎは、ポリオキシアルキレンであって、該ポリオキシアルキレンは、Ｃ２〜Ｃ４オキシアルキレン単位のホモポリマー、ランダムコポリマー、またはブロックコポリマーであり、Ｒ４は、Ｃ２Ｈ４、Ｃ３Ｈ６、Ｃ４Ｈ８、またはそれらの混合物であり、そしてｎは、約５〜約２５０の範囲の整数であり；Ｙは、−Ｒ４Ｏ−、−Ｒ４ＮＨ−、−Ｃ（Ｏ）−、−Ｃ（Ｏ）ＮＨ−、−Ｒ４ＮＨＣ（Ｏ）ＮＨ−、または−Ｃ（Ｏ）ＮＨＣ（Ｏ）−であり；そしてＲ５は、Ｃ８〜Ｃ４０直鎖アルキル、Ｃ８〜Ｃ４０分枝鎖アルキル、Ｃ８〜Ｃ４０炭素環式アルキル、Ｃ２〜Ｃ４０アルキル置換フェニル、アリール置換Ｃ２〜Ｃ４０アルキル、およびＣ８〜Ｃ８０複合エステルからなる群より選択される、置換アルキルまたは非置換アルキルであり；Ｒ５アルキル基は、必要に応じて、ヒドロキシル基、アルコキシ基、およびハロゲン基からなる群より選択される１つ以上の置換基を含む、ポリマー。
【請求項７】
前記半疎水性ビニル界面活性剤モノマーは、重合可能な不飽和末端基、および該重合可能な不飽和末端基に共有結合されたポリオキシアルキレン基を含む、請求項１に記載のポリマー。
【請求項８】
前記ポリオキシアルキレン基は、約５〜約２５０のＣ２〜Ｃ４オキシアルキレン単位を含むホモポリマー、ランダムコポリマー、またはブロックコポリマーである、請求項７に記載のポリマー。
【請求項９】
請求項１に記載のポリマーであって、前記半疎水性ビニル界面活性剤モノマーは、以下の式（ＩＶ）または式（Ｖ）：
【化２】
2007527946.tif 000051
のいずれかを有する化合物であって；ここで式（ＩＶ）および（Ｖ）の各々において、各Ｒ６は、独立して、Ｈ、Ｃ１〜Ｃ３０アルキル、−Ｃ（Ｏ）ＯＨ、または−Ｃ（Ｏ）ＯＲ７であり；Ｒ７は、Ｃ１〜Ｃ３０アルキルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは、二価アリールであり；Ｅは、Ｈまたはメチルであり；ｚは、０または１であり；ｐは、０〜約３０の範囲の整数であり、そしてｒは、０または１であり、ただしｐが０である場合、ｒが０であり、そしてｐが１〜約３０の範囲である場合、ｒが１であり；（Ｒ８−Ｏ）ｖは、ポリオキシアルキレンであり、該ポリオキシアルキレンは、Ｃ２〜Ｃ４オキシアルキレン単位のホモポリマー、ランダムコポリマーまたはブロックコポリマーであり、Ｒ８は、Ｃ２Ｈ４、Ｃ３Ｈ６、Ｃ４Ｈ８、またはそれらの混合物であり、そしてｖは、約５〜約２５０の範囲の整数であり；Ｒ９は、ＨまたはＣ１〜Ｃ４アルキルであり；Ｄは、Ｃ８〜Ｃ３０不飽和アルキル、またはカルボキシ置換Ｃ８〜Ｃ３０不飽和アルキルである、ポリマー。
【請求項１０】
前記少なくとも１種のヒドロキシ置換非イオン性ビニルモノマーは、２−ヒドロキシエチルメタクリレート、２−ヒドロキシエチルアクリレート、３−ヒドロキシプロピルアクリレート、ヒドロキシ置換（Ｃ１〜Ｃ４）アルキル（メタ）アクリルアミド、アリルアルコール、グリセロールモノアリルエーテル、３−メチル−３−ブテン−１−オール、およびビニルアセテートから選択される、請求項１に記載のポリマー。
【請求項１１】
前記モノマー混合物は、モノマー混合物の総重量に基づいて、以下：
（ａ）約１０重量％〜約７０重量％の少なくとも１種のアミノ置換ビニルモノマーまたはその塩；
（ｂ）約２０重量％〜約８０重量％の少なくとも１種の疎水性の非イオン性ビニルモノマー；
（ｃ）約０．０１重量％〜約２５重量％の少なくとも１種の会合性ビニルモノマー；
（ｄ）約０．０１重量％〜約２５重量％の少なくとも１種の半疎水性ビニル界面活性剤モノマー；および
（ｅ）約１０重量％までのヒドロキシ置換非イオン性モノマー；
を含有する、請求項１０に記載のポリマー。
【請求項１２】
前記モノマー混合物は、モノマー混合物の総重量に基づいて、以下：
（ｆ）約５重量％までの架橋モノマー；
（ｇ）約１０重量％までの連鎖移動剤；および
（ｈ）約２重量％までのポリマー安定化剤；
を含有する、請求項１１に記載のポリマー。
【請求項１３】
請求項１または２に記載のポリマーを含有する組成物であって、緩衝剤、補助的な毛髪固定剤、補助的なフィルム形成剤、補助的なレオロジー改変剤、補助的な毛髪用コンディショニング剤、補助的な皮膚用コンディショニング剤、化学的な毛髪用ウェーブ剤もしくは毛髪用ストレート剤、着色料、界面活性剤、ポリマーフィルム改質剤、製品安定化剤および製品仕上げ剤、噴霧剤、補助的な溶媒、金属イオンキレート剤、分散剤またはそれらの混合物をさらに含む、組成物。
【請求項１４】
請求項１または２に記載のポリマーを含有する組成物であって、微粒子、研磨剤、水不溶性の油性物質、およびそれらの混合物から選択される懸濁可能な物質をさらに含む、組成物。
【請求項１５】
微粒子、研磨剤、水不溶性の油性物質、およびそれらの混合物から選択される懸濁可能な物質をさらに含む、請求項１３に記載の組成物。
【請求項１６】
前記懸濁可能な物質は、ビーズ、マイカ、シリコーン流体、気泡、真珠光沢化剤、ワックス、ビタミン、油およびそれらの混合物から選択される、請求項１４に記載の組成物。
【請求項１７】
前記懸濁可能な物質は、ビーズ、マイカ、シリコーン流体、気泡、真珠光沢化剤、ワックス、ビタミン、油およびそれらの混合物から選択される、請求項１５に記載の組成物。
【請求項１８】
前記酸性物質は、有機酸、鉱酸、酸性の皮膚科学的成分、酸性の薬用化粧品成分、およびそれらの混合物から選択される、請求項１に記載の組成物。
【請求項１９】
前記酸性物質は、クエン酸である、請求項１８に記載の組成物。
【手続補正２】
【補正対象書類名】図面
【補正対象項目名】全図
【補正方法】追加
【補正の内容】
【図１】
2007527946.tif 000052
【図２】
2007527946.tif 000053
【国際調査報告】
2007527946.tif 000054
2007527946.tif 000055
2007527946.tif 000056